(57)【要約】  アップリンク共有チャネル上での送信のために異なるタイプの制御情報およびアップリンクデータの間でリソースをスプリットすることをサポートする、ワイヤレス通信のための方法、システム、およびデバイスが説明される。基地局が、アップリンク送信のためにユーザ機器（ＵＥ）に割り振られるアップリンク共有チャネルのリソース要素（ＲＥ）を示す許可を送信し得る。ＵＥは、許可を処理し、基準ペイロードサイズに基づいて、異なるタイプのアップリンク制御情報（ＵＣＩ）およびアップリンクデータ間で、許可されたＲＥをスプリットし得る。ＵＥは、ＲＥのスプリッティングに基づいてアップリンク送信を生成し得、許可中で示されたアップリンク共有チャネルのＲＥ中でアップリンク送信を送信し得る。基地局は、複数のＲＥのスプリッティングに従って、アップリンク送信のためのアップリンク共有チャネルのＲＥを監視し得る。
2021508991.tif 000002
【特許請求の範囲】
【請求項１】
ワイヤレス通信のための方法であって、
ユーザ機器（ＵＥ）によって、アップリンク送信のために前記ＵＥに割り振られるアップリンク共有チャネルの複数のリソース要素（ＲＥ）を示す許可を受信することと、
ハイブリッド自動再送要求肯定応答（ＨＡＲＱ−ＡＣＫ）データとチャネル状態情報パート１（ＣＳＩパート１）データとＣＳＩパート２データとの間で前記複数のＲＥの少なくとも一部分をスプリットすることと、
前記スプリットすることに少なくとも部分的に基づいて前記アップリンク送信を生成することと、
前記ＵＥによって、前記アップリンク共有チャネルの前記複数のＲＥ中で前記アップリンク送信を送信することと
を備える、方法。
【請求項２】
割振り上限パラメータを示す無線リソース制御（ＲＲＣ）シグナリングを受信することと、
前記割振り上限パラメータに少なくとも部分的に基づいて、前記ＨＡＲＱ−ＡＣＫデータに割り振るための前記複数のＲＥの最大数を設定することと
をさらに備える、請求項１に記載の方法。
【請求項３】
前記最大数に少なくとも部分的に基づいて、前記ＨＡＲＱ−ＡＣＫデータに割り振るための前記複数のＲＥのうちのある数を計算すること
をさらに備える、請求項２に記載の方法。
【請求項４】
前記許可に関連するサブキャリアの数と前記許可に関連するシンボル期間の数とに少なくとも部分的に基づいて、割振りのために利用可能である前記複数のＲＥの総数を決定すること
をさらに備える、請求項１に記載の方法。
【請求項５】
割振り上限パラメータを示す無線リソース制御（ＲＲＣ）シグナリングを受信することと、
前記割振り上限パラメータに少なくとも部分的に基づいて、前記ＣＳＩパート１データに割り振るための前記複数のＲＥの最大数を設定することと
をさらに備える、請求項１に記載の方法。
【請求項６】
前記最大数に少なくとも部分的に基づいて、前記ＣＳＩパート１データに割り振るための前記複数のＲＥのうちのある数を計算すること
をさらに備える、請求項５に記載の方法。
【請求項７】
前記ＨＡＲＱ−ＡＣＫデータに割り振るために利用可能である前記複数のＲＥの最大数として、割振りのために利用可能である前記複数のＲＥの前記総数を設定すること
をさらに備える、請求項４に記載の方法。
【請求項８】
前記複数のＲＥの少なくとも前記一部分をスプリットすることが、
前記複数のＲＥのうちのある数を前記ＨＡＲＱ−ＡＣＫデータに割り振ることと、
前記ＨＡＲＱ−ＡＣＫデータに割り振られる前記複数のＲＥのうちの前記数が、割振りのために利用可能である前記複数のＲＥの前記総数よりも少ないと決定したことに少なくとも部分的に基づいて、割振りのために利用可能である前記複数のＲＥのうちの残りの数を識別することと、
前記ＣＳＩパート１データと前記ＣＳＩパート２データとの間で前記複数のＲＥのうちの前記残りの数をスプリットすることと
を備える、請求項４に記載の方法。
【請求項９】
前記複数のＲＥの少なくとも前記一部分をスプリットすることが、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＨＡＲＱ−ＡＣＫデータの前記重み付けされたペイロードサイズに比例して、前記ＨＡＲＱ−ＡＣＫデータに割り振るための前記複数のＲＥのうちのある数を計算すること
を備える、請求項１に記載の方法。
【請求項１０】
前記複数のＲＥの少なくとも前記一部分をスプリットすることが、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＣＳＩパート１データの前記重み付けされたペイロードサイズに比例して、前記ＣＳＩパート１データに割り振るための前記複数のＲＥのうちのある数を計算すること
を備える、請求項１に記載の方法。
【請求項１１】
前記複数のＲＥの少なくとも前記一部分をスプリットすることが、
前記ＨＡＲＱ−ＡＣＫデータのための重み付け係数と、前記ＣＳＩパート１データのための重み付け係数と、前記ＣＳＩパート２データのための重み付け係数とを示す無線リソース制御（ＲＲＣ）シグナリングを受信することと、
前記ＨＡＲＱ−ＡＣＫデータのための前記重み付け係数に少なくとも部分的に基づいて前記ＨＡＲＱ−ＡＣＫデータの重み付けされたペイロードサイズと、前記ＣＳＩパート１データのための前記重み付け係数に少なくとも部分的に基づいて前記ＣＳＩパート１データの重み付けされたペイロードサイズと、前記ＣＳＩパート２データのための前記重み付け係数に少なくとも部分的に基づいて基準ペイロードサイズの重み付けされたペイロードサイズとを決定することと
を備える、請求項１に記載の方法。
【請求項１２】
前記複数のＲＥの少なくとも前記一部分をスプリットすることが、
前記ＨＡＲＱ−ＡＣＫデータに割り振られる前記複数のＲＥのうちのある数と前記ＣＳＩパート１データに割り振られる前記複数のＲＥのうちのある数とに少なくとも部分的に基づいて、前記ＣＳＩパート２データに割り振るための前記複数のＲＥのうちのある数を計算すること
を備える、請求項１に記載の方法。
【請求項１３】
前記複数のＲＥの少なくとも前記一部分をスプリットすることが、
基準ペイロードサイズの重み付けされたペイロードサイズに対する前記ＨＡＲＱ−ＡＣＫデータの重み付けされたペイロードサイズに比例して、前記ＨＡＲＱ−ＡＣＫデータに割り振るための前記複数のＲＥのうちのある数を計算すること
を備える、請求項１に記載の方法。
【請求項１４】
前記複数のＲＥの少なくとも前記一部分をスプリットすることが、
基準ペイロードサイズの重み付けされたペイロードサイズに対する前記ＣＳＩパート１データの重み付けされたペイロードサイズに比例して、前記ＣＳＩパート１データに割り振るための前記複数のＲＥのうちのある数を計算すること
を備える、請求項１に記載の方法。
【請求項１５】
ランク指示の値に少なくとも部分的に基づいて基準ペイロードサイズを決定すること
をさらに備える、請求項１に記載の方法。
【請求項１６】
前記複数のＲＥのうちのいずれもアップリンクデータの送信のために割り振られず、前記複数のＲＥの各々が、前記ＨＡＲＱ−ＡＣＫデータ、または前記ＣＳＩパート１データ、または前記ＣＳＩパート２データの送信のために割り振られると決定するために前記許可を処理すること
をさらに備える、請求項１に記載の方法。
【請求項１７】
前記アップリンク送信が非アクセス層データを含むべきであり、アクセス層データを含むべきでないと決定するために前記許可を処理すること
をさらに備える、請求項１に記載の方法。
【請求項１８】
前記複数のＲＥの少なくとも前記一部分をスプリットすることが、
前記ＣＳＩパート２データの基準ペイロードサイズに少なくとも部分的に基づいて、前記ＨＡＲＱ−ＡＣＫデータと前記ＣＳＩパート１データと前記ＣＳＩパート２データとアップリンクデータとの間で前記複数のＲＥの少なくとも前記一部分をスプリットすること
を備える、請求項１に記載の方法。
【請求項１９】
ワイヤレス通信のための方法であって、
基地局によって、アップリンク送信のためにユーザ機器（ＵＥ）に割り振られるアップリンク共有チャネルの複数のリソース要素（ＲＥ）を示す許可を送信することと、
ハイブリッド自動再送要求肯定応答（ＨＡＲＱ−ＡＣＫ）データとチャネル状態情報パート１（ＣＳＩパート１）データとＣＳＩパート２データとの間で前記複数のＲＥの少なくとも一部分をスプリットすることと、
前記スプリットすることに少なくとも部分的に基づいて、前記アップリンク送信のための前記アップリンク共有チャネルの前記複数のＲＥを監視することと
を備える、方法。
【請求項２０】
割振り上限パラメータを示す無線リソース制御（ＲＲＣ）シグナリングを送信すること
をさらに備える、請求項１９に記載の方法。
【請求項２１】
前記複数のＲＥの少なくとも前記一部分をスプリットすることが、
前記割振り上限パラメータに少なくとも部分的に基づいて、前記ＨＡＲＱ−ＡＣＫデータに割り振るために利用可能な前記複数のＲＥの最大数を設定すること
を備える、請求項２０に記載の方法。
【請求項２２】
前記複数のＲＥの少なくとも前記一部分をスプリットすることが、
前記ＨＡＲＱ−ＡＣＫデータに割り振るために利用可能な前記複数のＲＥの前記最大数に少なくとも部分的に基づいて、前記ＨＡＲＱ−ＡＣＫデータに割り振られる前記複数のＲＥのうちのある数を計算すること
を備える、請求項２１に記載の方法。
【請求項２３】
前記複数のＲＥの少なくとも前記一部分をスプリットすることが、
前記割振り上限パラメータに少なくとも部分的に基づいて、前記ＣＳＩパート１データに割り振るために利用可能な前記複数のＲＥの最大数を設定すること
を備える、請求項２０に記載の方法。
【請求項２４】
前記複数のＲＥの少なくとも前記一部分をスプリットすることが、
前記ＣＳＩパート１データに割り振るために利用可能な前記複数のＲＥの前記最大数に少なくとも部分的に基づいて、前記ＣＳＩパート１データに割り振られる前記複数のＲＥのうちのある数を計算すること
を備える、請求項２３に記載の方法。
【請求項２５】
前記許可に関連するサブキャリアの数と前記許可に関連するシンボル期間の数とに少なくとも部分的に基づいて、割振りのために利用可能である前記複数のＲＥの総数を決定すること
をさらに備える、請求項１９に記載の方法。
【請求項２６】
前記複数のＲＥの少なくとも前記一部分をスプリットすることが、
割振りのために利用可能である前記複数のＲＥの前記総数に少なくとも部分的に基づいて、前記ＨＡＲＱ−ＡＣＫデータと前記ＣＳＩパート１データと前記ＣＳＩパート２データとの間で、前記複数のＲＥの少なくとも前記一部分をスプリットすること
を備える、請求項２５に記載の方法。
【請求項２７】
割振りのために利用可能である前記複数のＲＥの前記総数が、少なくとも１つの基準信号に割り当てられる前記複数のＲＥのうちのＲＥを除外する、請求項２５に記載の方法。
【請求項２８】
前記許可を送信することは、
前記複数のＲＥの前記総数のうちのいずれもアップリンクデータの送信のために割り振られず、前記複数のＲＥの総数の各々が、前記ＨＡＲＱ−ＡＣＫデータ、前記ＣＳＩパート１データ、または前記ＣＳＩパート２データの送信のために割り振られることを示すために前記許可を生成すること
をさらに備える、請求項２５に記載の方法。
【請求項２９】
前記許可を送信することは、
前記アップリンク送信が非アクセス層データを含むべきであり、アクセス層データを含むべきでないことを示すために前記許可を生成すること
をさらに備える、請求項２５に記載の方法。
【請求項３０】
前記複数のＲＥの少なくとも前記一部分をスプリットすることが、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＨＡＲＱ−ＡＣＫデータの前記重み付けされたペイロードサイズに比例して、前記ＨＡＲＱ−ＡＣＫデータに割り振られる前記複数のＲＥのうちのある数を計算すること
を備える、請求項１９に記載の方法。
【請求項３１】
前記複数のＲＥの少なくとも前記一部分をスプリットすることが、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＣＳＩパート１データの前記重み付けされたペイロードサイズに比例して、前記ＣＳＩパート１データに割り振られる前記複数のＲＥのうちのある数を計算すること
を備える、請求項１９に記載の方法。
【請求項３２】
前記複数のＲＥの少なくとも前記一部分をスプリットすることが、
前記ＨＡＲＱ−ＡＣＫデータのための重み付け係数と、前記ＣＳＩパート１データのための重み付け係数と、前記ＣＳＩパート２データのための重み付け係数とを示す無線リソース制御（ＲＲＣ）シグナリングを送信することと、
前記ＨＡＲＱ−ＡＣＫデータのための前記重み付け係数に少なくとも部分的に基づいて前記ＨＡＲＱ−ＡＣＫデータの重み付けされたペイロードサイズと、前記ＣＳＩパート１データのための前記重み付け係数に少なくとも部分的に基づいて前記ＣＳＩパート１データの重み付けされたペイロードサイズと、前記ＣＳＩパート２データのための前記重み付け係数に少なくとも部分的に基づいて基準ペイロードサイズの重み付けされたペイロードサイズとを決定することと
を備える、請求項１９に記載の方法。
【請求項３３】
前記複数のＲＥの少なくとも前記一部分をスプリットすることが、
前記ＨＡＲＱ−ＡＣＫデータに割り振られる前記複数のＲＥのうちのある数と前記ＣＳＩパート１データに割り振られる前記複数のＲＥのうちのある数とに少なくとも部分的に基づいて、前記ＣＳＩパート２データに割り振られる前記複数のＲＥのうちのある数を計算すること
を備える、請求項１９に記載の方法。
【請求項３４】
ランク指示の値に少なくとも部分的に基づいて基準ペイロードサイズを決定すること
をさらに備える、請求項１９に記載の方法。
【請求項３５】
前記複数のＲＥの少なくとも前記一部分をスプリットすることが、
前記ＣＳＩパート２データの基準ペイロードサイズに少なくとも部分的に基づいて、前記ＨＡＲＱ−ＡＣＫデータと前記ＣＳＩパート１データと前記ＣＳＩパート２データとアップリンクデータとの間で前記複数のＲＥの少なくとも前記一部分をスプリットすること
を備える、請求項１９に記載の方法。
【請求項３６】
ユーザ機器（ＵＥ）によるワイヤレス通信のための装置であって、
アップリンク送信のために前記ＵＥに割り振られるアップリンク共有チャネルの複数のリソース要素（ＲＥ）を示す許可を受信するための手段と、
ハイブリッド自動再送要求肯定応答（ＨＡＲＱ−ＡＣＫ）データとチャネル状態情報パート１（ＣＳＩパート１）データとＣＳＩパート２データとの間で前記複数のＲＥの少なくとも一部分をスプリットするための手段と、
前記スプリットすることに少なくとも部分的に基づいて前記アップリンク送信を生成するための手段と、
前記アップリンク共有チャネルの前記複数のＲＥ中で前記アップリンク送信を送信するための手段と
を備える、装置。
【請求項３７】
割振り上限パラメータを示す無線リソース制御（ＲＲＣ）シグナリングを受信するための手段と、
前記割振り上限パラメータに少なくとも部分的に基づいて、前記ＨＡＲＱ−ＡＣＫデータに割り振るための前記複数のＲＥの最大数を設定するための手段と
をさらに備える、請求項３６に記載の装置。
【請求項３８】
前記最大数に少なくとも部分的に基づいて、前記ＨＡＲＱ−ＡＣＫデータに割り振るための前記複数のＲＥのうちのある数を計算するための手段
をさらに備える、請求項３７に記載の装置。
【請求項３９】
前記許可に関連するサブキャリアの数と前記許可に関連するシンボル期間の数とに少なくとも部分的に基づいて、割振りのために利用可能である前記複数のＲＥの総数を決定するための手段
をさらに備える、請求項３６に記載の装置。
【請求項４０】
割振り上限パラメータを示す無線リソース制御（ＲＲＣ）シグナリングを受信するための手段と、
前記割振り上限パラメータに少なくとも部分的に基づいて、前記ＣＳＩパート１データに割り振るための前記複数のＲＥの最大数を設定するための手段と
をさらに備える、請求項３６に記載の装置。
【請求項４１】
前記最大数に少なくとも部分的に基づいて、前記ＣＳＩパート１データに割り振るための前記複数のＲＥのうちのある数を計算するための手段
をさらに備える、請求項４０に記載の装置。
【請求項４２】
前記ＨＡＲＱ−ＡＣＫデータに割り振るために利用可能である前記複数のＲＥの最大数として、割振りのために利用可能である前記複数のＲＥの前記総数を設定するための手段
をさらに備える、請求項３９に記載の装置。
【請求項４３】
前記複数のＲＥの少なくとも前記一部分をスプリットするための前記手段は、
前記複数のＲＥのうちのある数を前記ＨＡＲＱ−ＡＣＫデータに割り振るための手段と、
前記ＨＡＲＱ−ＡＣＫデータに割り振られる前記複数のＲＥのうちの前記数が、割振りのために利用可能である前記複数のＲＥの前記総数よりも少ないことに少なくとも部分的に基づいて、割振りのために利用可能である前記複数のＲＥのうちの残りの数を識別するための手段と、
前記ＣＳＩパート１データと前記ＣＳＩパート２データとの間で前記複数のＲＥのうちの前記残りの数をスプリットするための手段と
をさらに備える、請求項３９に記載の装置。
【請求項４４】
前記複数のＲＥの少なくとも前記一部分をスプリットするための前記手段が、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＨＡＲＱ−ＡＣＫデータの前記重み付けされたペイロードサイズに比例して、前記ＨＡＲＱ−ＡＣＫデータに割り振るための前記複数のＲＥのうちのある数を計算するための手段
をさらに備える、請求項３６に記載の装置。
【請求項４５】
前記複数のＲＥの少なくとも前記一部分をスプリットするための前記手段が、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＣＳＩパート１データの前記重み付けされたペイロードサイズに比例して、前記ＣＳＩパート１データに割り振るための前記複数のＲＥのうちのある数を計算するための手段
をさらに備える、請求項３６に記載の装置。
【請求項４６】
前記複数のＲＥの少なくとも前記一部分をスプリットするための前記手段が、
前記ＨＡＲＱ−ＡＣＫデータのための重み付け係数と、前記ＣＳＩパート１データのための重み付け係数と、前記ＣＳＩパート２データのための重み付け係数とを示す無線リソース制御（ＲＲＣ）シグナリングを受信するための手段と、
前記ＨＡＲＱ−ＡＣＫデータのための前記重み付け係数に少なくとも部分的に基づいて前記ＨＡＲＱ−ＡＣＫデータの重み付けされたペイロードサイズと、前記ＣＳＩパート１データのための前記重み付け係数に少なくとも部分的に基づいて前記ＣＳＩパート１データの重み付けされたペイロードサイズと、前記ＣＳＩパート２データのための前記重み付け係数に少なくとも部分的に基づいて基準ペイロードサイズの重み付けされたペイロードサイズとを決定するための手段と
をさらに備える、請求項３６に記載の装置。
【請求項４７】
前記複数のＲＥの少なくとも前記一部分をスプリットするための前記手段が、
前記ＨＡＲＱ−ＡＣＫデータに割り振られる前記複数のＲＥのうちのある数と前記ＣＳＩパート１データに割り振られる前記複数のＲＥのうちのある数とに少なくとも部分的に基づいて、前記ＣＳＩパート２データに割り振るための前記複数のＲＥのうちのある数を計算するための手段
をさらに備える、請求項３６に記載の装置。
【請求項４８】
前記複数のＲＥの少なくとも前記一部分をスプリットするための前記手段が、
基準ペイロードサイズの重み付けされたペイロードサイズに対する前記ＨＡＲＱ−ＡＣＫデータの重み付けされたペイロードサイズに比例して、前記ＨＡＲＱ−ＡＣＫデータに割り振るための前記複数のＲＥのうちのある数を計算するための手段
をさらに備える、請求項３６に記載の装置。
【請求項４９】
前記複数のＲＥの少なくとも前記一部分をスプリットするための前記手段が、
基準ペイロードサイズの重み付けされたペイロードサイズに対する前記ＣＳＩパート１データの重み付けされたペイロードサイズに比例して、前記ＣＳＩパート１データに割り振るための前記複数のＲＥのうちのある数を計算するための手段
をさらに備える、請求項３６に記載の装置。
【請求項５０】
ランク指示の値に少なくとも部分的に基づいて基準ペイロードサイズを決定するための手段
をさらに備える、請求項３６に記載の装置。
【請求項５１】
前記複数のＲＥのうちのいずれもアップリンクデータの送信のために割り振られず、前記複数のＲＥの各々が、前記ＨＡＲＱ−ＡＣＫデータ、または前記ＣＳＩパート１データ、または前記ＣＳＩパート２データの送信のために割り振られると決定するために前記許可を処理するための手段
をさらに備える、請求項３６に記載の装置。
【請求項５２】
前記アップリンク送信が非アクセス層データを含むべきであり、アクセス層データを含むべきでないと決定するために前記許可を処理するための手段
をさらに備える、請求項３６に記載の装置。
【請求項５３】
前記複数のＲＥの少なくとも前記一部分をスプリットするための前記手段が、
前記ＣＳＩパート２データの基準ペイロードサイズに少なくとも部分的に基づいて、前記ＨＡＲＱ−ＡＣＫデータと前記ＣＳＩパート１データと前記ＣＳＩパート２データとアップリンクデータとの間で前記複数のＲＥの少なくとも前記一部分をスプリットするための手段
をさらに備える、請求項３６に記載の装置。
【請求項５４】
基地局によるワイヤレス通信のための装置であって、
アップリンク送信のためにユーザ機器（ＵＥ）に割り振られるアップリンク共有チャネルの複数のリソース要素（ＲＥ）を示す許可を送信するための手段と、
ハイブリッド自動再送要求肯定応答（ＨＡＲＱ−ＡＣＫ）データとチャネル状態情報パート１（ＣＳＩパート１）データとＣＳＩパート２データとの間で前記複数のＲＥの少なくとも一部分をスプリットするための手段と、
前記スプリットすることに少なくとも部分的に基づいて、前記アップリンク送信のための前記アップリンク共有チャネルの前記複数のＲＥを監視するための手段と
を備える、装置。
【請求項５５】
割振り上限パラメータを示す無線リソース制御（ＲＲＣ）シグナリングを送信するための手段
をさらに備える、請求項５４に記載の装置。
【請求項５６】
前記複数のＲＥの少なくとも前記一部分をスプリットするための前記手段が、
前記割振り上限パラメータに少なくとも部分的に基づいて、前記ＨＡＲＱ−ＡＣＫデータに割り振るために利用可能な前記複数のＲＥの最大数を設定するための手段
をさらに備える、請求項５５に記載の装置。
【請求項５７】
前記複数のＲＥの少なくとも前記一部分をスプリットするための前記手段が、
前記ＨＡＲＱ−ＡＣＫデータに割り振るために利用可能な前記複数のＲＥの前記最大数に少なくとも部分的に基づいて、前記ＨＡＲＱ−ＡＣＫデータに割り振られる前記複数のＲＥのうちのある数を計算するための手段
をさらに備える、請求項５６に記載の装置。
【請求項５８】
前記許可に関連するサブキャリアの数と前記許可に関連するシンボル期間の数とに少なくとも部分的に基づいて、割振りのために利用可能である前記複数のＲＥの総数を決定するための手段
をさらに備える、請求項５４に記載の装置。
【請求項５９】
前記複数のＲＥの少なくとも前記一部分をスプリットするための前記手段が、
前記割振り上限パラメータに少なくとも部分的に基づいて、前記ＣＳＩパート１データに割り振るために利用可能な前記複数のＲＥの最大数を設定するための手段
をさらに備える、請求項５５に記載の装置。
【請求項６０】
前記複数のＲＥの少なくとも前記一部分をスプリットするための前記手段が、
前記ＣＳＩパート１データに割り振るために利用可能な前記複数のＲＥの前記最大数に少なくとも部分的に基づいて、前記ＣＳＩパート１データに割り振られる前記複数のＲＥのうちのある数を計算するための手段
をさらに備える、請求項５９に記載の装置。
【請求項６１】
前記複数のＲＥの少なくとも前記一部分をスプリットするための前記手段が、
割振りのために利用可能である前記複数のＲＥの前記総数に少なくとも部分的に基づいて、前記ＨＡＲＱ−ＡＣＫデータと前記ＣＳＩパート１データと前記ＣＳＩパート２データとの間で前記複数のＲＥの少なくとも前記一部分をスプリットするための手段
をさらに備える、請求項５８に記載の装置。
【請求項６２】
割振りのために利用可能である前記複数のＲＥの前記総数が、少なくとも１つの基準信号に割り当てられる前記複数のＲＥのうちのＲＥを除外する、請求項５８に記載の装置。
【請求項６３】
前記許可を送信するための前記手段は、
前記複数のＲＥの前記総数のうちのいずれもアップリンクデータの送信のために割り振られず、前記複数のＲＥの総数の各々が、前記ＨＡＲＱ−ＡＣＫデータ、前記ＣＳＩパート１データ、または前記ＣＳＩパート２データの送信のために割り振られることを示すために前記許可を生成するための手段
をさらに備える、請求項５８に記載の装置。
【請求項６４】
前記複数のＲＥの少なくとも前記一部分をスプリットするための前記手段が、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＨＡＲＱ−ＡＣＫデータの前記重み付けされたペイロードサイズに比例して、前記ＨＡＲＱ−ＡＣＫデータに割り振られる前記複数のＲＥのうちのある数を計算するための手段
をさらに備える、請求項５４に記載の装置。
【請求項６５】
前記複数のＲＥの少なくとも前記一部分をスプリットするための前記手段が、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＣＳＩパート１データの前記重み付けされたペイロードサイズに比例して、前記ＣＳＩパート１データに割り振られる前記複数のＲＥのうちのある数を計算するための手段
をさらに備える、請求項５４に記載の装置。
【請求項６６】
前記複数のＲＥの少なくとも前記一部分をスプリットするための前記手段が、
前記ＨＡＲＱ−ＡＣＫデータのための重み付け係数と、前記ＣＳＩパート１データのための重み付け係数と、前記ＣＳＩパート２データのための重み付け係数とを示す無線リソース制御（ＲＲＣ）シグナリングを送信するための手段と、
前記ＨＡＲＱ−ＡＣＫデータのための前記重み付け係数に少なくとも部分的に基づいて前記ＨＡＲＱ−ＡＣＫデータの重み付けされたペイロードサイズと、前記ＣＳＩパート１データのための前記重み付け係数に少なくとも部分的に基づいて前記ＣＳＩパート１データの重み付けされたペイロードサイズと、前記ＣＳＩパート２データのための前記重み付け係数に少なくとも部分的に基づいて基準ペイロードサイズの重み付けされたペイロードサイズとを決定するための手段と
をさらに備える、請求項５４に記載の装置。
【請求項６７】
前記複数のＲＥの少なくとも前記一部分をスプリットするための前記手段が、
前記ＨＡＲＱ−ＡＣＫデータに割り振られる前記複数のＲＥのうちのある数と前記ＣＳＩパート１データに割り振られる前記複数のＲＥのうちのある数とに少なくとも部分的に基づいて、前記ＣＳＩパート２データに割り振られる前記複数のＲＥのうちのある数を計算する
をさらに備える、請求項５４に記載の装置。
【請求項６８】
前記許可を送信するための前記手段は、
前記アップリンク送信が非アクセス層データを含むべきであり、アクセス層データを含むべきでないことを示すために前記許可を生成するための手段
をさらに備える、請求項５８に記載の装置。
【請求項６９】
ランク指示の値に少なくとも部分的に基づいて基準ペイロードサイズを決定するための手段
をさらに備える、請求項５４に記載の装置。
【請求項７０】
前記複数のＲＥの少なくとも前記一部分をスプリットするための前記手段が、
前記ＣＳＩパート２データの基準ペイロードサイズに少なくとも部分的に基づいて、前記ＨＡＲＱ−ＡＣＫデータと前記ＣＳＩパート１データと前記ＣＳＩパート２データとアップリンクデータとの間で前記複数のＲＥの少なくとも前記一部分をスプリットするための手段
をさらに備える、請求項５４に記載の装置。
【請求項７１】
ユーザ機器（ＵＥ）によるワイヤレス通信のための装置であって、
プロセッサと、
前記プロセッサと電子通信しているメモリと、
前記メモリに記憶された命令とを備え、前記命令が、前記装置に、
アップリンク送信のために前記ＵＥに割り振られるアップリンク共有チャネルの複数のリソース要素（ＲＥ）を示す許可を受信することと、
ハイブリッド自動再送要求肯定応答（ＨＡＲＱ−ＡＣＫ）データとチャネル状態情報パート１（ＣＳＩパート１）データとＣＳＩパート２データとの間で前記複数のＲＥの少なくとも一部分をスプリットすることと、
前記スプリットすることに少なくとも部分的に基づいて前記アップリンク送信を生成することと、
前記アップリンク共有チャネルの前記複数のＲＥ中で前記アップリンク送信を送信することと
を行わせるために前記プロセッサによって実行可能である、装置。
【請求項７２】
基地局によるワイヤレス通信のための装置であって、
プロセッサと、
前記プロセッサと電子通信しているメモリと、
前記メモリに記憶された命令とを備え、前記命令が、前記装置に、
アップリンク送信のためにユーザ機器（ＵＥ）に割り振られるアップリンク共有チャネルの複数のリソース要素（ＲＥ）を示す許可を送信することと、
ハイブリッド自動再送要求肯定応答（ＨＡＲＱ−ＡＣＫ）データとチャネル状態情報パート１（ＣＳＩパート１）データとＣＳＩパート２データとの間で前記複数のＲＥの少なくとも一部分をスプリットすることと、
前記スプリットすることに少なくとも部分的に基づいて、前記アップリンク送信のための前記アップリンク共有チャネルの前記複数のＲＥを監視することと
を行わせるために前記プロセッサによって実行可能である、装置。
【請求項７３】
ユーザ機器（ＵＥ）によるワイヤレス通信のためのコードを記憶する非一時的コンピュータ可読媒体であって、前記コードが、
アップリンク送信のために前記ＵＥに割り振られるアップリンク共有チャネルの複数のＲＥを示す許可を受信することと、
ハイブリッド自動再送要求肯定応答（ＨＡＲＱ−ＡＣＫ）データとチャネル状態情報パート１（ＣＳＩパート１）データとＣＳＩパート２データとの間で前記複数のＲＥの少なくとも一部分をスプリットすることと、
前記スプリットすることに少なくとも部分的に基づいて前記アップリンク送信を生成することと、
前記アップリンク共有チャネルの前記複数のＲＥ中で前記アップリンク送信を送信することと
を行うためにプロセッサによって実行可能な命令を備える、非一時的コンピュータ可読媒体。
【請求項７４】
基地局によるワイヤレス通信のためのコードを記憶する非一時的コンピュータ可読媒体であって、前記コードが、
アップリンク送信のためにユーザ機器（ＵＥ）に割り振られるアップリンク共有チャネルの複数のリソース要素（ＲＥ）を示す許可を送信することと、
ハイブリッド自動再送要求肯定応答（ＨＡＲＱ−ＡＣＫ）データとチャネル状態情報パート１（ＣＳＩパート１）データとＣＳＩパート２データとの間で前記複数のＲＥの少なくとも一部分をスプリットすることと、
前記スプリットすることに少なくとも部分的に基づいて、前記アップリンク送信のための前記アップリンク共有チャネルの前記複数のＲＥを監視することと
を行うためにプロセッサによって実行可能な命令を備える、非一時的コンピュータ可読媒体。
【発明の詳細な説明】
【技術分野】
【０００１】
相互参照
[0001]  本特許出願は、各々が本出願の譲受人に譲渡され、本明細書に明確に組み込まれる、２０１９年１月１７日に出願された、「Resource Splitting Among Different Types of Control Information and Uplink Data for a Transmission on an Uplink Shared Channel」と題する、Ｈｕａｎｇらによる米国特許出願第１６／２５０，６９１号の、および２０１８年１月１９日に出願された、「Resource Splitting Among Different Types of Control Information and Uplink Data for a Transmission on an Uplink Shared Channel」と題する、Ｈｕａｎｇらによる米国仮特許出願第６２／６１９，６４８号への利益を主張する。
【０００２】
[0002]  以下は、一般にワイヤレス通信（wireless communication）に関し、より詳細には、アップリンク共有チャネル（uplink shared channel）上での送信のための異なるタイプの制御情報（control information）およびアップリンクデータ（uplink data）の間のリソーススプリッティング（resource splitting）に関する。
【背景技術】
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例は、ロングタームエボリューション（ＬＴＥ（登録商標））システム、ＬＴＥアドバンスト（ＬＴＥ−Ａ）システム、またはＬＴＥ−Ａ  Ｐｒｏシステムなどの第４世代（４Ｇ）システム、および新しい無線（ＮＲ：New Radio）システムと呼ばれることがある第５世代（５Ｇ）システムを含む。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または離散フーリエ変換（ＤＦＴ）拡散直交周波数分割多重（ＯＦＤＭ）（ＤＦＴ−Ｓ−ＯＦＤＭ）などの技術を採用し得る。ワイヤレス多元接続通信システムは、場合によってはユーザ機器（ＵＥ：user equipment）として知られていることがある、複数の通信デバイスのための通信を各々が同時にサポートする、いくつかの基地局（base station）またはネットワークアクセスノードを含み得る。
【０００４】
[0004]  ＵＥは、ワイヤレスチャネル上での通信を管理するためにワイヤレスチャネルの状態および他の制御情報についてサービング基地局に通知するために、アップリンク制御情報（ＵＣＩ：uplink control information）を送り得る。ＵＣＩは、ハイブリッド自動再送要求（ＨＡＲＱ：hybrid automatic repeat request）データ、チャネル状態情報（ＣＳＩ：channel state information）など、異なるタイプの情報を含み得る。一般的なシナリオでは、ＵＥは、制御チャネル（たとえば、物理アップリンク制御チャネル（ＰＵＣＣＨ：physical uplink control channel））内で送られる送信内でＵＣＩを送信する。いくつかの場合には、ＵＥは、共有データチャネル（たとえば、物理アップリンク共有チャネル（ＰＵＳＣＨ：physical uplink shared channel））中でＵＣＩを送信し得る。アップリンク共有チャネル中で、制御情報を送信することは、本明細書ではピギーバッキング（piggybacking）と呼ばれることがある。
【０００５】
[0005]  従来のシステムでは、基地局は、ＰＵＳＣＨ送信にピギーバックされたＵＣＩを送るためのＰＵＳＣＨのリソース（resource）をＵＥに割り振る許可（grant）を送り得る。ＰＵＳＣＨ送信にピギーバックされた異なるタイプのＵＣＩの間でＰＵＳＣＨの許可されたリソースを割り振る（allocate）ための従来の技法は、非効率的である。
【発明の概要】
【０００６】
[0006]  説明される技法は、アップリンク共有チャネル上でのアップリンク送信（uplink transmission）のために異なるタイプの制御情報およびアップリンクデータの間でリソースをスプリット（split）することをサポートする改善された方法、システム、デバイス、または装置に関する。概して、説明される技法は、異なるタイプの制御情報およびアップリンクデータ間でアップリンク送信のリソース要素（ＲＥ：resource element）をスプリットする。ある例では、スプリットすることは、異なるタイプの制御情報およびアップリンクデータ間での割り振られるＲＥの改善された分配に関し、割り振られるＲＥの全体が単一のＵＣＩタイプに割り振られる確率を低減し得る。いくつかの例では、ＲＥをスプリットすることは、基準ペイロードサイズ（reference payload size）に従い得る。
【０００７】
[0007]  一例では、基地局は、アップリンク送信のためにＵＥに割り振られるアップリンク共有チャネルのＲＥのセットを示す許可を送信し得る。ＵＥは、アップリンク共有チャネル内で送られるアップリンク送信において、フィードバックデータ（たとえば、ハイブリッド自動再送要求肯定応答（ＨＡＲＱ−ＡＣＫ：hybrid automatic repeat request acknowledgement）、チャネル状態情報パート１（ＣＳＩパート１）データ、およびＣＳＩパート２データなどの異なるタイプのＵＣＩ、ならびに、アップリンク共有チャネル（ＵＬ−ＳＣＨ：uplink shared channel）データなどのアップリンクデータを送るために割振り（allocation）を使用し得る。ＵＥは、許可を処理し、異なるタイプのＵＣＩデータおよび随意にＵＬ−ＳＣＨデータ間で、許可されたＲＥをスプリットし得る。一例では、ＲＥは、ＨＡＲＱ−ＡＣＫデータとＣＳＩパート１データとＣＳＩパート２データと随意にＵＬ−ＳＣＨデータとの間でスプリットされ得る。スプリッティングの一部として、ＵＥは、ＨＡＲＱ−ＡＣＫデータに割り振るためのＲＥの数、ＣＳＩパート１データに割り振るためのＲＥの数、ＣＳＩパート２データに割り振るためのＲＥの数、および随意にＵＬ−ＳＣＨデータに割り振るためのＲＥの数を計算（calculate）し得、ここで、ＨＡＲＱ−ＡＣＫデータ、ＣＳＩパート１データ、ＣＳＩパート２データ、および随意にＵＬ−ＳＣＨデータの各々は、別個のＲＥを割り振られる。
【０００８】
[0008]  ＲＥをどのようにスプリットするかの計算は、ＨＡＲＱ−ＡＣＫデータ、ＣＳＩパート１データ、ＣＳＩパート２データ、および随意にＵＬ−ＳＣＨデータのペイロードサイズ（payload size）をそれぞれ重み付けするための、基地局によって動的にシグナリングされる重み付け係数（weighting factor）に基づき得る。重み付け係数は、互いに対して異なるタイプのＵＣＩおよび随意にＵＬ−ＳＣＨの優先度（priority）を制御するために使用され得る。いくつかの例では、基準ペイロードサイズは、ＣＳＩパート２データがアップリンク送信内の固定サイズのペイロードを有するべきであるという指示であり得、基準ペイロードサイズは、ＲＥのすべてが、ＨＡＲＱ−ＡＣＫデータなど、ＵＣＩタイプのうちの特定のものに割り振られる可能性を低減し得る。ＵＥは、次いで、スプリッティングに基づいてアップリンク送信を生成（generate）し得、許可中で示されたアップリンク共有チャネルのＲＥ中でアップリンク送信を送信し得る。
【０００９】
[0009]  基地局は、ＵＥによって適用されるものと同じ計算を使用して、ＨＡＲＱ−ＡＣＫデータとＣＳＩパート１データとＣＳＩパート２データと随意にＵＬ−ＳＣＨとの間でのＲＥのスプリッティングを決定し得る。基地局は、複数のＲＥのスプリッティングに従って、アップリンク送信のための許可中で示されたアップリンク共有チャネルのＲＥを監視（monitor）し得る。いくつかの例では、基準ペイロードサイズは、異なるタイプの制御情報および随意にＵＬ−ＳＣＨデータ間での割り振られるＲＥの改善された分配を与え、許可されたＲＥの全体が単一のＵＣＩタイプに割り振られる確率を低減し得る。
【００１０】
[0010]  ワイヤレス通信の方法が説明される。本方法は、ＵＥによって、アップリンク送信のためにＵＥに割り振られるアップリンク共有チャネルの複数のＲＥを示す許可を受信することと、ＨＡＲＱ−ＡＣＫデータとＣＳＩパート１データとＣＳＩパート２データとの間で複数のＲＥの少なくとも一部分をスプリットすることと、スプリットすることに少なくとも部分的に基づいてアップリンク送信を生成することと、ＵＥによって、アップリンク共有チャネルの複数のＲＥ中でアップリンク送信を送信することとを含み得る。
【００１１】
[0011]  ワイヤレス通信のための別の装置が説明される。本装置は、プロセッサと、プロセッサと電子通信しているメモリと、メモリに記憶された命令とを含み得る。命令は、プロセッサに、ＵＥによって、アップリンク送信のためにＵＥに割り振られるアップリンク共有チャネルの複数のＲＥを示す許可を受信することと、ＨＡＲＱ−ＡＣＫデータとＣＳＩパート１データとＣＳＩパート２データとの間で複数のＲＥの少なくとも一部分をスプリットすることと、スプリットすることに少なくとも部分的に基づいてアップリンク送信を生成することと、ＵＥによって、アップリンク共有チャネルの複数のＲＥ中でアップリンク送信を送信することとを行わせるように動作可能であり得る。
【００１２】
[0012]  ワイヤレス通信のための装置が説明される。本装置は、ＵＥによって、アップリンク送信のためにＵＥに割り振られるアップリンク共有チャネルの複数のＲＥを示す許可を受信するための手段と、ＨＡＲＱ−ＡＣＫデータとＣＳＩパート１データとＣＳＩパート２データとの間で複数のＲＥの少なくとも一部分をスプリットするための手段と、スプリットすることに少なくとも部分的に基づいてアップリンク送信を生成するための手段と、ＵＥによって、アップリンク共有チャネルの複数のＲＥ中でアップリンク送信を送信するための手段とを含み得る。
【００１３】
[0013]  ワイヤレス通信のための非一時的コンピュータ可読媒体（non-transitory computer-readable medium）が説明される。本非一時的コンピュータ可読媒体は、プロセッサに、ＵＥによって、アップリンク送信のためにＵＥに割り振られるアップリンク共有チャネルの複数のＲＥを示す許可を受信することと、ＨＡＲＱ−ＡＣＫデータとＣＳＩパート１データとＣＳＩパート２データとの間で複数のＲＥの少なくとも一部分をスプリットすることと、スプリットすることに少なくとも部分的に基づいてアップリンク送信を生成することと、ＵＥによって、アップリンク共有チャネルの複数のＲＥ中でアップリンク送信を送信することとを行わせるように動作可能な命令を含み得る。
【００１４】
[0014]  上記で説明された方法、装置、および非一時的コンピュータ可読媒体のいくつかの例は、割振り上限パラメータ（allocation cap parameter）を示す無線リソース制御（ＲＲＣ：radio resource control）シグナリング（signaling）を受信するためのプロセス、特徴、手段、または命令をさらに含み得る。上記で説明された方法、装置、および非一時的コンピュータ可読媒体のいくつかの例は、割振り上限パラメータに少なくとも部分的に基づいて、ＨＡＲＱ−ＡＣＫデータに割り振るための複数のＲＥの最大数（maximum number）を設定するためのプロセス、特徴、手段、または命令をさらに含み得る。
【００１５】
[0015]  上記で説明された方法、装置、および非一時的コンピュータ可読媒体のいくつかの例は、最大数に少なくとも部分的に基づき得る、ＨＡＲＱ−ＡＣＫデータに割り振るための複数のＲＥのうちのある数（a number of the plurality of REs）を計算するためのプロセス、特徴、手段、または命令をさらに含み得る。
【００１６】
[0016]  上記で説明された方法、装置、および非一時的コンピュータ可読媒体のいくつかの例は、割振り上限パラメータを示すＲＲＣシグナリングを受信するためのプロセス、特徴、手段、または命令をさらに含み得る。上記で説明された方法、装置、および非一時的コンピュータ可読媒体のいくつかの例は、割振り上限パラメータに少なくとも部分的に基づいて、ＣＳＩパート１データに割り振るための複数のＲＥの最大数を設定するためのプロセス、特徴、手段、または命令をさらに含み得る。
【００１７】
[0017]  上記で説明された方法、装置、および非一時的コンピュータ可読媒体のいくつかの例は、最大数に少なくとも部分的に基づいて、ＣＳＩパート１データに割り振るための複数のＲＥのうちの数を計算するためのプロセス、特徴、手段、または命令をさらに含み得る。
【００１８】
[0018]  上記で説明された方法、装置、および非一時的コンピュータ可読媒体のいくつかの例は、許可に関連するサブキャリアの数（a number of subcarriers）と許可に関連するシンボル期間の数（a number of symbol periods）とに少なくとも部分的に基づいて、割振りのために利用可能であり得る複数のＲＥの総数（a total number of the plurality of REs）を決定するためのプロセス、特徴、手段、または命令をさらに含み得る。
【００１９】
[0019]  上記で説明された方法、装置、および非一時的コンピュータ可読媒体のいくつかの例は、ＨＡＲＱ−ＡＣＫデータに割り振るために利用可能であり得る複数のＲＥの最大数として、割振りのために利用可能であり得る複数のＲＥの総数を設定するためのプロセス、特徴、手段、または命令をさらに含み得る。
【００２０】
[0020]  上記で説明された方法、装置、および非一時的コンピュータ可読媒体のいくつかの例では、複数のＲＥの少なくとも一部分をスプリットすることは、複数のＲＥのうちのある数をＨＡＲＱ−ＡＣＫデータに割り振ることを備える。上記で説明された方法、装置、および非一時的コンピュータ可読媒体のいくつかの例は、ＨＡＲＱ−ＡＣＫデータに割り振られる複数のＲＥのうちの数が、割振りのために利用可能であり得る複数のＲＥの総数よりも少なくなり得ると決定したことに少なくとも部分的に基づいて、割振りのために利用可能であり得る複数のＲＥのうちの残りの数（a remaining number）を識別（identify）するためのプロセス、特徴、手段、または命令をさらに含み得る。上記で説明された方法、装置、および非一時的コンピュータ可読媒体のいくつかの例は、ＣＳＩパート１データとＣＳＩパート２データとの間で複数のＲＥのうちの残りの数をスプリットするためのプロセス、特徴、手段、または命令をさらに含み得る。
【００２１】
[0021]  上記で説明された方法、装置、および非一時的コンピュータ可読媒体のいくつかの例では、複数のＲＥの少なくとも一部分をスプリットすることは、ＨＡＲＱ−ＡＣＫデータの重み付けされたペイロードサイズ（weighted payload size）、ＣＳＩパート１データの重み付けされたペイロードサイズ、および／または基準ペイロードサイズの重み付けされたペイロードサイズの関数に対するＨＡＲＱ−ＡＣＫデータの重み付けされたペイロードサイズに比例して、ＨＡＲＱ−ＡＣＫデータに割り振るための複数のＲＥのうちのある数を計算することを備える。
【００２２】
[0022]  上記で説明された方法、装置、および非一時的コンピュータ可読媒体のいくつかの例では、複数のＲＥの少なくとも一部分をスプリットすることは、ＨＡＲＱ−ＡＣＫデータの重み付けされたペイロードサイズ、ＣＳＩパート１データの重み付けされたペイロードサイズ、および／または基準ペイロードサイズの重み付けされたペイロードサイズの関数に対するＣＳＩパート１データの重み付けされたペイロードサイズに比例して、ＣＳＩパート１データに割り振るための複数のＲＥのうちのある数を計算することを備える。
【００２３】
[0023]  上記で説明された方法、装置、および非一時的コンピュータ可読媒体のいくつかの例では、複数のＲＥの少なくとも一部分をスプリットすることは、ＨＡＲＱ−ＡＣＫデータのための重み付け係数と、ＣＳＩパート１データのための重み付け係数と、ＣＳＩパート２データのための重み付け係数とを示すＲＲＣシグナリングを受信することを備える。上記で説明された方法、装置、および非一時的コンピュータ可読媒体のいくつかの例は、ＨＡＲＱ−ＡＣＫデータのための重み付け係数に少なくとも部分的に基づいてＨＡＲＱ−ＡＣＫデータの重み付けされたペイロードサイズを決定し、ＣＳＩパート１データのための重み付け係数に少なくとも部分的に基づいてＣＳＩパート１データの重み付けされたペイロードサイズを決定し、ＣＳＩパート２データのための重み付け係数に少なくとも部分的に基づいて基準ペイロードサイズの重み付けされたペイロードサイズを決定するためのプロセス、特徴、手段、または命令をさらに含み得る。
【００２４】
[0024]  上記で説明された方法、装置、および非一時的コンピュータ可読媒体のいくつかの例では、複数のＲＥの少なくとも一部分をスプリットすることは、ＨＡＲＱ−ＡＣＫデータに割り振られる複数のＲＥのうちのある数とＣＳＩパート１データに割り振られる複数のＲＥのうちのある数とに少なくとも部分的に基づいて、ＣＳＩパート２データに割り振るための複数のＲＥのうちのある数を計算することを備える。
【００２５】
[0025]  上記で説明された方法、装置、および非一時的コンピュータ可読媒体のいくつかの例では、複数のＲＥの少なくとも一部分をスプリットすることは、基準ペイロードサイズの重み付けされたペイロードサイズに対するＨＡＲＱ−ＡＣＫデータの重み付けされたペイロードサイズに比例して、ＨＡＲＱ−ＡＣＫデータに割り振るための複数のＲＥのうちのある数を計算することを含む。
【００２６】
[0026]  上記で説明された方法、装置、および非一時的コンピュータ可読媒体のいくつかの例では、複数のＲＥの少なくとも一部分をスプリットすることは、基準ペイロードサイズの重み付けされたペイロードサイズに対するＣＳＩパート１データの重み付けされたペイロードサイズに比例して、ＣＳＩパート１データに割り振るための複数のＲＥのうちのある数を計算することを含む。
【００２７】
[0027]  上記で説明された方法、装置、および非一時的コンピュータ可読媒体のいくつかの例は、ランク指示（rank indication）の値に少なくとも部分的に基づいて基準ペイロードサイズを決定するためのプロセス、特徴、手段、または命令をさらに含み得る。
【００２８】
[0028]  上記で説明された方法、装置、および非一時的コンピュータ可読媒体のいくつかの例は、複数のＲＥのうちのいずれもアップリンクデータの送信のために割り振られないことがあり、複数のＲＥの各々が、ＨＡＲＱ−ＡＣＫデータ、またはＣＳＩパート１データ、またはＣＳＩパート２データの送信のために割り振られ得ると決定するために許可を処理するためのプロセス、特徴、手段、または命令をさらに含み得る。
【００２９】
[0029]  上記で説明された方法、装置、および非一時的コンピュータ可読媒体のいくつかの例は、アップリンク送信が非アクセス層データ（non-access stratum data）を含むべきであることがあり、アクセス層データ（access stratum data）を含むべきでないことがあると決定するために許可を処理するためのプロセス、特徴、手段、または命令をさらに含み得る。
【００３０】
[0030]  上記で説明された方法、装置、および非一時的コンピュータ可読媒体のいくつかの例では、複数のＲＥの少なくとも一部分をスプリットすることは、ＨＡＲＱ−ＡＣＫデータとＣＳＩパート１データとＣＳＩパート２データとアップリンクデータとの間で複数のＲＥをスプリットすることをさらに備える。いくつかの例では、スプリットすることは、ＣＳＩパート２データの基準ペイロードサイズに少なくとも部分的に基づき得る。
【００３１】
[0031]  ワイヤレス通信の方法が説明される。本方法は、基地局によって、アップリンク送信のためにＵＥに割り振られるアップリンク共有チャネルの複数のＲＥを示す許可を送信することと、ＨＡＲＱ−ＡＣＫデータとＣＳＩパート１データとＣＳＩパート２データとの間で複数のＲＥの少なくとも一部分をスプリットすることと、スプリットすることに少なくとも部分的に基づいて、アップリンク送信のためのアップリンク共有チャネルの複数のＲＥを監視することとを含み得る。
【００３２】
[0032]  ワイヤレス通信のための装置が説明される。本装置は、基地局によって、アップリンク送信のためにＵＥに割り振られるアップリンク共有チャネルの複数のＲＥを示す許可を送信するための手段と、ＨＡＲＱ−ＡＣＫデータとＣＳＩパート１データとＣＳＩパート２データとの間で複数のＲＥの少なくとも一部分をスプリットするための手段と、スプリットすることに少なくとも部分的に基づいて、アップリンク送信のためのアップリンク共有チャネルの複数のｒ  ＲＥを監視するための手段とを含み得る。
【００３３】
[0033]  ワイヤレス通信のための別の装置が説明される。本装置は、プロセッサと、プロセッサと電子通信しているメモリと、メモリに記憶された命令とを含み得る。命令は、プロセッサに、基地局によって、アップリンク送信のためにＵＥに割り振られるアップリンク共有チャネルの複数のＲＥを示す許可を送信することと、ＨＡＲＱ−ＡＣＫデータとＣＳＩパート１データとＣＳＩパート２データとの間で複数のＲＥの少なくとも一部分をスプリットすることと、スプリットすることに少なくとも部分的に基づいて、アップリンク送信のためのアップリンク共有チャネルの複数のＲＥを監視することとを行わせるように動作可能であり得る。
【００３４】
[0034]  ワイヤレス通信のための非一時的コンピュータ可読媒体が説明される。本非一時的コンピュータ可読媒体は、プロセッサに、基地局によって、アップリンク送信のためにＵＥに割り振られるアップリンク共有チャネルの複数のＲＥを示す許可を送信することと、ＨＡＲＱ−ＡＣＫデータとＣＳＩパート１データとＣＳＩパート２データとの間で複数のＲＥの少なくとも一部分をスプリットすることと、スプリットすることに少なくとも部分的に基づいて、アップリンク送信のためのアップリンク共有チャネルの複数のＲＥを監視することとを行わせるように動作可能な命令を含み得る。
【００３５】
[0035]  上記で説明された方法、装置、および非一時的コンピュータ可読媒体のいくつかの例は、第１の割振り上限パラメータを示すＲＲＣシグナリングを送信するためのプロセス、特徴、手段、または命令をさらに含み得る。
【００３６】
[0036]  上記で説明された方法、装置、および非一時的コンピュータ可読媒体のいくつかの例は、第１の割振り上限パラメータに少なくとも部分的に基づいて、ＨＡＲＱ−ＡＣＫデータに割り振るために利用可能な複数のＲＥの最大数を設定することをさらに含み得る。
【００３７】
[0037]  上記で説明された方法、装置、および非一時的コンピュータ可読媒体のいくつかの例は、ＨＡＲＱ−ＡＣＫデータに割り振るために利用可能な複数のＲＥの最大数に少なくとも部分的に基づいて、ＨＡＲＱ−ＡＣＫデータに割り振られる複数のＲＥのうちのある数を計算することをさらに含み得る。
【００３８】
[0038]  上記で説明された方法、装置、および非一時的コンピュータ可読媒体のいくつかの例では、複数のＲＥの少なくとも一部分をスプリットすることは、第１の割振り上限パラメータに少なくとも部分的に基づいて、ＣＳＩパート１データに割り振るために利用可能な複数のＲＥの最大数を設定することを含み得る。
【００３９】
[0039]  上記で説明された方法、装置、および非一時的コンピュータ可読媒体のいくつかの例では、複数のＲＥの少なくとも一部分をスプリットすることは、ＣＳＩパート１データに割り振るために利用可能な複数のＲＥの最大数に少なくとも部分的に基づいて、ＣＳＩパート１データに割り振られる複数のＲＥのうちのある数を計算することを含み得る。
【００４０】
[0040]  上記で説明された方法、装置、および非一時的コンピュータ可読媒体のいくつかの例は、許可に関連するサブキャリアの数と許可に関連するシンボル期間の数とに少なくとも部分的に基づいて、割振りのために利用可能であり得る複数のＲＥの総数を決定するためのプロセス、特徴、手段、または命令をさらに含み得る。
【００４１】
[0041]  上記で説明された方法、装置、および非一時的コンピュータ可読媒体のいくつかの例では、複数のＲＥの少なくとも一部分をスプリットすることは、割振りのために利用可能であり得る複数のＲＥの総数に少なくとも部分的に基づいて、ＨＡＲＱ−ＡＣＫデータとＣＳＩパート１データとＣＳＩパート２データとの間で複数のＲＥをスプリットすることを含む。
【００４２】
[0042]  上記で説明された方法、装置、および非一時的コンピュータ可読媒体のいくつかの例では、割振りのために利用可能であり得る複数のＲＥの総数は、少なくとも１つの基準信号に割り当てられる複数のＲＥのうちのＲＥを除外する。
【００４３】
[0043]  上記で説明された方法、装置、および非一時的コンピュータ可読媒体のいくつかの例では、許可を送信することは、複数のＲＥの総数のうちのいずれもアップリンクデータの送信のために割り振られないことがあり、複数のＲＥの総数の各々が、ＨＡＲＱ−ＡＣＫデータ、ＣＳＩパート１データ、またはＣＳＩパート２データの送信のために割り振られ得ることを示すために許可を生成することをさらに備える。
【００４４】
[0044]  上記で説明された方法、装置、および非一時的コンピュータ可読媒体のいくつかの例では、許可を送信することは、アップリンク送信が非アクセス層データを含むべきであることがあり、アクセス層データを含むべきでないことがあることを示すために許可を生成することをさらに備える。
【００４５】
[0045]  上記で説明された方法、装置、および非一時的コンピュータ可読媒体のいくつかの例では、複数のＲＥの少なくとも一部分をスプリットすることは、ＨＡＲＱ−ＡＣＫデータの重み付けされたペイロードサイズ、ＣＳＩパート１データの重み付けされたペイロードサイズ、および基準ペイロードサイズの重み付けされたペイロードサイズの関数に対するＨＡＲＱ−ＡＣＫデータの重み付けされたペイロードサイズに比例して、ＨＡＲＱ−ＡＣＫデータに割り振られる複数のＲＥのうちのある数を計算することを備える。
【００４６】
[0046]  上記で説明された方法、装置、および非一時的コンピュータ可読媒体のいくつかの例では、複数のＲＥの少なくとも一部分をスプリットすることは、ＨＡＲＱ−ＡＣＫデータの重み付けされたペイロードサイズ、ＣＳＩパート１データの重み付けされたペイロードサイズ、および基準ペイロードサイズの重み付けされたペイロードサイズの関数に対するＣＳＩパート１データの重み付けされたペイロードサイズに比例して、ＣＳＩパート１データに割り振られる複数のＲＥのうちのある数を計算することを備える。
【００４７】
[0047]  上記で説明された方法、装置、および非一時的コンピュータ可読媒体のいくつかの例では、複数のＲＥをスプリットすることは、ＨＡＲＱ−ＡＣＫデータのための重み付け係数と、ＣＳＩパート１データのための重み付け係数と、ＣＳＩパート２データのための重み付け係数とを示すＲＲＣシグナリングを送信することを備える。上記で説明された方法、装置、および非一時的コンピュータ可読媒体のいくつかの例は、ＨＡＲＱ−ＡＣＫデータのための重み付け係数に少なくとも部分的に基づいてＨＡＲＱ−ＡＣＫデータの重み付けされたペイロードサイズを決定し、ＣＳＩパート１データのための重み付け係数に少なくとも部分的に基づいてＣＳＩパート１データの重み付けされたペイロードサイズを決定し、ＣＳＩパート２データのための重み付け係数に少なくとも部分的に基づいて基準ペイロードサイズの重み付けされたペイロードサイズを決定するためのプロセス、特徴、手段、または命令をさらに含み得る。
【００４８】
[0048]  上記で説明された方法、装置、および非一時的コンピュータ可読媒体のいくつかの例では、複数のＲＥの少なくとも一部分をスプリットすることは、ＨＡＲＱ−ＡＣＫデータに割り振られる複数のＲＥのうちのある数とＣＳＩパート１データに割り振られる複数のＲＥのうちのある数とに少なくとも部分的に基づいて、ＣＳＩパート２データに割り振られる複数のＲＥのうちのある数を計算することを備える。
【００４９】
[0049]  上記で説明された方法、装置、および非一時的コンピュータ可読媒体のいくつかの例は、ランク指示の値に少なくとも部分的に基づいて基準ペイロードサイズを決定するためのプロセス、特徴、手段、または命令をさらに含み得る。
【００５０】
[0050]  上記で説明された方法、装置、および非一時的コンピュータ可読媒体のいくつかの例では、複数のＲＥの少なくとも一部分をスプリットすることは、ＨＡＲＱ−ＡＣＫデータとＣＳＩパート１データとＣＳＩパート２データとアップリンクデータとの間で複数のＲＥをスプリットすることをさらに含む。いくつかの例では、そのようなスプリットすることは、ＣＳＩパート２データの基準ペイロードサイズに少なくとも部分的に基づき得る。
【図面の簡単な説明】
【００５１】
【図１】[0051]  本開示の態様による、アップリンク共有チャネル上での送信のための異なるタイプの制御情報およびアップリンクデータの間のリソーススプリッティングをサポートする、ワイヤレス通信のためのシステムの一例を示す図。
【図２】[0052]  本開示の態様による、アップリンク共有チャネル上での送信のための異なるタイプの制御情報およびアップリンクデータの間のリソーススプリッティングをサポートするワイヤレス通信システムの一例を示す図。
【図３Ａ】[0053]  本開示の態様による、アップリンク共有チャネル上での送信のための異なるタイプの制御情報およびアップリンクデータの間のリソーススプリッティングをサポートする例示的な時間および周波数リソース図の一例を示す図。
【図３Ｂ】本開示の態様による、アップリンク共有チャネル上での送信のための異なるタイプの制御情報およびアップリンクデータの間のリソーススプリッティングをサポートする例示的な時間および周波数リソース図の一例を示す図。
【図４】[0054]  本開示の態様による、アップリンク共有チャネル上での送信のための異なるタイプの制御情報およびアップリンクデータの間のリソーススプリッティングをサポートする例示的な時間および周波数リソース図の一例を示す図。
【図５】[0055]  本開示の態様による、アップリンク共有チャネル上での送信のための異なるタイプの制御情報およびアップリンクデータの間のリソーススプリッティングをサポートするプロセスフローの一例を示す図。
【図６】[0056]  本開示の態様による、アップリンク共有チャネル上での送信のための異なるタイプの制御情報およびアップリンクデータの間のリソーススプリッティングをサポートするデバイスのブロック図。
【図７】本開示の態様による、アップリンク共有チャネル上での送信のための異なるタイプの制御情報およびアップリンクデータの間のリソーススプリッティングをサポートするデバイスのブロック図。
【図８】本開示の態様による、アップリンク共有チャネル上での送信のための異なるタイプの制御情報およびアップリンクデータの間のリソーススプリッティングをサポートするデバイスのブロック図。
【図９】[0057]  本開示の態様による、アップリンク共有チャネル上での送信のための異なるタイプの制御情報およびアップリンクデータの間のリソーススプリッティングをサポートするＵＥを含むシステムのブロック図。
【図１０】[0058]  本開示の態様による、アップリンク共有チャネル上での送信のための異なるタイプの制御情報およびアップリンクデータの間のリソーススプリッティングをサポートするデバイスのブロック図。
【図１１】本開示の態様による、アップリンク共有チャネル上での送信のための異なるタイプの制御情報およびアップリンクデータの間のリソーススプリッティングをサポートするデバイスのブロック図。
【図１２】本開示の態様による、アップリンク共有チャネル上での送信のための異なるタイプの制御情報およびアップリンクデータの間のリソーススプリッティングをサポートするデバイスのブロック図。
【図１３】[0059]  本開示の態様による、アップリンク共有チャネル上での送信のための異なるタイプの制御情報およびアップリンクデータの間のリソーススプリッティングをサポートする基地局を含むシステムのブロック図。
【図１４】[0060]  本開示の態様による、アップリンク共有チャネル上での送信のための異なるタイプの制御情報およびアップリンクデータの間のリソーススプリッティングのための方法を示す図。
【図１５】本開示の態様による、アップリンク共有チャネル上での送信のための異なるタイプの制御情報およびアップリンクデータの間のリソーススプリッティングのための方法を示す図。
【図１６】本開示の態様による、アップリンク共有チャネル上での送信のための異なるタイプの制御情報およびアップリンクデータの間のリソーススプリッティングのための方法を示す図。
【図１７】本開示の態様による、アップリンク共有チャネル上での送信のための異なるタイプの制御情報およびアップリンクデータの間のリソーススプリッティングのための方法を示す図。
【発明を実施するための形態】
【００５２】
[0061]  説明される技法は、アップリンク共有チャネル上でのアップリンク送信のために異なるタイプの制御情報および随意にＵＬ−ＳＣＨデータの間でリソースをスプリットすることをサポートする改善された方法、システム、デバイス、または装置に関する。概して、説明される技法は、異なるタイプの制御情報および随意にＵＬ−ＳＣＨデータ間でアップリンク送信のＲＥをスプリットする。いくつかの例では、異なるタイプの制御情報および随意にＵＬ−ＳＣＨデータの間で、許可されたＲＥをスプリットするために実行される計算は、基準ペイロードサイズの関数であり得る。有益には、本明細書で説明される技法は、異なるタイプの制御情報および随意にＵＬ−ＳＣＨ間での割り振られるＲＥの改善された分配（improved distribution）を生じ、割り振られるＲＥの全体が単一のＵＣＩタイプに割り振られる確率を低減し得る。
【００５３】
[0062]  一例では、基地局は、１つまたは複数のパラメータと、ＵＥへのアップリンクリソース割振りを示す許可とをシグナリングするダウンリンクシグナリングを送信し得る。許可は、アップリンク送信（たとえば、ＰＵＳＣＨ中の送信）のためにＵＥに１つまたは複数のリソースブロックを割り振り得る。各リソースブロックはＲＥのセットに対応し得る。ダウンリンクシグナリングは、異なるＵＣＩタイプのセットおよび随意にＵＬ−ＳＣＨデータの間でアップリンクリソース割振りのリソースをスプリットするための計算方法の指示をさらに含み得る。１つまたは複数のパラメータは、各ＵＣＩタイプおよび随意にＵＬ−ＳＣＨデータのための重み付け係数を含み得る。ＵＥは、ダウンリンクシグナリングを受信し、スプリットを計算するための方法を識別し、重み付け係数および許可を処理し得る。いくつかの例では、ＵＥは、それが、アップリンク送信において送るための、媒体アクセス制御（ＭＡＣ）レイヤからのＵＬ−ＳＣＨデータを有しないと決定し得る。いくつかの例では、許可は、ＵＥが、１つまたは複数の割り振られるリソースブロック内でＵＬ−ＳＣＨデータを送るべきでないことを示し得る。いくつかの例では、許可は、ＵＬ−ＳＣＨデータ有りでまたは無しで、１つまたは複数の割り振られるリソースブロック中でＨＡＲＱ−ＡＣＫおよびＣＳＩデータペイロードを送るように、ＵＥに命令し得る。
【００５４】
[0063]  いくつかの例では、ＣＳＩは異なるパートを含み得、ＵＥは、１つまたは複数の割り振られるリソースブロック内でＰＵＳＣＨ送信において１つまたは複数のＣＳＩパートを送り得る。たとえば、ＣＳＩパート１は、ランクインジケータ（ＲＩ：rank indicator）、ＣＳＩ基準信号インデックス（ＣＲＩ：CSI reference signal index）、第１の持続波（ＣＷ：continuous wave）のためのチャネル品質インジケータ（ＣＱＩ：channel quality indicator）などのうちの１つまたは複数、またはそれらの任意の組合せを含み得る。ＣＳＩパート２は、プリコーディング行列インジケータ（ＰＭＩ：Precoding Matrix Indicator）、広帯域およびサブバンドシグナリングなどの第２のＣＷのためのＣＱＩなど、またはそれらの任意の組合せを含み得る。いくつかの場合には、ＣＱＩパート２は、広帯域ＣＱＩ、サブバンドＣＱＩ、またはその両方を含み得る。広帯域ＣＱＩは、周波数リソースがアップリンク送信のためにＵＥに割り振られ得る帯域幅範囲に対応するＣＱＩであり得る。サブバンドＣＱＩは、帯域幅範囲の一部分に対応し得る。
【００５５】
[0064]  ＵＥは、ＨＡＲＱ−ＡＣＫ、ＣＳＩパート１、ＣＳＩパート２、および随意にＵＬ−ＳＣＨの各々にそれぞれ割り振るために、１つまたは複数の割り振られるリソースブロックのＲＥの数のスプリットを計算し得る。計算は、各ＵＣＩタイプおよび随意にＵＬ−ＳＣＨのための受信された重み付け係数と、ＣＳＩパート２のための基準ペイロードサイズとに基づき得る。いくつかの場合には、スプリット計算は、各ＵＣＩタイプおよび随意にＵＬ−ＳＣＨに割り振るためのＲＥの数を決定する伝達方程式（transfer equation）のセットに基づき得る。いくつかの場合には、伝達方程式は、特定のタイプのＵＣＩに割り振られ得るＲＥの数の上限を定め（cap）得る。いくつかの例では、ＵＣＩタイプの重み付け係数は、基地局によって動的に決定され、たとえば、ダウンリンク制御情報（ＤＣＩ：downlink control information）中で、ＵＥに（たとえば、スロットごとに）シグナリングされ得る。別の例では、基地局は、ＵＥに通知するために無線リソース制御（ＲＲＣ）シグナリングを使用し得る。
【００５６】
[0065]  ＨＡＲＱ−ＡＣＫ、ＣＳＩパート１、ＣＳＩパート２、および随意にＵＬ−ＳＣＨの間の割り振られるＲＥのスプリットの決定に続いて、ＵＥは、決定されたスプリット（split）に従って、ＨＡＲＱ−ＡＣＫデータ、ＣＳＩパート１データ、ＣＳＩパート２データ、および随意にＵＬ−ＳＣＨデータをマッピングし得る。
【００５７】
[0066]  ＵＥは、次いで、アップリンク送信（たとえば、ＰＵＳＣＨ送信）を生成し、許可中で示されたアップリンク共有チャネル（たとえば、ＰＵＳＣＨ）のＲＥ内で送信し得る。たとえば、ＵＥは、各ＵＣＩタイプおよび随意にＵＬ−ＳＣＨについてのｖのそれぞれの計算された数に対応するマッピングパターンに従って、ＨＡＲＱ−ＡＣＫ、ＣＳＩパート１、ＣＳＩパート２、および随意にＵＬ−ＳＣＨのためのＲＥをマッピングし得る。基地局がマッピングパターンのセットでＵＥを構成し得るか、ＵＥがマッピングパターンをローカルに記憶し得るか、またはその両方であり得る。ＵＥは、次いで、スプリットに従ってアップリンク送信を生成し、許可中で割り振られるＲＥ内でアップリンク送信を送信し得る。
【００５８】
[0067]  基地局は、ＵＥがリソーススプリットを決定したのと同様にして、アップリンクリソース割振りのリソーススプリットを計算し得る。基地局は、スプリットに対応するマッピングパターンと、割り振られるＲＥのうちのどれが、ＨＡＲＱ−ＡＣＫデータ、ＣＳＩパート１データ、ＣＳＩパート２データ、および随意にＵＬ−ＳＣＨデータをそれぞれ含むことを予想されるかとを同様に決定し得る。基地局は、次いで、許可中で示された割振りおよび計算されたリソーススプリットに対応するアップリンク共有チャネルのコード化変調シンボル（coded modulation symbol）を復号することを試み得る。基地局は、たとえば、巡回冗長検査（ＣＲＣ：cyclic redundancy check）ビットを含むことを予想されるアップリンク共有チャネルのコード化変調シンボルを識別し得る。基地局は、共有データチャネルのシンボルから取得されたデータが誤り検出をパスした（たとえば、巡回冗長検査を満足する）場合、復号が成功したと決定し得る。基地局は、許可中で割り振られるＲＥの復号の成功または不成功に続いて、ＵＥに肯定応答（ＡＣＫ）または否定ＡＣＫ（ＮＡＣＫ）を与え得る。
【００５９】
[0068]  最初に、本開示の態様がワイヤレス通信システムのコンテキストにおいて説明される。本開示の態様は、アップリンク共有チャネル上での送信のための異なるタイプの制御情報およびアップリンクデータの間のリソーススプリッティングに関する装置図、システム図、およびフローチャートによってさらに示され、それらを参照しながら説明される。
【００６０】
[0069]  図１は、本開示の様々な態様による、ワイヤレス通信システム１００の一例を示す。ワイヤレス通信システム１００は、基地局１０５と、ＵＥ１１５と、コアネットワーク１３０とを含む。いくつかの例では、ワイヤレス通信システム１００は、ＬＴＥ、ＬＴＥ−Ａネットワーク、ＬＴＥ−Ａ  Ｐｒｏネットワーク、またはＮＲネットワークであり得る。いくつかの場合には、ワイヤレス通信システム１００は、拡張ブロードバンド通信、超高信頼（ultra-reliable）（たとえば、ミッションクリティカル（mission critical））通信、低レイテンシ（low latency）通信、または低コストおよび低複雑度デバイス（low-cost and low-complexity device）との通信をサポートし得る。
【００６１】
[0070]  基地局１０５は、１つまたは複数の基地局アンテナを介してＵＥ１１５とワイヤレス通信し得る。本明細書で説明される基地局１０５は、基地トランシーバ局、無線基地局、アクセスポイント、無線トランシーバ、ノードＢ、ｅノードＢ（ｅＮＢ）、（そのいずれもｇＮＢと呼ばれることがある）次世代ノードＢまたはギガノードＢ、ホームノードＢ、ホームｅノードＢ、あるいは何らかの他の好適な用語を含み得るか、またはそのように当業者によって呼ばれることがある。ワイヤレス通信システム１００は、異なるタイプの基地局１０５（たとえば、マクロ基地局またはスモールセル基地局）を含み得る。本明細書で説明されるＵＥ１１５は、マクロｅＮＢ、スモールセルｅＮＢ、ｇＮＢ、リレー基地局などを含む、様々なタイプの基地局１０５およびネットワーク機器と通信することが可能であり得る。
【００６２】
[0071]  各基地局１０５は、様々なＵＥ１１５との通信がサポートされる特定の地理的カバレージエリア１１０に関連し得る。各基地局１０５は、通信リンク１２５を介してそれぞれの地理的カバレージエリア１１０に通信カバレージを与え得、基地局１０５とＵＥ１１５との間の通信リンク１２５は、１つまたは複数のキャリアを利用し得る。ワイヤレス通信システム１００に示されている通信リンク１２５は、ＵＥ１１５から基地局１０５へのアップリンク送信、または基地局１０５からＵＥ１１５へのダウンリンク送信を含み得る。ダウンリンク送信は順方向リンク送信と呼ばれることもあり、アップリンク送信は逆方向リンク送信と呼ばれることもある。
【００６３】
[0072]  基地局１０５のための地理的カバレージエリア１１０は、地理的カバレージエリア１１０の一部分のみを構成するセクタに分割され得、各セクタはセルに関連し得る。たとえば、各基地局１０５は、マクロセル、スモールセル、ホットスポット、または他のタイプのセル、あるいはそれらの様々な組合せに通信カバレージを与え得る。いくつかの例では、基地局１０５は可動であり、したがって、移動する地理的カバレージエリア１１０に通信カバレージを与え得る。いくつかの例では、異なる技術に関連する異なる地理的カバレージエリア１１０は重複し得、異なる技術に関連する重複する地理的カバレージエリア１１０は、同じ基地局１０５によってまたは異なる基地局１０５によってサポートされ得る。ワイヤレス通信システム１００は、たとえば、異なるタイプの基地局１０５が様々な地理的カバレージエリア１１０にカバレージを与える異種ＬＴＥ／ＬＴＥ−Ａ／ＬＴＥ−Ａ  ＰｒｏまたはＮＲネットワークを含み得る。
【００６４】
[0073]  「セル」という用語は、（たとえば、キャリア上の）基地局１０５との通信のために使用される論理通信エンティティを指し、同じまたは異なるキャリアを介して動作するネイバリングセルを区別するための識別子（たとえば、物理セル識別子（ＰＣＩＤ）、仮想セル識別子（ＶＣＩＤ））に関連し得る。いくつかの例では、キャリアは複数のセルをサポートし得、異なるセルは、異なるタイプのデバイスにアクセスを与え得る異なるプロトコルタイプ（たとえば、マシンタイプ通信（ＭＴＣ）、狭帯域モノのインターネット（ＮＢ−ＩｏＴ）、拡張モバイルブロードバンド（ｅＭＢＢ）など）に従って構成され得る。いくつかの場合には、「セル」という用語は、論理エンティティが動作する地理的カバレージエリア１１０の一部分（たとえば、セクタ）を指し得る。
【００６５】
[0074]  ＵＥ１１５は、ワイヤレス通信システム１００全体にわたって分散され得、各ＵＥ１１５は固定または移動であり得る。ＵＥ１１５は、モバイルデバイス、ワイヤレスデバイス、リモートデバイス、ハンドヘルドデバイス、または加入者デバイス、あるいは何らかの他の好適な用語で呼ばれることもあり、ここで、「デバイス」は、ユニット、局、端末、またはクライアントと呼ばれることもある。ＵＥ１１５はまた、セルラーフォン、携帯情報端末（ＰＤＡ）、タブレットコンピュータ、ラップトップコンピュータ、またはパーソナルコンピュータなどのパーソナル電子デバイスであり得る。いくつかの例では、ＵＥ１１５はまた、器具、車両、メーターなど、様々な物品中で実装され得る、ワイヤレスローカルループ（ＷＬＬ）局、モノのインターネット（ＩｏＴ）デバイス、あらゆるモノのインターネット（ＩｏＥ）デバイス、またはＭＴＣデバイスなどを指し得る。
【００６６】
[0075]  ＭＴＣデバイスまたはＩｏＴデバイスなど、いくつかのＵＥ１１５は、低コストまたは低複雑度デバイスであり得、（たとえば、マシンツーマシン（Ｍ２Ｍ）通信を介して）マシン間の自動化された通信を与え得る。Ｍ２Ｍ通信またはＭＴＣは、デバイスが人の介入なしに互いとまたは基地局１０５と通信することを可能にするデータ通信技術を指し得る。いくつかの例では、Ｍ２Ｍ通信またはＭＴＣは、情報を測定またはキャプチャするためにセンサーまたはメーターを組み込み、情報を活用することができる中央サーバまたはアプリケーションプログラムにその情報を中継するか、あるいはプログラムまたはアプリケーションと対話する人間に情報を提示する、デバイスからの通信を含み得る。いくつかのＵＥ１１５は、情報を収集するか、またはマシンの自動化された挙動を可能にするように設計され得る。ＭＴＣデバイスのための適用例の例は、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネスの課金を含む。
【００６７】
[0076]  いくつかのＵＥ１１５は、半二重通信など、電力消費を低減する動作モード（たとえば、同時に送信および受信をサポートするのではなく、送信または受信を介した一方向通信をサポートするモード）を採用するように構成され得る。いくつかの例では、半二重通信は、低減されたピークレートにおいて実行され得る。ＵＥ１１５のための他の電力節約技法は、アクティブ通信に関与していないか、または限られた帯域幅上で（たとえば、狭帯域通信に従って）動作しているとき、電力節約「ディープスリープ（deep sleep）」モードに入ることを含む。いくつかの場合には、ＵＥ１１５は、クリティカルな機能（たとえば、ミッションクリティカルな機能）をサポートするように設計され得、ワイヤレス通信システム１００は、これらの機能のための超高信頼通信を与えるように構成され得る。
【００６８】
[0077]  いくつかの場合には、ＵＥ１１５はまた、（たとえば、ピアツーピア（Ｐ２Ｐ）またはデバイスツーデバイス（Ｄ２Ｄ）プロトコルを使用して）他のＵＥ１１５と直接通信することが可能であり得る。Ｄ２Ｄ通信を利用するＵＥ１１５のグループのうちの１つまたは複数が、基地局１０５の地理的カバレージエリア１１０内にあり得る。そのようなグループ中の他のＵＥ１１５は、基地局１０５の地理的カバレージエリア１１０外にあるか、またはさもなければ、基地局１０５からの送信を受信することができないことがある。いくつかの場合には、Ｄ２Ｄ通信を介して通信するＵＥ１１５のグループは、各ＵＥ１１５がグループ中のあらゆる他のＵＥ１１５に送信する１対多（１：Ｍ）システムを利用し得る。いくつかの場合には、基地局１０５が、Ｄ２Ｄ通信のためのリソースのスケジューリングを促進する。いくつかの場合には、Ｄ２Ｄ通信は、基地局１０５の関与なしにＵＥ１１５間で行われる。
【００６９】
[0078]  基地局１０５は、コアネットワーク１３０および互いと通信し得る。たとえば、基地局１０５は、バックホールリンク１３２を通して（たとえば、Ｓ１または他のインターフェースを介して）コアネットワーク１３０とインターフェースし得る。基地局１０５は、直接（たとえば、基地局１０５間で直接）または間接的に（たとえば、コアネットワーク１３０を介して）のいずれかでバックホールリンク１３４上で（たとえば、Ｘ２または他のインターフェースを介して）互いと通信し得る。
【００７０】
[0079]  コアネットワーク１３０は、ユーザ認証と、アクセス認可と、トラッキングと、インターネットプロトコル（ＩＰ）接続性と、他のアクセス、ルーティング、またはモビリティ機能とを与え得る。コアネットワーク１３０は、少なくとも１つのモビリティ管理エンティティ（ＭＭＥ）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含み得る発展型パケットコア（ＥＰＣ）であり得る。ＭＭＥは、ＥＰＣに関連する基地局１０５によってサービスされるＵＥ１１５のための、モビリティ、認証、およびベアラ管理など、非アクセス層（たとえば、制御プレーン）機能を管理し得る。ユーザＩＰパケットはＳ−ＧＷを通して転送され得、Ｓ−ＧＷ自体はＰ−ＧＷに接続され得る。Ｐ−ＧＷはＩＰアドレス割振りならびに他の機能を与え得る。Ｐ−ＧＷは、ネットワーク事業者のＩＰサービスに接続され得る。事業者のＩＰサービスは、インターネット、（１つまたは複数の）イントラネット、ＩＰマルチメディアサブシステム（ＩＭＳ）、およびパケット交換（ＰＳ）ストリーミングサービスへのアクセスを含み得る。
【００７１】
[0080]  基地局１０５など、ネットワークデバイスのうちの少なくともいくつかは、アクセスノードコントローラ（ＡＮＣ）の一例であり得る、アクセスネットワークエンティティなど、副構成要素を含み得る。各アクセスネットワークエンティティは、無線ヘッド、スマート無線ヘッド、または送信／受信ポイント（ＴＲＰ）と呼ばれることがある、いくつかの他のアクセスネットワーク送信エンティティを通してＵＥ１１５と通信し得る。いくつかの構成では、各アクセスネットワークエンティティまたは基地局１０５の様々な機能は、様々なネットワークデバイス（たとえば、無線ヘッドおよびアクセスネットワークコントローラ）にわたって分散されるか、または単一のネットワークデバイス（たとえば、基地局１０５）にコンソリデートされ得る。
【００７２】
[0081]  ワイヤレス通信システム１００は、一般に３００ＭＨｚ〜３００ＧＨｚの範囲内の、１つまたは複数の周波数帯域を使用して動作し得る。概して、３００ＭＨｚから３ＧＨｚまでの領域は、波長が長さ約１デシメートルから１メートルに及ぶので、極超短波（ＵＨＦ）領域またはデシメートル帯域として知られている。ＵＨＦ波は、建築物および環境特徴によって阻止またはリダイレクトされ得る。しかしながら、波は、マクロセルが、屋内に位置するＵＥ１１５にサービスを与えるために、十分に構造を透過し得る。ＵＨＦ波の送信は、３００ＭＨｚを下回るスペクトルの高周波（ＨＦ）または超短波（ＶＨＦ）部分のより小さい周波数およびより長い波を使用する送信と比較してより小さいアンテナおよびより短い距離（たとえば、１００ｋｍ未満）に関連し得る。
【００７３】
[0082]  ワイヤレス通信システム１００はまた、センチメートル帯域としても知られる、３ＧＨｚから３０ＧＨｚまでの周波数帯域を使用する超高周波（ＳＨＦ）領域中で動作し得る。ＳＨＦ領域は、他のユーザからの干渉を許容することができるデバイスによって日和見的に使用され得る、５ＧＨｚ産業科学医療用（ＩＳＭ）帯域などの帯域を含む。
【００７４】
[0083]  ワイヤレス通信システム１００はまた、ミリメートル帯域としても知られる、（たとえば、３０ＧＨｚから３００ＧＨｚまでの）スペクトルの極高周波（ＥＨＦ）領域中で動作し得る。いくつかの例では、ワイヤレス通信システム１００は、ＵＥ１１５と基地局１０５との間のミリメートル波（ｍｍＷ：millimeter wave）通信をサポートし得、それぞれのデバイスのＥＨＦアンテナは、ＵＨＦアンテナよりも一層小さく、より間隔が密であり得る。いくつかの場合には、これは、ＵＥ１１５内のアンテナアレイの使用を促進し得る。しかしながら、ＥＨＦ送信の伝搬は、ＳＨＦ送信またはＵＨＦ送信よりも一層大きい大気減衰および短い距離を受け得る。本明細書で開示される技法は、１つまたは複数の異なる周波数領域を使用する送信にわたって採用され得、これらの周波数領域にわたる帯域の指定された使用は、国または規制主体によって異なり得る。
【００７５】
[0084]  いくつかの場合には、ワイヤレス通信システム１００は、認可無線周波数スペクトル帯域と無認可無線周波数スペクトル帯域の両方を利用し得る。たとえば、ワイヤレス通信システム１００は、５ＧＨｚ  ＩＳＭ帯域などの無認可帯域においてライセンス支援型アクセス（ＬＡＡ）、ＬＴＥ無認可（ＬＴＥ−Ｕ）無線アクセス技術、またはＮＲ技術を採用し得る。無認可無線周波数スペクトル帯域において動作するとき、基地局１０５およびＵＥ１１５などのワイヤレスデバイスは、データを送信する前に周波数チャネルがクリアであることを保証するために、リッスンビフォアトーク（ＬＢＴ）プロシージャを採用し得る。いくつかの場合には、無認可帯域における動作は、認可帯域（たとえば、ＬＡＡ）において動作するＣＣとともに、ＣＡ構成に基づき得る。無認可スペクトルにおける動作は、ダウンリンク送信、アップリンク送信、ピアツーピア送信、またはこれらの組合せを含み得る。無認可スペクトルにおける複信は、周波数分割複信（ＦＤＤ）、時分割複信（ＴＤＤ）、またはその両方の組合せに基づき得る。
【００７６】
[0085]  いくつかの例では、基地局１０５またはＵＥ１１５は、送信ダイバーシティ、受信ダイバーシティ、多入力多出力（ＭＩＭＯ）通信、またはビームフォーミングなどの技法を採用するために使用され得る、複数のアンテナを装備し得る。たとえば、ワイヤレス通信システム１００は、送信デバイス（たとえば、基地局１０５）と受信デバイス（たとえば、ＵＥ１１５）との間の送信方式を使用し得、ここで、送信デバイスは複数のアンテナを装備し、受信デバイスは１つまたは複数のアンテナを装備する。ＭＩＭＯ通信は、空間多重化と呼ばれることがある、異なる空間レイヤを介して複数の信号を送信または受信することによってスペクトル効率を増加させるために、マルチパス信号伝搬を採用し得る。複数の信号は、たとえば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別々の空間ストリームと呼ばれることがあり、同じデータストリーム（たとえば、同じコードワード）または異なるデータストリームに関連するビットを搬送し得る。異なる空間レイヤは、チャネル測定および報告のために使用される異なるアンテナポートに関連し得る。ＭＩＭＯ技法は、複数の空間レイヤが同じ受信デバイスに送信されるシングルユーザＭＩＭＯ（ＳＵ−ＭＩＭＯ）と、複数の空間レイヤが複数のデバイスに送信されるマルチユーザＭＩＭＯ（ＭＵ−ＭＩＭＯ）とを含む。
【００７７】
[0086]  空間フィルタ処理、方向性送信、または方向性受信と呼ばれることもある、ビームフォーミングは、送信デバイスと受信デバイスとの間の空間経路に沿ってアンテナビーム（たとえば、送信ビームまたは受信ビーム）を整形またはステアリングするために送信デバイスまたは受信デバイス（たとえば、基地局１０５またはＵＥ１１５）において使用され得る信号処理技法である。ビームフォーミングは、アンテナアレイに対する特定の配向において伝搬する信号が強め合う干渉を経験し、他のものが弱め合う干渉を経験するように、アンテナアレイのアンテナ要素を介して通信される信号を組み合わせることによって達成され得る。アンテナ要素を介して通信される信号の調整は、送信デバイスまたは受信デバイスが、デバイスに関連するアンテナ要素の各々を介して搬送される信号にいくつかの振幅および位相オフセットを適用することを含み得る。アンテナ要素の各々に関連する調整は、（たとえば、送信デバイスまたは受信デバイスのアンテナアレイに対する、または何らかの他の配向に対する）特定の配向に関連するビームフォーミング重みセットによって定義され得る。
【００７８】
[0087]  一例では、基地局１０５は、ＵＥ１１５との方向性通信のためのビームフォーミング動作を行うために、複数のアンテナまたはアンテナアレイを使用し得る。たとえば、いくつかの信号（たとえば、同期信号、基準信号、ビーム選択信号、または他の制御信号）は、異なる方向において複数回基地局１０５によって送信され得、これは、信号が、送信の異なる方向に関連する異なるビームフォーミング重みセットに従って送信されることを含み得る。異なるビーム方向における送信は、基地局１０５による後続の送信および／または受信のためにビーム方向を（たとえば、基地局１０５、またはＵＥ１１５などの受信デバイスによって）識別するために使用され得る。特定の受信デバイスに関連するデータ信号など、いくつかの信号は、単一のビーム方向（たとえば、ＵＥ１１５などの受信デバイスに関連する方向）において基地局１０５によって送信され得る。いくつかの例では、単一のビーム方向に沿った送信に関連するビーム方向は、異なるビーム方向において送信された信号に少なくとも部分的に基づいて決定され得る。たとえば、ＵＥ１１５は、異なる方向において基地局１０５によって送信された信号のうちの１つまたは複数を受信し得、ＵＥ１１５は、最高信号品質、またはさもなければ許容できる信号品質をもつそれが受信した信号の指示を基地局１０５に報告し得る。これらの技法は、基地局１０５によって１つまたは複数の方向において送信される信号に関して説明されたが、ＵＥ１１５は、（たとえば、ＵＥ１１５による後続の送信または受信のためのビーム方向を識別するために）異なる方向において複数回信号を送信するか、あるいは、（たとえば、受信デバイスにデータを送信するために）単一の方向において信号を送信するための、同様の技法を採用し得る。
【００７９】
[0088]  受信デバイス（たとえば、ｍｍＷ受信デバイスの一例であり得るＵＥ１１５）は、同期信号、基準信号、ビーム選択信号、または他の制御信号など、様々な信号を基地局１０５から受信したとき、複数の受信ビームを試み得る。たとえば、受信デバイスは、異なるアンテナサブアレイを介して受信することによって、受信された信号を異なるアンテナサブアレイに従って処理することによって、アンテナアレイの複数のアンテナ要素において受信された信号に適用される異なる受信ビームフォーミング重みセットに従って受信することによって、または、受信された信号をアンテナアレイの複数のアンテナ要素において受信された信号に適用される異なる受信ビームフォーミング重みセットに従って処理することによって、複数の受信方向を試み得、それらのいずれも、異なる受信ビームまたは受信方向に従って「リッスンすること」と呼ばれることがある。いくつかの例では、受信デバイスは、（たとえば、データ信号を受信するとき）単一のビーム方向に沿って受信するために単一の受信ビームを使用し得る。単一の受信ビームは、異なる受信ビーム方向に従ってリッスンすることに少なくとも部分的に基づいて決定されたビーム方向（たとえば、複数のビーム方向に従ってリッスンすることに少なくとも部分的に基づいて、最高信号強度、最高信号対雑音比、またはさもなければ許容できる信号品質を有すると決定されたビーム方向）に調整（align）され得る。
【００８０】
[0089]  いくつかの場合には、基地局１０５またはＵＥ１１５のアンテナは、ＭＩＭＯ動作、あるいは送信または受信ビームフォーミングをサポートし得る１つまたは複数のアンテナアレイ内に位置し得る。たとえば、１つまたは複数の基地局アンテナまたはアンテナアレイは、アンテナ塔など、アンテナアセンブリにおいてコロケートされ得る。いくつかの場合には、基地局１０５に関連するアンテナまたはアンテナアレイは、多様な地理的ロケーション中に位置し得る。基地局１０５は、基地局１０５がＵＥ１１５との通信のビームフォーミングをサポートするために使用し得るアンテナポートのいくつかの行および列をもつアンテナアレイを有し得る。同様に、ＵＥ１１５は、様々なＭＩＭＯまたはビームフォーミング動作をサポートし得る１つまたは複数のアンテナアレイを有し得る。
【００８１】
[0090]  いくつかの場合には、ワイヤレス通信システム１００は、階層化プロトコルスタックに従って動作するパケットベースネットワークであり得る。ユーザプレーンでは、ベアラまたはパケットデータコンバージェンスプロトコル（ＰＤＣＰ）レイヤにおける通信はＩＰベースであり得る。無線リンク制御（ＲＬＣ）レイヤが、いくつかの場合には、論理チャネル上で通信するためにパケットセグメンテーションおよびリアセンブリを実行し得る。ＭＡＣレイヤが、優先度処理と、トランスポートチャネルへの論理チャネルの多重化とを実行し得る。ＭＡＣレイヤはまた、リンク効率を改善するために、ＭＡＣレイヤにおける再送信を行うためにＨＡＲＱを使用し得る。制御プレーンでは、ＲＲＣプロトコルレイヤは、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００８２】
[0091]  いくつかの場合には、ＵＥ１１５および基地局１０５は、データが正常に受信される可能性を増加させるためにデータの再送信をサポートし得る。ＨＡＲＱフィードバックは、データが通信リンク１２５上で正確に受信される可能性を増加させる１つの技法である。ＨＡＲＱは、（たとえば、ＣＲＣを使用する）誤り検出と、前方誤り訂正（ＦＥＣ）と、再送信（たとえば、自動再送要求（ＡＲＱ））との組合せを含み得る。ＨＡＲＱは、不良な無線状態（たとえば、信号対雑音状態）でのＭＡＣレイヤにおけるスループットを改善し得る。いくつかの場合には、ワイヤレスデバイスは、同スロットＨＡＲＱフィードバックをサポートし得、ここで、デバイスは、特定のスロット中の前のシンボル中で受信されたデータについて、そのスロット中でＨＡＲＱフィードバックを与え得る。いくつかの場合には、デバイスは、後続のスロット中で、または何らかの他の時間間隔に従って、ＨＡＲＱフィードバックを与え得る。
【００８３】
[0092]  ＬＴＥまたはＮＲにおける時間間隔は、たとえば、Ｔs＝１／３０，７２０，０００秒のサンプリング期間を指し得る、基本時間単位の倍数単位で表され得る。通信リソースの時間間隔は、各々が１０ミリ秒（ｍｓ）の持続時間を有する無線フレームに従って編成され得、ここで、フレーム期間は、Ｔf＝３０７，２００Ｔsとして表され得る。無線フレームは、０から１０２３に及ぶシステムフレーム番号（ＳＦＮ）によって識別され得る。各フレームは、０から９までの番号を付けられた１０個のサブフレームを含み得、各サブフレームは、１ｍｓの持続時間を有し得る。サブフレームは、各々が０．５ｍｓの持続時間を有する２つのスロットにさらに分割され得、各スロットは、（たとえば、各シンボル期間にプリペンドされたサイクリックプレフィックスの長さに応じて）６つまたは７つの変調シンボル期間を含んでいることがある。サイクリックプレフィックスを除いて、各シンボル期間は２０４８個のサンプリング期間を含んでいることがある。いくつかの場合には、サブフレームは、ワイヤレス通信システム１００の最も小さいスケジューリングユニットであり得、送信時間間隔（ＴＴＩ：transmission time interval）と呼ばれることがある。いくつかの場合には、ワイヤレス通信システム１００の最も小さいスケジューリングユニットは、サブフレームよりも短いことがあるか、または（たとえば、短縮ＴＴＩ（ｓＴＴＩ）のバーストにおいて、またはｓＴＴＩを使用する選択されたコンポーネントキャリアにおいて）動的に選択され得る。
【００８４】
[0093]  いくつかのワイヤレス通信システムでは、スロットは、１つまたは複数のシンボルを含んでいる複数のミニスロットにさらに分割され得る。いくつかの事例では、ミニスロットのシンボルまたはミニスロットは、スケジューリングの最も小さいユニットであり得る。各シンボルは、たとえば、動作のサブキャリア間隔または周波数帯域に応じて持続時間が変動し得る。さらに、いくつかのワイヤレス通信システムは、複数のスロットまたはミニスロットが一緒にアグリゲート（aggregate）され、ＵＥ１１５と基地局１０５との間の通信のために使用される、スロットアグリゲーション（slot aggregation）を実装し得る。
【００８５】
[0094]  「キャリア」という用語は、通信リンク１２５上での通信をサポートするための定義された物理レイヤ構造を有する無線周波数スペクトルリソースのセットを指す。たとえば、通信リンク１２５のキャリアは、所与の無線アクセス技術のための物理レイヤチャネルに従って動作される無線周波数スペクトル帯域の一部分を含み得る。各物理レイヤチャネルは、ユーザデータ、制御情報、または他のシグナリングを搬送し得る。キャリアは、あらかじめ定義された周波数チャネル（たとえば、Ｅ−ＵＴＲＡ絶対無線周波数チャネル番号（ＥＡＲＦＣＮ））に関連し得、ＵＥ１１５による発見のためにチャネルラスタに従って配置され得る。キャリアは、（たとえば、ＦＤＤモードでは）ダウンリンクまたはアップリンクであるか、あるいは、（たとえば、ＴＤＤモードでは）ダウンリンク通信およびアップリンク通信を搬送するように構成され得る。いくつかの例では、キャリア上で送信される信号波形は、（たとえば、ＯＦＤＭまたはＤＦＴ−ｓ−ＯＦＤＭなどのマルチキャリア変調（ＭＣＭ）技法を使用して）複数のサブキャリアからなり得る。
【００８６】
[0095]  キャリアの組織的構造は、異なる無線アクセス技術（たとえば、ＬＴＥ、ＬＴＥ−Ａ、ＬＴＥ−Ａ  Ｐｒｏ、ＮＲなど）について異なり得る。たとえば、キャリア上での通信は、ＴＴＩまたはスロットに従って編成され得、その各々は、ユーザデータ、ならびにユーザデータを復号することをサポートするための制御情報またはシグナリングを含み得る。キャリアはまた、そのキャリアのための動作を協調させる専用捕捉シグナリング（たとえば、同期信号またはシステム情報など）および制御シグナリングを含み得る。（たとえば、キャリアアグリゲーション構成における）いくつかの例では、キャリアは、他のキャリアのための動作を協調させる捕捉シグナリングまたは制御シグナリングをも有し得る。いくつかの例では、シグナリングはＲＲＣシグナリングであり得る。
【００８７】
[0096]  物理チャネルは、様々な技法に従ってキャリア上で多重化され得る。物理制御チャネルおよび物理データチャネルは、たとえば、時分割多重化（ＴＤＭ）技法、周波数分割多重化（ＦＤＭ）技法、またはハイブリッドＴＤＭ−ＦＤＭ技法を使用して、ダウンリンクキャリア上で多重化され得る。いくつかの例では、物理制御チャネル中で送信された制御情報は、カスケード様式で異なる制御領域間で（たとえば、共通制御領域または共通探索空間と１つまたは複数のＵＥ固有制御領域またはＵＥ固有探索空間との間で）分散され得る。
【００８８】
[0097]  キャリアは、無線周波数スペクトルの特定の帯域幅に関連し得、いくつかの例では、キャリア帯域幅は、キャリアまたはワイヤレス通信システム１００の「システム帯域幅」と呼ばれることがある。たとえば、キャリア帯域幅は、特定の無線アクセス技術のキャリアのためのいくつかの所定の帯域幅のうちの１つ（たとえば、１．４、３、５、１０、１５、２０、４０、または８０ＭＨｚ）であり得る。いくつかの例では、各被サービスＵＥ１１５は、キャリア帯域幅の部分または全部の上で動作するために構成され得る。他の例では、いくつかのＵＥ１１５は、キャリア内のあらかじめ定義された部分または範囲（たとえば、サブキャリアまたはＲＢのセット）に関連する狭帯域プロトコルタイプを使用する動作のために構成され得る（たとえば、狭帯域プロトコルタイプの「帯域内」展開）。
【００８９】
[0098]  ＭＣＭ技法を採用するシステムでは、リソース要素は、１つのシンボル期間（たとえば、１つの変調シンボルの持続時間）と１つのサブキャリアとからなり得、ここで、シンボル期間とサブキャリア間隔とは、逆関係にある。各リソース要素によって搬送されるビット数は、変調方式（たとえば、変調方式の次数）に依存し得る。したがって、ＵＥ１１５が受信するＲＥが多いほど、また変調方式の次数が高いほど、ＵＥ１１５のためのデータレートは高くなり得る。ＭＩＭＯシステムでは、ワイヤレス通信リソースは、無線周波数スペクトルリソースと、時間リソースと、空間リソース（たとえば、空間レイヤ）との組合せを指し得、複数の空間レイヤの使用は、ＵＥ１１５との通信のためのデータレートをさらに増加させ得る。
【００９０】
[0099]  ワイヤレス通信システム１００のデバイス（たとえば、基地局１０５またはＵＥ１１５）は、特定のキャリア帯域幅上での通信をサポートするハードウェア構成を有し得るか、または、キャリア帯域幅のセットのうちの１つの上での通信をサポートするように構成可能であり得る。いくつかの例では、ワイヤレス通信システム１００は、２つ以上の異なるキャリア帯域幅に関連するキャリアを介した同時通信をサポートすることができる基地局１０５および／またはＵＥを含み得る。
【００９１】
[0100]  ワイヤレス通信システム１００は、複数のセルまたはキャリア上でのＵＥ１１５との通信、すなわち、キャリアアグリゲーション（ＣＡ：carrier aggregation）またはマルチキャリア動作と呼ばれることがある特徴をサポートし得る。ＵＥ１１５は、キャリアアグリゲーション構成に従って、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００９２】
[0101]  いくつかの場合には、ワイヤレス通信システム１００は拡張コンポーネントキャリア（ｅＣＣ：enhanced component carrier）を利用し得る。ｅＣＣは、より広いキャリアまたは周波数チャネル帯域幅、より短いシンボル持続時間、より短いＴＴＩ持続時間、あるいは変更された制御チャネル構成を含む、１つまたは複数の特徴によって特徴づけられ得る。いくつかの場合には、ｅＣＣは、（たとえば、複数のサービングセルが準最適または理想的でないバックホールリンクを有するとき）キャリアアグリゲーション構成またはデュアル接続性構成に関連し得る。ｅＣＣはまた、（たとえば、２つ以上の事業者が、スペクトルを使用することを可能にされた場合）無認可スペクトルまたは共有スペクトルにおいて使用するために構成され得る。広いキャリア帯域幅によって特徴づけられるｅＣＣは、キャリア帯域幅全体を監視することが可能でないか、またはさもなければ（たとえば、電力を節約するために）限られたキャリア帯域幅を使用するように構成されたＵＥ１１５によって利用され得る１つまたは複数のセグメントを含み得る。
【００９３】
[0102]  いくつかの場合には、ｅＣＣは、他のＣＣとは異なるシンボル持続時間を利用し得、これは、他のＣＣのシンボル持続時間と比較して低減されたシンボル持続時間の使用を含み得る。より短いシンボル持続時間は、隣接するサブキャリア間の増加された間隔に関連し得る。ｅＣＣを利用する、ＵＥ１１５または基地局１０５などのデバイスは、低減されたシンボル持続時間（たとえば、１６．６７マイクロ秒）において（たとえば、２０、４０、６０、８０ＭＨｚなどの周波数チャネルまたはキャリア帯域幅に従って）広帯域信号を送信し得る。ｅＣＣ中のＴＴＩは、１つまたは複数のシンボル期間からなり得る。いくつかの場合には、ＴＴＩ持続時間（すなわち、ＴＴＩ中のシンボル期間の数）は可変であり得る。
【００９４】
[0103]  ＮＲシステムなどのワイヤレス通信システムは、特に、認可スペクトル帯域と、共有スペクトル帯域と、無認可スペクトル帯域との任意の組合せを利用し得る。ｅＣＣシンボル持続時間とサブキャリア間隔とのフレキシビリティは、複数のスペクトルにわたるｅＣＣの使用を可能にし得る。いくつかの例では、ＮＲ共有スペクトルは、詳細にはリソースの動的垂直（たとえば、周波数にわたる）共有と水平（たとえば、時間にわたる）共有とを通して、スペクトル利用率とスペクトル効率とを増加させ得る。
【００９５】
[0104]  ＵＥ１１５および基地局１０５は、アップリンク送信とダウンリンク送信とを交換するための接続を確立し得る。ＵＥ１１５および基地局１０５は、送信が誤り検出をパスしたかどうかまたは前の送信が再送信されるべきであるかどうかを互いに知らせるために肯定応答フィードバックを与える。アップリンク送信の場合、基地局１０５は、アップリンク共有チャネル（たとえば、ＰＵＳＣＨ）内のリソースをＵＥ１１５に許可し得、ＵＥ１１５は、割り振られたＰＵＳＣＨリソース内で送られる送信に、ＡＣＫ／ＮＡＣＫデータ、ＣＳＩデータなどのＵＣＩをピギーバックし得る。
【００９６】
[0105]  一例では、ＵＥ１１５は、１つまたは複数のパラメータを示し、アップリンク送信のためのアップリンク共有チャネル内のリソースの許可を含む、サービング基地局１０５からのダウンリンクシグナリング（たとえば、ＤＣＩ指示、ＲＲＣシグナリング）を受信し、処理し得る。許可は、アップリンク共有チャネル内の１つまたは複数のリソースブロック中のＲＥのセットがアップリンク送信のためにＵＥ１１５に割り振られることを示し得る。ＵＥ１１５は、次いで、アップリンク送信内で送られるべき異なるタイプの制御情報および／またはアップリンクデータのセットの間で、割り振られるＲＥをどのように分配すべきかを決定し得る。
【００９７】
[0106]  いくつかの場合には、ＵＥ１１５は、ＰＵＳＣＨの時間および周波数リソース上でマッピングするための、ＭＡＣレイヤからのＵＬ−ＳＣＨデータおよびシグナリングを有し得る。いくつかの場合には、ＵＥは、基地局へのアップリンク通信の一部として、ＰＵＳＣＨ送信において送信する（たとえば、ピギーバックする）ためのＵＣＩをも有し得る。ＵＣＩは、（１）１つまたは複数のコンポーネントキャリアのためのＨＡＲＱ  ＡＣＫ／ＮＡＣＫ情報、（２）１つまたは複数のコンポーネントキャリアのための周期ＣＳＩまたは非周期ＣＳＩフィードバック、（３）スケジューリング要求（ＳＲ：scheduling request）、（４）バッファステータス報告（ＢＳＲ：buffer status report）などの任意の組合せを含み得る制御シグナリング（control signaling）である。
【００９８】
[0107]  ＵＣＩは、ＵＬ−ＳＣＨデータをトランスポートすることもしないこともあるＰＵＳＣＨリソースにピギーバックされ得る。たとえば、ＵＥは、ＵＬ−ＳＣＨデータをもつＰＵＳＣＨ（たとえば、ＭＡＣレイヤアップリンク共有チャネル）にＵＣＩをピギーバックし得る。別の例では、ＵＥは、ＵＬ−ＳＣＨデータを含まないＰＵＳＣＨ送信を介して、非周期ＣＳＩ（Ａ−ＣＳＩ）フィードバックなどのＵＣＩを送信し得る。別の例では、ＵＥは、ＵＬ−ＳＣＨデータをもたないＰＵＳＣＨ送信においてＨＡＲＱ−ＡＣＫデータとＡ−ＣＳＩの両方を送信し得る。
【００９９】
[0108]  制御シグナリング（たとえば、ＲＲＣシグナリング）を介して基地局から受信されたＲＥの許可および１つまたは複数のパラメータに基づいて、ＵＥ１１５は、肯定応答フィードバックデータ（たとえば、ＨＡＲＱ−ＡＣＫデータ）およびマルチパートＣＳＩ指示（multi-part CSI indication）（たとえば、ＣＳＩパート１、ＣＳＩパート２）に割り振るためのＲＥの量を計算し得る。一例では、ＨＡＲＱ−ＡＣＫデータを含み、ＵＬ−ＳＣＨデータを含まないＰＵＳＣＨ送信の場合、Ｑ’ACKとして示された、ＨＡＲＱ−ＡＣＫデータのために割り振るためのＲＥの数（たとえば、ＨＡＲＱ−ＡＣＫデータのためのレイヤごとのコード化変調シンボルの数）は、式（１）によって決定され得る。
【０１００】
【数１】
2021508991.tif 000003
【０１０１】
ここで、ＯACKは、送信のために利用可能なＨＡＲＱ−ＡＣＫビットの数であり得、ＬACKは、ＰＵＳＣＨ送信中に含まれるべきＣＲＣビットの数であり得る。ＵＥ１１５は、ＣＲＣビットについての値を生成するために、ＰＵＳＣＨ送信において送られているＨＡＲＱ−ＡＣＫビットにＣＲＣアルゴリズムを適用し得る。ＯCSI-part1は、ＰＵＳＣＨ送信における、送信のために利用可能なＣＳＩパート１データのためのビット数を表し得る。ＬCSI-part1は、ＯCSI-part1とともに含まれるべきＣＲＣビットの数であり得る。ＵＥ１１５は、ＣＲＣビットについての値を生成するために、ＰＵＳＣＨ送信において送られているＣＳＩパート１ビットにＣＲＣアルゴリズムを適用し得る。
【０１０２】
【数２】
2021508991.tif 000004
【０１０３】
は、サブキャリアの数として表された、ＰＵＳＣＨ送信のスケジュールされた帯域幅であり得る。
【０１０４】
【数３】
2021508991.tif 000005
【０１０５】
は、ＤＭＲＳのために使用されるすべてのＯＦＤＭ／シングルキャリア周波数分割多元接続（ＳＣ−ＦＤＭＡ）シンボルを除く、ＰＵＳＣＨ送信のＯＦＤＭシンボルの数であり得る。
【０１０６】
[0109]  
【数４】
2021508991.tif 000006
は、基地局１０５からＵＥ１１５によって受信されたダウンリンクシグナリング（たとえば、ＤＣＩ、ＲＲＣシグナリングなど）に基づいて設定された値を有するリソーススケーリングファクタ（たとえば、線形スケーリングファクタ）であり得る。たとえば、
【数５】
2021508991.tif 000007
は、
【０１０７】
【数６】
2021508991.tif 000008
として表され得、ここで、
【数７】
2021508991.tif 000009
は、ＨＡＲＱ−ＡＣＫビットについての重み付け比例であり、
【数８】
2021508991.tif 000010
は、ＣＳＩパート１のビットについての重み付け比例である。
【０１０８】
【数９】
2021508991.tif 000011
は、ＰＵＳＣＨ送信における、ＰＴＲＳを搬送するＯＦＤＭシンボル中のサブキャリアの数であり得る。
【０１０９】
【数１０】
2021508991.tif 000012
は、ＰＵＳＣＨ送信における、ＰＴＲＳを搬送するＯＦＤＭシンボルの数であり得る。
【０１１０】
【数１１】
2021508991.tif 000013
は、セット（set）
【数１２】
2021508991.tif 000014
中の要素の数であり得、ここで、
【０１１１】
【数１３】
2021508991.tif 000015
は、
【０１１２】
【数１４】
2021508991.tif 000016
【０１１３】
の場合の、ＯＦＤＭシンボル期間ｌ中のＵＣＩの送信のために利用可能なＲＥのセットであり、
【０１１４】
【数１５】
2021508991.tif 000017
【０１１５】
は、ＰＴＲＳによって占有され、したがって、セット
【数１６】
2021508991.tif 000018
中で除外される、ＲＥを減じたＰＵＳＣＨのＯＦＤＭシンボルの総数である。ＰＴＲＳによって占有されるＲＥは、
【０１１６】
【数１７】
2021508991.tif 000019
および
【０１１７】
【数１８】
2021508991.tif 000020
に基づいて決定され得る。
【０１１８】
[0110]  式（１）に基づいて、ＵＥ１１５は、ＨＡＲＱ−ＡＣＫデータのために割り振るためのＰＵＳＣＨ送信のＲＥの数を決定し得る。ＵＥ１１５は、計算されたＲＥの数に基づいて、（ＣＲＣビットを含む）ＨＡＲＱ−ＡＣＫデータをＰＵＳＣＨ送信のＲＥにマッピングし得る。ＵＥ１１５は、ＣＳＩフィードバックの送信のために割り振るためのＲＥの数をも決定し得る。ＵＥ１１５は、計算されたＲＥの数に基づいて、（ＣＲＣビットを含む）１つまたは複数のＣＳＩデータ割振りをマッピングし得る。ＵＥ１１５は、次いで、マッピングに基づいてＰＵＳＣＨ送信を生成し得る。
【０１１９】
[0111]  基地局１０５は、ＰＵＳＣＨ送信のための割り振られたＲＥを監視し、割り振られたＲＥから、送信されたＵＣＩデータを復号することを試み得る。基地局１０５は、それぞれのＵＣＩデータペイロードの各々が適切に受信されたかどうかを決定するためにＣＲＣビットを使用し得る。ＵＥ１１５と基地局１０５の両方は、ＨＡＲＱ−ＡＣＫデータのためのペイロードサイズと、アップリンク送信のためにＵＥ１１５に割り振られたＲＥとを知り得る。特に、基地局１０５は、ダウンリンクパケットのスケジュールされた数に基づいてＨＡＲＱ−ＡＣＫのペイロードサイズを知り得る。さらに、ＵＥ１１５と基地局１０５の両方は、基地局において確立されたＣＳＩフィードバックタイプ／モード構成を仮定すれば、ＣＳＩパート１のペイロードサイズを知り得る。
【０１２０】
[0112]  しかしながら、ＣＳＩパート２のためのペイロードサイズは、ランク依存であり、したがって、ＵＥによって構成され得る。特に、ＵＥ１１５は、後続の物理ダウンリンク共有チャネル（ＰＤＳＣＨ：physical downlink shared channel）シグナリングのためのランク指示（ＲＩ：rank indication）を生成し、ＣＳＩパート１内でその指示を与え得る。その結果、基地局１０５は、ＣＳＩパート１を復号するまで、ＣＳＩパート２のためのペイロードサイズに気づいていないことがある。さらに、ＣＳＩパート２のためのペイロードサイズは、アップリンク送信ごとに著しくおよび動的に（たとえば、コンポーネントキャリアごとに０〜２００ビット）変動であり、それにより、リソースが異なるＵＣＩタイプの間でアップリンク送信においてどのようにスプリットされるかの、基地局１０５における不確実性を生じ得る。
【０１２１】
[0113]  従来の技法は、アップリンク送信においてＨＡＲＱ−ＡＣＫデータとＣＳＩデータとの間でＲＥを非効率的にスプリットする。すなわち、ＵＣＩがＰＵＳＣＨにピギーバックされたとき、許可されたＲＥをスプリットするための従来の技法は、単一のＵＣＩタイプが不相応に多数の許可されたＲＥを取得し、他のＵＣＩタイプが少数の許可されたＲＥを取得する（または許可されたＲＥのうちのいずれをも取得しない）スプリットを生じ得る。特に、式（１）の商は、分母値としてＣＳＩパート１を単独で含み、ＣＳＩパート２データまたはＨＡＲＱ−ＡＣＫデータについての値を含まない。その結果、ＨＡＲＱ−ＡＣＫデータのためのリソース割当ては、いくつかの状況において不均等であり得る。たとえば、ＨＡＲＱ−ＡＣＫデータ、ＣＳＩパート１データ、およびＣＳＩパート２データの各々のためのペイロードサイズＯが同じであるかどうか、ならびに重み付け係数βが同じであるかどうかを考慮する。したがって、
（ＯACK＋ＬACK）＝（ＯCSI-part1＋ＬCSI-part1）＝（ＯCSI-part2＋ＬCSI-part2）および
【０１２２】
【数１９】
2021508991.tif 000021
である。
【０１２３】
[0114]  割り振られるＲＥがＨＡＲＱ−ＡＣＫデータとＣＳＩパート１データとＣＳＩパート２データとの間で少なくともいくぶん一様にスプリットされること（たとえば、ＲＥの均一な割当て）が予想される。しかしながら、ＨＡＲＱ−ＡＣＫデータ、ＣＳＩパート１データ、およびＣＳＩパート２データの各々のためのペイロードサイズＯが同じである、ならびに重み付け係数βを、式（１）に挿入すると、最小関数の左側は
【０１２４】
【数２０】
2021508991.tif 000022
となり、これは、ＰＵＳＣＨ  ＲＥのすべて
【０１２５】
【数２１】
2021508991.tif 000023
がＨＡＲＱ−ＡＣＫデータに割り振られ、いずれもＣＳＩパート１データまたはＣＳＩパート２データに割り振られないことを意味する。したがって、従来の技法は、ＨＡＲＱ−ＡＣＫデータにＲＥを不均等に割り振り得る。
【０１２６】
[0115]  少なくともこの問題を改善するために、本明細書で説明される技法は、ＨＡＲＱ−ＡＣＫデータ、ＣＳＩパート１データ、およびＣＳＩパート２データ、ならびに随意にＵＬ−ＳＣＨデータの各々への、ＰＵＳＣＨ送信の割り振られるＲＥを効率的にスプリットし得る。いくつかの例では、スプリットすることは、ＣＳＩパート２のための基準ペイロードサイズに基づき得る。ＵＥ１１５および基地局１０５は、アップリンク基準信号（uplink reference signal）のために割り振られるＲＥをどのようにスプリットすべきかを計算し得、いくつかの例では、基準ペイロードサイズに従ってそれを計算し得る。基準ペイロードサイズの値は、他のＵＣＩタイプという犠牲を払って、不相応な量の利用可能なＲＥがＵＣＩタイプのうちの１つに割り振られる可能性を低減し得る。
【０１２７】
[0116]  ワイヤレス通信システム１００のいくつかの例では、ＰＵＳＣＨ送信に対応するＲＥ上へのＵＣＩのマッピングを含む、様々なＰＵＳＣＨリソースピギーバック展開シナリオがサポートされ得る。ＵＥ１１５は、ＵＣＩおよび／またはＵＬ−ＳＣＨデータを、アップリンク送信のための許可によって割り振られるＲＥにマッピングし得る。いくつかの例では、ＵＥ１１５は、ＵＬ−ＳＣＨデータをもつまたはもたないＰＵＳＣＨ送信にＵＣＩをピギーバックし得る。
【０１２８】
[0117]  一例では、ＵＥ１１５は、アップリンクリソース割振りの一部として基地局１０５から許可を受信し得る。許可は、アップリンク共有チャネルの１つまたは複数のリソースブロックおよび対応するＲＥがアップリンク送信（たとえば、ＰＵＳＣＨ送信）のためにＵＥ１１５に割り振られることを示し得る。いくつかの場合には、ＵＥ１１５は、少なくともＴＴＩごとに（たとえば、スロットごとに）サービング基地局１０５からダウンリンクシグナリングを介して（たとえば、ダウンリンク制御情報（ＤＣＩ）を介して）１つまたは複数のパラメータを受信し得る。パラメータは、重み付け係数、割振り上限パラメータなどであり得る。
【０１２９】
[0118]  いくつかの場合には、ＵＥ１１５は、１つまたは複数のパラメータ（たとえば、１つまたは複数の割振り上限パラメータ、１つまたは複数の重み付け係数など）を含み得る、基地局１０５からのＲＲＣシグナリングを受信し、処理し得る。受信されたＤＣＩおよび／またはＲＲＣシグナリングに基づいて、ＵＥ１１５は、ＵＣＩ組合せ（たとえば、ＵＣＩ）をアップリンクリソース割振りのＲＥにマッピングするためのリソースの数を計算し得る。さらに、いくつかの例では、ＵＥ１１５および基地局１０５の各々は、たとえば、ＣＳＩパート２のための基準ペイロードサイズに従って、ＲＥをスプリットし得る。その結果、ＵＥ１１５は、各ＵＣＩタイプのためのペイロードサイズおよび随意にＵＬ−ＳＣＨデータのペイロードサイズに比例して、異なるＵＣＩタイプ（たとえば、ＨＡＲＱ−ＡＣＫ、ＣＳＩパート１、ＣＳＩパート２）および随意にＵＬ−ＳＣＨデータの各々に割り振るためのＲＥの数（たとえば、コード化変調シンボルの数）を決定し得る。ＵＥ１１５は、スプリットに基づいてアップリンク送信を生成し、許可中で示されたアップリンク共有チャネルのＲＥ内でアップリンク送信を送信し得る。基地局１０５は、ＵＣＩタイプおよび随意にＵＬ−ＳＣＨデータの間でＲＥをどのようにスプリットすべきかの同様の計算を適用し、スプリットに従って生成されたアップリンク送信のためのアップリンク共有チャネルのＲＥを監視し得る。
【０１３０】
[0119]  図２は、本開示の様々な態様による、アップリンク共有チャネル上での送信のための異なるタイプの制御情報およびアップリンクデータの間のリソーススプリッティングをサポートするワイヤレス通信システム２００の一例を示す。いくつかの例では、ワイヤレス通信システム２００は、ワイヤレス通信システム１００の態様を実装し得る。たとえば、ワイヤレス通信システム２００は、図１を参照しながら説明された対応するデバイスの例であり得る、ＵＥ１１５−ａと基地局１０５−ａとを含む。ワイヤレス通信システム２００は、ＵＬ−ＳＣＨデータを含むことも含まないこともあるＰＵＳＣＨ送信にＣＳＩをピギーバックすることをサポートし得る。
【０１３１】
[0120]  ＵＥ１１５−ａは、基地局１０５−ａと同期され、基地局１０５−ａにキャンプオンされ得る。一例では、ＵＥ１１５−ａは、基地局１０５−ａとのＲＲＣ接続の確立を開始し得、認可および無認可（共有）無線周波数スペクトル帯域リソース上で情報２０５を受信および送信するように構成され得る。ＵＥ１１５−ａとサービスネットワークのＰ−ＧＷとの間のエンドツーエンド接続性を確立するために、追加のベアラコンテキストが、ＰＤＮ接続性の一部としてＵＥ１１５−ａに割り振られ得る。
【０１３２】
[0121]  ＵＥ１１５−ａは、１つまたは複数のパラメータとアップリンク共有チャネル内のリソースのアップリンクリソース許可とのためのＤＣＩ指示および／またはＲＲＣシグナリング指示を含む、基地局１０５−ａからのダウンリンクシグナリングを受信し得る。いくつかの場合には、ＵＥ１１５−ａは、リソーススケーリングの一部として、それぞれのＵＣＩタイプに対応する重み付け係数のセットを取得するために、基地局１０５−ａによって通信されたＲＲＣシグナリングまたはＤＣＩを処理し得る。いくつかの例では、ダウンリンクシグナリングは、異なるＵＣＩタイプのセットおよび随意にＵＬ−ＳＣＨデータの間でアップリンクリソース割振りのＲＥをどのようにスプリットすべきかを計算するためにどの方法を使用すべきかを示し得る。
【０１３３】
[0122]  許可は、ＯＦＤＭシンボルのセットとサブキャリアのセットにわたる帯域幅とにわたり得る、アップリンク送信のために割り振られる時間および周波数リソースを示し得る。一例では、許可は、アップリンク送信のための１つまたは複数のリソースブロックのセットを識別し得、リソースブロックの各々はＲＥのセットを含み得る。各リソース要素は、単一のサブキャリア（たとえば、トーン）および単一のＯＦＤＭシンボルに対応し得る。いくつかの場合には、ＵＥ１１５−ａは、ＵＬ−ＳＣＨデータをトランスポートするためにＰＵＳＣＨ送信のためのＲＥのうちのいくつかが割り振られるか、またはいずれも割り振られないと決定するために、許可を処理し得る。ＵＥ１１５−ａは、許可のＲＥへのリソース割振りのために、マルチパートＣＳＩデータ送信（multi-part CSI data transmission）を含む、１つまたは複数のＵＣＩ組合せ（たとえば、タイプ）を決定し得る。さらに、いくつかの例では、ＵＥ１１５−ａは、ＣＳＩパート２データのための基準ペイロードサイズを決定し得る。基準ペイロードサイズは、アップリンク送信中に含まれ、ＨＡＲＱ−ＡＣＫデータ、ＣＳＩパート１データ、および随意にＵＬ−ＳＣＨデータに割り振るためのＲＥの数を計算するための、本明細書で説明される式において使用されるべき、ＣＳＩパート２データのペイロードのサイズであり得る。
【０１３４】
[0123]  ＵＥ１１５−ａは、アップリンク許可の割り振られるＲＥのセットを評価し、アップリンクリソース割振り内の、ＵＣＩタイプおよび随意にＵＬ−ＳＣＨデータの間のリソーススプリッティングを決定し得る。特に、ＵＥ１１５−ａは、ＨＡＲＱ−ＡＣＫデータ、ＣＳＩパート１データ、ＣＳＩパート２データ、および随意にＵＬ−ＳＣＨデータの間のアップリンクリソース割振りのＲＥのスプリッティングを決定し得る。リソーススプリッティングは、ＵＣＩタイプの各々に、および随意にＵＬ−ＳＣＨデータに割り振るためのＲＥの数を計算することを含み得る。計算は、たとえばＣＳＩパート２データのための基準ペイロードサイズを含む、各ＵＣＩタイプおよび随意にＵＬ−ＳＣＨデータのための受信された重み付け係数およびそれぞれのペイロードサイズに比例し得る。決定は、他のタイプの情報および／またはデータ（たとえば、復調基準信号、ＰＴＲＳなど）をトランスポートするために割り振られたＰＵＳＣＨ送信のＲＥを除く、ＰＵＳＣＨ送信のために割り振られた帯域幅とＯＦＤＭシンボルの総数との関数であり得る。
【０１３５】
[0124]  いくつかの場合には、ＵＥ１１５−ａは、計算上の（calculative）関数のセットに基づいて、ＨＡＲＱ−ＡＣＫデータ、ＣＳＩパート１データ、ＣＳＩパート２データ、および随意にＵＬ−ＳＣＨデータの各々に割り振るためのＲＥの数を計算し得る。たとえば、ＨＡＲＱ−ＡＣＫおよびＣＳＩパート１のための計算は、多入力単出力（ＭＩＳＯ：multiple-input single-output）伝達関数（transfer function）に基づき得る。ＭＩＳＯ関数は、各々、入力関数のペアの相対最小出力を計算し得る。いくつかの場合には、出力は、付加されたＣＲＣビットの数を含むそれらのそれぞれのペイロードサイズ（たとえば、ビット数）に比例して、ＵＣＩタイプおよび随意にＵＬ−ＳＣＨデータ間で、ＰＵＳＣＨ送信のために、割り振られるＲＥをスプリットするための指示を与え得る。
【０１３６】
[0125]  割り振られるＲＥのスプリッティングは、各ＵＣＩタイプの受信された重み付け係数（たとえば、リソースオフセット係数）および随意にＵＬ−ＳＣＨデータによって線形的にスケーリングされ得る。いくつかの場合には、ＣＳＩパート１データおよび／またはＨＡＲＱ−ＡＣＫデータに割り振られるＲＥの数は、ＤＭＲＳ、ＰＴＲＳ、追加のＵＣＩデータなどのうちの１つまたは複数に割り当てられたＰＵＳＣＨ送信のＲＥを除く、利用可能なリソースの総数に基づく（たとえば、上限を定められた）最大値を有し得る。いくつかの例では、ＣＳＩパート２のためのＲＥの計算された割振りは、計算された差に対応し得る。たとえば、計算された差は、ＨＡＲＱ−ＡＣＫおよびＣＳＩパート１送信のための割り振られるＲＥの計算された数を除くリソースの総数（たとえば、許可中で示されたすべての割り振られるＲＥ）に基づく、ＣＳＩパート２についての要素の数に対応し得る。
【０１３７】
[0126]  いくつかの例では、ＵＥ１１５−ａは、各ＵＣＩタイプへの割振りのためのＲＥの量の上限を定め得る。特に、ＨＡＲＱ−ＡＣＫ、ＣＳＩパート１、およびいくつかの場合には、ＣＳＩパート２のために割り振られ得るＲＥの量の上限が、ＤＣＩおよび／またはＲＲＣシグナリングを介して基地局１０５−ａからＵＥ１１５−ａによって受信された１つまたは複数の割振り上限パラメータによって導入され得る。たとえば、ＵＥ１１５−ａは、個々の多入力単出力（ＭＩＳＯ）伝達関数に従ってＨＡＲＱ−ＡＣＫおよびＣＳＩパート１の各々についてのリソースの数を決定し得る。関数は、各々、入力関数のペアの相対最小出力を計算し得る。いくつかの場合には、最小出力は、各々、ＣＳＩパート２のための仮定された基準サイズに対するそれらのそれぞれのペイロードサイズに比例する、ＨＡＲＱ−ＡＣＫおよびＣＳＩパート１の各々への割振りのためのＲＥの数に対応し得る。
【０１３８】
[0127]  いくつかの例では、ＨＡＲＱ−ＡＣＫデータおよびＣＳＩパート１データの各々に割り振られるＲＥの数は、利用可能なリソースの総数の比例に基づく（たとえば、上限を定められた）最大値を有し得る。比例は、１つまたは複数の割振り上限パラメータに従って計算され得る。いくつかの例では、ＣＳＩパート２のためのＲＥの計算された割振りは、計算された差、またはリソースの総数の比例重み付けのいずれかに対応し得る。詳細には、計算された差は、ＨＡＲＱ−ＡＣＫおよびＣＳＩパート１送信のための割り振られるＲＥの計算された数を除くリソースの総数（たとえば、許可中で示されたすべての割り振られるＲＥ）に基づく、ＣＳＩパート２についてのリソース（たとえば、ＲＥ）の量に対応し得る。比例重み付けは、利用可能なリソースの総数の比例に対応し得る。ＨＡＲＱ−ＡＣＫおよびＣＳＩパート１と同様に、ＣＳＩパート２のための比例は、１つまたは複数の追加のパラメータ化値に従って計算され得る。
【０１３９】
[0128]  ＵＣＩの各タイプおよび随意にＵＬ−ＳＣＨデータのために割り振るためのＲＥの数の計算に続いて、ＵＥ１１５−ａは、各ＵＣＩタイプおよび随意にＵＬ−ＳＣＨデータについてのＲＥのそれぞれの計算された数に対応するマッピングパターンに従って、ＨＡＲＱ−ＡＣＫデータ、ＣＳＩパート１データ、ＣＳＩパート２データ、および随意にＵＬ−ＳＣＨデータのためのＲＥをマッピングし得る。一例では、基地局１０５−ａは、ＨＡＲＱ−ＡＣＫデータ、ＣＳＩパート１および２データ、ならびに随意にＵＬ−ＳＣＨデータについてのＲＥの異なる数のためのマッピングパターンのセットでＵＥ１１５−ａを構成し得る。別の例では、ＵＥ１１５−ａは、マッピングパターンのセットをローカルに記憶し得る。マッピングパターンは、リソーススプリッティング、およびいくつかの例ではＣＳＩパート２のための基準ペイロードサイズに基づいて、ＰＵＳＣＨ送信のどのＲＥにおいて、ＨＡＲＱ−ＡＣＫ指示、ＣＳＩパート１データ、ＣＳＩパート２データ、および随意にＵＬ−ＳＣＨデータをマッピングすべきかを指定し得る。ＵＥ１１５−ａはまた、ＰＵＳＣＨ送信のＲＥへの他のタイプのデータおよび／または情報（たとえば、ＤＭＲＳ、ＰＴＲＳ、ＵＣＩ、ＣＲＣビットなど）をどこにマッピングすべきかを決定するためにマッピングパターンを処理し得る。ＵＥ１１５−ａは、スプリットおよび対応するマッピングパターンに基づいてＰＵＳＣＨ送信を生成し、許可中で割り振られるアップリンク共有チャネルのＲＥ内でＰＵＳＣＨ送信を送信し得る。
【０１４０】
[0129]  基地局１０５−ａは、ＵＥ１１５−ａによって決定されたのと同様にして、各ＵＣＩタイプおよび随意にＵＬ−ＳＣＨデータのための計算上の関数に基づいてアップリンクリソース割振りのＲＥのリソーススプリッティングを計算し得る。基地局１０５−ａは、各ＵＣＩタイプおよび随意にＵＬ−ＳＣＨデータについてのＲＥのそれぞれの計算された数に対応するマッピングパターンを決定し、計算されたリソーススプリットに対応する、ＵＥ１１５−ａからのＰＵＳＣＨ送信のための共有チャネルを監視し得る。一例では、基地局１０５−ａは、決定されたスプリットに従って許可中で割り振られるＲＥに対応するアップリンク共有チャネルのコード化変調シンボルを復号することを試み得る。特に、基地局１０５−ａは、ＨＡＲＱ−ＡＣＫデータとＣＳＩパート１データとＣＳＩパート２データと随意にＵＬ−ＳＣＨデータとの間のリソーススプリッティング比例を決定し得る。いくつかの例では、そのような決定は、ＣＳＩパート２のための基準ペイロードサイズに基づき得る。基地局１０５−ａは、次いで、アップリンク共有チャネルのＲＥのうちのどれがＨＡＲＱ−ＡＣＫデータを含むか、どのＲＥがＣＳＩパート１データを含むか、どのＲＥがＣＳＩパート２データを含むか、および随意にどのＲＥがＵＬ−ＳＣＨデータを含むかを知り得る。
【０１４１】
[0130]  基地局１０５−ａは、ＨＡＲＱ−ＡＣＫデータ、ＣＳＩパート１データ、ＣＳＩパート２データ、および随意にＵＬ−ＳＣＨデータの既知のロケーションに従う、ＰＵＳＣＨ送信のために割り振られるＲＥの復号が、ＣＲＣチェックをパスしたかどうかを決定し得る。たとえば、基地局１０５−ａの受信機は、既知のロケーションに従ってアップリンク共有チャネルの割り振られるＲＥのシンボルを処理し、ＨＡＲＱ−ＡＣＫデータ、ＣＳＩパート１データ、ＣＳＩパート２データ、および随意にＵＬ−ＳＣＨデータのそれぞれのペイロードに対応するＣＲＣビットのロケーションを識別し得る。いくつかの場合には、観測された（すなわち、受信された）ＣＲＣビットが特定のペイロードのための予想されたＣＲＣビットシーケンスに一致する（たとえば、ＨＡＲＱ−ＡＣＫデータペイロードのための受信されたＣＲＣビットが、計算されたＣＲＣビットに一致する）場合、基地局１０５−ａは、そのペイロードの正確な受信を決定し得る。ペイロードのうちの少なくとも１つに対応するＣＲＣチェックが失敗した場合、基地局１０５−ａは、復号誤りを識別し、誤り検出をパスしなかったペイロードのうちの少なくとも１つまたは複数の再送信を要求し得る。
【０１４２】
[0131]  本明細書で説明される例は、ＵＣＩデータタイプおよび随意にＵＬ−ＳＣＨデータの間のアップリンクリソース割振りのリソーススプリッティングを計算するための改善された技法を提供し得、ここで、ＰＵＳＣＨ送信はＵＬ−ＳＣＨデータを含むことも含まないこともある。ＵＥ１１５−ａは、ＤＣＩを介してまたはＲＲＣシグナリングを介して１つまたは複数のパラメータを受信し、アップリンク送信のためのアップリンク共有チャネルのＲＥのセットの許可を受信し、その後、ＨＡＲＱ−ＡＣＫデータ、ＣＳＩパート１データ、ＣＳＩパート２データ、および随意にＵＬ−ＳＣＨデータに割り振るためのＲＥのスプリットを計算し得る。いくつかの例では、そのような、スプリットを計算することは、ＣＳＩパート２のための基準ペイロードサイズに基づき得る。いくつかの例では、ＵＣＩ組合せのデータペイロードに割り振るために利用可能なＰＵＳＣＨ送信のＲＥの数は、ＤＭＲＳ、ＰＴＲＳシグナリングなどのために割り振られるＰＵＳＣＨ送信のＲＥを除外し得る。
【０１４３】
[0132]  一例では、ＵＥ１１５−ａは、ＨＡＲＱ−ＡＣＫデータ、ＣＳＩパート１データ、ＣＳＩパート２データ、および随意にＵＬ−ＳＣＨデータの間で、アップリンク許可のＲＥをスプリットすること得る。同様に、基地局１０５−ａは、アップリンク送信を復号するより前にＲＥのスプリットし得る。決定するための計算上の方法は、基地局１０５−ａのダウンリンクシグナリング指示に基づいて、ＵＥ１１５−ａおよび基地局１０５−ａによって事前構成または協調され得る。
【０１４４】
[0133]  さらに、ＣＳＩパート２のための基準ペイロードサイズが、ＵＥ１１５−ａと基地局１０５−ａとの間で一緒に協調されるか、または基地局１０５−ａおよびＵＥ１１５−ａの各々において事前構成され得る。図３Ａは、本開示の様々な態様による、アップリンク共有チャネル上での送信のための異なるタイプの制御情報およびアップリンクデータの間のリソーススプリッティングをサポートする時間および周波数リソースの例示的な図３００−ａを示す。アップリンク送信のためにＵＥ１１５−ａに割り振られるＲＥ３７０−ａのセットを有するＰＵＳＣＨ３５５−ａを含む送信時間間隔（ＴＴＩ）３０５−ａが図示されている。ＴＴＩ３０５−ａは、基地局１０５−ａがアップリンク送信のためにＵＥ１１５−ａに割り振り得る時間および周波数リソースのセットである、ＯＦＤＭシンボルのセットおよびセットサブキャリアに対応し得る。周波数が上下に示されており、時間が左右に示されている。ＴＴＩ３０５−ａの帯域幅は、基地局１０５−ａが１つまたは複数のＵＥ１１５に割り振り得るシステム帯域幅の一部分を表し得る。ＴＴＩ３０５−ａは時間的に繰り返し得、基地局１０５−ａは、各ＴＴＩ３０５−ａを同じＵＥにまたは異なるＵＥに割り振り得る。ＴＴＩ３０５−ａの時間および周波数リソースは、１２個のサブキャリアと１４個のシンボル期間とを含むリソースブロックに対応し得る。ＴＴＩ３０５−ａの時間および周波数リソースは、他の数のサブキャリアおよび／またはシンボル期間を含み得る。
【０１４５】
[0134]  ＴＴＩ３０５−ａの第１のシンボル期間（たとえば、最左列）は物理ダウンリンク制御チャネル（ＰＤＣＣＨ：physical downlink control channel）３１５−ａであり得、第２のシンボル期間はガード期間（guard period）３５０であり得る。ＰＤＣＣＨ３１５−ａは、ＴＴＩ３０５−ａのＰＵＳＣＨ３５５−ａのリソースをＵＥ１１５−ａに割り振る許可をトランスポートする、ＤＣＩなどのダウンリンクシグナリングを含み得る。いくつかの例では、ダウンリンクシグナリングは、基地局１０５−ａおよび１つまたは複数のＵＥ１１５における協調リソース計算のための計算方法指示をさらに含み得る。ダウンリンクシグナリングは、アップリンクリソース割振りのＲＥのスプリッティングを計算する際に使用するための、ＨＡＲＱ−ＡＣＫデータ、ＣＳＩパート１データ、ＣＳＩパート２データ、および随意にＵＬ−ＳＣＨデータの各々のための重み付け係数を含む、１つまたは複数のパラメータをさらに含み得る。ガード期間３５０は、ダウンリンク送信とアップリンク送信との間の干渉をなくすのを助けるための情報および／またはデータをトランスポートしないことがある。
【０１４６】
[0135]  ＰＵＳＣＨ３５５−ａは、ＴＴＩ３０５−ａの第３〜第１４のシンボル期間を含むシンボル期間３６０−ａのセットとＰＵＳＣＨ３５５−ａの帯域幅３６５−ａ内のサブキャリアのセットとに対応するＲＥのセットであり得る。図示された例では、ＰＵＳＣＨ３５５−ａは、１４４個のＲＥ３７０を含み、他の例では他の数のＲＥを含み得る。
【０１４７】
[0136]  ＨＡＲＱ−ＡＣＫおよびＣＳＩパート１の各々について、ＵＥ１１５−ａは、多入力単出力（ＭＩＳＯ）伝達関数のペアに従って、ＨＡＲＱ−ＡＣＫおよびＣＳＩパート１に割り振るための、ＰＵＳＣＨ３５５のＲＥの数を計算し得る。ＭＩＳＯ関数は、入力関数のペアの比較的小さい得られた値を計算し得る。より小さい得られた値は、それぞれ、ＨＡＲＱ−ＡＣＫデータおよびＣＳＩパート１データに割り振るためのＲＥの数であり得る。
【０１４８】
[0137]  伝達関数の第１の入力は、ＵＣＩタイプの重み付けされたペイロードサイズと、ＨＡＲＱ−ＡＣＫ、ＣＳＩパート１のための重み付けされたペイロードサイズ、およびいくつかの例ではＣＳＩパート２のための基準ペイロードサイズを含む、重み付けされた総ＵＣＩペイロードとの間の商として表される線形的にスケーリングされた比例関数を含み得る。たとえば、ＨＡＲＱ−ＡＣＫのための伝達関数は、分子においてＨＡＲＱ−ＡＣＫのためのペイロードサイズと重み付け係数との積を含み、分母において総ＵＣＩデータペイロードの和重み付け積（sum-weighted product）を含み得る。同様に、ＣＳＩパート１のための伝達関数は、分子においてＣＳＩパート１のためのペイロードサイズと重み付け係数との積を含み、分母において総ＵＣＩデータペイロードの和重み付け積を含み得る。各ＵＣＩタイプのペイロードサイズは、それぞれのＵＣＩタイプのためのＣＲＣビットを含み得る。基地局１０５−ａとＵＥ１１５−ａとは、ＣＳＩパート１データ３３０−ａのためのＣＲＣビットとＣＳＩパート２データ３３５−ａのためのＣＲＣビットとを生成するために使用される同じＣＲＣアルゴリズムを共有し得る。
【０１４９】
[0138]  ＨＡＲＱ−ＡＣＫの場合、伝達関数の第２の入力は、ＰＵＳＣＨ３５５−ａのアップリンクリソース割振り内で利用可能なＲＥの数を表すセットについての総和関数（summation function）の出力値に対応し得る。ＣＳＩパート１のための伝達関数の第２の入力は、ＰＵＳＣＨ３５５−ａ内の送信のために利用可能なＲＥの数を表すセットについての総和関数の出力値と、ＨＡＲＱ−ＡＣＫ３２５−ａに割り振られるＰＵＳＣＨ３５５−ａのＲＥの総数との間の計算された差に対応し得る。ＤＭＲＳ３２０−ａおよび３４０−ａ、ＰＴＲＳシグナリング３７５−ａ、または追加のＵＣＩ組合せに割り当てられるＲＥは、ＨＡＲＱ−ＡＣＫ３２５−ａおよびＣＳＩパート１データ３３０−ａの各々に割り振られ得るＰＵＳＣＨ３５５−ａの利用可能なＲＥのセットから減算され得る。
【０１５０】
[0139]  たとえば、いくつかの場合には、Ｑ’ACKとして示された、ＨＡＲＱ−ＡＣＫに割り振るためのＲＥの数は、式（２）によって以下のように決定され得る。
【０１５１】
【数２２】
2021508991.tif 000024
【０１５２】
Ｑ’CSI-part1として示された、ＣＳＩパート１データに割り振るためのＲＥの数は、式（３）によって以下のように決定され得る。
【０１５３】
【数２３】
2021508991.tif 000025
【０１５４】
それぞれの関数の各々について、ＯACKはＨＡＲＱ−ＡＣＫのためのビット数であり得、ＯCSI-part1はＣＳＩパート１のためのビット数であり得る。ＬACKはＨＡＲＱ−ＡＣＫのためのＣＲＣビットの数であり得、ＬCSI-part1はＣＳＩパート１のためのＣＲＣビットの数であり得る。ＯCSI,1がビットしきい値（たとえば、１１ビット）よりも小さいかまたはそれに等しい場合、ＬCSI-part1は値０に設定され得る。ＨＡＲＱ−ＡＣＫのためのＣＲＣビットは、ＨＡＲＱ−ＡＣＫデータペイロードに対応する情報ブロックに付加され得、ＵＥ１１５−ａにおいて受信されるダウンリンクシグナリングの受信検証のために実装され得る。ＣＳＩパート１のためのＣＲＣビットは、ＣＳＩパート１データペイロードに対応する情報ブロックに付加され得、アップリンクシグナリングの誤り管理技法のために実装され得る。
【０１５５】
[0140]  ＯCSI-part2-referenceは、ＣＳＩパート２の基準ペイロードサイズのビット数であり得る。いくつかの場合には、ＯCSI-part2-referenceは、ＣＳＩパート２のための基準ペイロードサイズを与えるために基地局１０５−ａと一緒に協調され得る。いくつかの場合には、ＯCSI-part2-referenceは、仮定されたＲＩ値に基づいて基地局１０５−ａおよびＵＥ１１５−ａの各々において事前構成され得る。たとえば、基地局１０５−ａおよびＵＥ１１５−ａは、１のランク値（たとえば、ＲＩ）で事前構成されるか、または１のランク値（たとえば、ＲＩ）をシグナリングし、そのランク値に基づいてＯCSI-part2-referenceのためのペイロードサイズを決定し得る。他のＲＩ値は、基地局１０５−ａおよびＵＥ１１５−ａによって事前構成またはシグナリングされ、ＣＳＩパート２のためのペイロードサイズを決定するために協調され得る。ＬCSI-part2-referenceは、ＣＳＩパート２のためのＣＲＣビットの数であり得る。ＯCSI-part2-referenceがビットしきい値（たとえば、１１ビット）よりも小さいかまたはそれに等しい場合、ＬCSI-part2-referenceは値０に設定され得る。ＣＳＩパート２のためのＣＲＣビットは、ＣＳＩパート２データペイロードに対応する情報ブロックに付加され得、広帯域およびサブバンドＣＱＩフィードバックを含むフィードバック指示のために実装され得る。
【０１５６】
[0141]  
【数２４】
2021508991.tif 000026
【０１５７】
は、サブキャリアの数として表された、ＰＵＳＣＨ送信のスケジュールされた帯域幅であり得、
【０１５８】
【数２５】
2021508991.tif 000027
は、ＤＭＲＳのために使用されるすべてのＯＦＤＭ／シングルキャリア周波数分割多元接続（ＳＣ−ＦＤＭＡ）シンボルを除く、ＰＵＳＣＨ送信のＯＦＤＭシンボルの数であり得る。ＳＣ−ＦＤＭＡは、ＤＦＴ−Ｓ−ＯＦＤＭとしても知られ得る。
【０１５９】
【数２６】
2021508991.tif 000028
と
【０１６０】
【数２７】
2021508991.tif 000029
との積は、ＤＭＲＳのために割り振られるすべてのＲＥを減じた、許可によって割り振られるＰＵＳＣＨのＲＥの総数を表し得る。
【０１６１】
[0142]  
【数２８】
2021508991.tif 000030
【０１６２】
は、ＨＡＲＱ−ＡＣＫデータ送信のための重み付け係数であり得る。
【０１６３】
【数２９】
2021508991.tif 000031
【０１６４】
は、式（２）において表される線形的にスケーリングされた比例関数の分子において表され得る。同様に、
【０１６５】
【数３０】
2021508991.tif 000032
【０１６６】
は、ＣＳＩパート１のための重み付け係数であり得、
【０１６７】
【数３１】
2021508991.tif 000033
【０１６８】
は、ＣＳＩパート２のための重み付け係数であり得る。表された重み付け係数の各々は、ＵＣＩタイプの間のリソース要素スプリッティングのための、アップリンクリソース割振りのリソーススケーリングに関連し得る。
【０１６９】
[0143]  
【数３２】
2021508991.tif 000034
【０１７０】
は、ＰＵＳＣＨ送信における、ＰＴＲＳを搬送するＯＦＤＭシンボル中のサブキャリアの数であり得、
【０１７１】
【数３３】
2021508991.tif 000035
【０１７２】
は、ＤＭＲＳのために使用されるすべてのＯＦＤＭシンボルを除く、ＰＵＳＣＨ送信における、ＰＴＲＳを搬送するＯＦＤＭシンボルの数であり得る。
【０１７３】
【数３４】
2021508991.tif 000036
は、セット
【０１７４】
【数３５】
2021508991.tif 000037
中の要素の数であり得、ここで、
【０１７５】
【数３６】
2021508991.tif 000038
【０１７６】
は、
【０１７７】
【数３７】
2021508991.tif 000039
【０１７８】
の場合の、ＯＦＤＭシンボル期間ｌ中のＵＣＩの送信のために利用可能なＲＥのセットであり、
【０１７９】
【数３８】
2021508991.tif 000040
【０１８０】
は、ＰＴＲＳによって占有され、したがって、セット
【０１８１】
【数３９】
2021508991.tif 000041
【０１８２】
中で除外される、ＲＥを減じたＰＵＳＣＨのＯＦＤＭシンボルの総数である。ＰＴＲＳによって占有されるＲＥは、
【０１８３】
【数４０】
2021508991.tif 000042
および
【０１８４】
【数４１】
2021508991.tif 000043
【０１８５】
に基づいて決定され得る。
【０１８６】
[0144]  ＵＥ１１５−ａは、ＨＡＲＱ−ＡＣＫデータおよびＣＳＩパート１データの間でＲＥの数をどのようにスプリットすべきかを計算するために式（２）および（３）を使用し得る。
【０１８７】
[0145]  一例では、ＵＥ１１５−ａは、ＨＡＲＱ−ＡＣＫデータの重み付けされたペイロードサイズと、ＣＳＩパート１データの重み付けされたペイロードサイズ
【０１８８】
【数４２】
2021508991.tif 000044
【０１８９】
と、基準ペイロードサイズサイズの重み付けされたペイロードサイズ
【０１９０】
【数４３】
2021508991.tif 000045
【０１９１】
との関数に対するＨＡＲＱ−ＡＣＫデータの重み付けされたペイロードサイズ
【０１９２】
【数４４】
2021508991.tif 000046
【０１９３】
に比例して、ＨＡＲＱ−ＡＣＫデータ３２５−ａに割り振るための許可されたＲＥの数を計算するために、式（２）を使用し得る。一例では、ＵＥ１１５−ａは、ＨＡＲＱ−ＡＣＫデータの重み付けされたペイロードサイズと、ＣＳＩパート１データの重み付けされたペイロードサイズと、基準ペイロードサイズの重み付けされたペイロードサイズとの関数に対するＣＳＩパート１データの重み付けされたペイロードサイズに比例して、ＣＳＩパート１データに割り振るための許可されたＲＥの数を計算するために、式（３）を使用し得る。
【０１９４】
[0146]  ＵＥ１１５−ａは、次いで、計算された差に基づいて、Ｑ’CSI-part2として示された、ＣＳＩパート２に割り振るためのＲＥの数を計算し得る。計算された差は、式（４）によって以下のように示される、ＨＡＲＱ−ＡＣＫおよびＣＳＩパート１送信のための割り振られるＲＥの計算された数を除くリソースの総数（たとえば、許可中で示されたすべての割り振られるＲＥ）に基づく、ＣＳＩパート２についての要素の数に対応し得る。
【０１９５】
【数４５】
2021508991.tif 000047
【０１９６】
[0147]  計算された差は、ＰＵＳＣＨ３５５−ａの残りのＲＥに対応し得る。残りのＲＥは、ＤＭＲＳ３２０−ａおよび３４０−ａならびにＰＴＲＳ３７５−ａなど、他の情報および／またはデータの送信のために割り振られるＲＥを除外し得る。残りのＲＥがない場合、ＵＥ１１５−ａは、ＣＳＩパート２データのトランスポートのためにＰＵＳＣＨ３５５−ａのＲＥを割り振らないことがある。
【０１９７】
[0148]  いくつかの場合には、実際のＣＳＩパート２データペイロードがＣＳＩパート２についての割り振られるＲＥの計算された数の容量を超えた場合、ＵＥ１１５−ａは、計算の割り振られるリソース要素容量を満たすために、ＣＳＩパート２データペイロードの過剰ビットをドロップし得る。特に、ＵＥ１１５−ａは、ＣＳＩパート２のための割り振られるＲＥ内に広帯域ＣＱＩフィードバックのためのビットを含めながら、サブバンドＣＱＩフィードバックに対応するビットをドロップし得る。
【０１９８】
[0149]  ＵＥ１１５−ａは、ＨＡＲＱ−ＡＣＫ３２５−ａ、ＣＳＩパート１データ３３０−ａ、およびＣＳＩパート２データ３３５−ａについてのＲＥのそれぞれの計算された数に対応するマッピングパターンに従って、ＵＣＩ組合せのためのＲＥをマッピングし得る。一例では、基地局１０５−ａは、ＨＡＲＱ−ＡＣＫ３２５−ａ、ＣＳＩパート１データ３３０−ａ、およびＣＳＩパート２データ３３５−ａについてのＲＥの異なる数のためのマッピングパターンのセットでＵＥ１１５−ａを構成し得る。別の例では、ＵＥ１１５−ａは、マッピングパターンのセットをローカルに記憶し得る。マッピングパターンは、ＰＵＳＣＨ送信のどのＲＥにおいてＵＣＩ組合せをマッピングすべきかを指定し得る。例示的なマッピングパターンは図３Ａ中のＰＵＳＣＨ３５５−ａのシェーディングに対応し、ここで、第１のシェーディングパターンは、ＨＡＲＱ−ＡＣＫデータ３２５−ａをトランスポートするためにどのＲＥ３７０−ａが使用されるかを示し、第２のシェーディングパターンは、ＣＳＩパート１データ３３０−ａをトランスポートするためにどのＲＥ３７０−ａが使用されるかを示し、ＣＳＩパート２データ３３５−ａをトランスポートするために第３のシェーディングパターンＲＥ３７０−ａが使用される。その結果、マッピングは、各ＵＣＩタイプのためのペイロードサイズに比例するアップリンクリソース割振りのリソーススプリッティングに対応し得る。マッピングパターンは、ＤＭＲＳ３２０−ａおよび３４０−ａ、ならびにＰＴＲＳ３７５−ａをトランスポートするためにＰＵＳＣＨ３５５−ａのどのＲＥが割り振られるかをも示し得る。
【０１９９】
[0150]  ＤＭＲＳ３２０−ａおよび３４０−ａは、アップリンク共有チャネルのチャネル推定およびコヒーレント復調を助け得る。ＤＭＲＳ３２０−ａおよび３４０−ａの各々は、複素数値Ｚａｄｏｆｆ−Ｃｈｕシーケンスに従って変調され、ＯＦＤＭを使用してＰＵＳＣＨのサブキャリア上に直接マッピングされ得る。いくつかの場合には、ＵＥ１１５−ａは、特定のシンボル期間中のすべてのサブキャリア周波数にＤＭＲＳ３２０−ａまたはＤＭＲＳ３４０−ａをマッピングし得る。いくつかの場合には、ＵＥ１１５−ａは、特定のシンボル期間中の別個のＲＥにＤＭＲＳ３２０−ａまたはＤＭＲＳ３４０−ａをマッピングし得、ＤＭＲＳをトランスポートするシンボルを含むＲＥ間で何も送信されないリソース周波数ギャップ３８０−ａを可能にする。これは、ＤＭＲＳシグナリングのための、くし状構造（comb-like structure）として参照され得る。
【０２００】
[0151]  さらに、ＰＴＲＳ３７５−ａは、ＰＵＳＣＨ３５５−ａの１つまたは複数のＲＥ内でトランスポートされ得る。ＰＴＲＳ３７５−ａは、チャネルのキャリア特性に関連する発振器位相雑音（oscillator phase noise）の補償を可能にするためにＮＲシステムにおいて実装され得る。詳細には、位相雑音は、発振器キャリア周波数の関数として増加し得る。したがって、ＰＴＲＳ３７５−ａは、位相雑音、およびしたがってシグナリングに対する潜在的劣化（たとえば、共通位相誤差（ＣＰＥ：common phase error）を緩和するために、高いキャリア周波数（たとえば、ｍｍＷ）のために利用され得る。
【０２０１】
[0152]  ＵＥ１１５−ａは、マッピングパターンに基づいて生成される波形であるＰＵＳＣＨ送信を生成し、許可中でＵＥ１１５−ａに割り振られるＲＥのセット内でＰＵＳＣＨ送信を送信し得る。いくつかの場合には、ＵＥ１１５−ａは、ＤＦＴ−Ｓ−ＯＦＤＭ波形、ＣＰ−ＯＦＤＭ波形などを生成するように構成され得る。
【０２０２】
[0153]  基地局１０５−ａは、ＵＥ１１５−ａからのＰＵＳＣＨ送信のための共有チャネルを監視し得る。一例では、基地局１０５−ａは、各ＵＣＩタイプのための計算上の関数に基づいてアップリンクリソース割振りのリソーススプリッティング（resource splitting）を計算し得る。特に、基地局１０５−ａは、同様に、式（１）に従ってＨＡＲＱ−ＡＣＫ３２５−ａについての割り振られるＲＥの数を計算し、式（２）に従ってＣＳＩパート１データ３３０−ａについての割り振られるＲＥの数を計算し、式（３）に従ってＣＳＩパート２データ３３５−ａについての割り振られるＲＥの数を計算し得る。いくつかの場合には、計算は、各ＵＣＩタイプのための重み付け係数およびそれぞれのペイロードサイズに比例し得る。
【０２０３】
[0154]  基地局１０５−ａは、許可中で示された割振りに対応するアップリンク共有チャネルのコード化変調シンボルを復号することを試み得る。基地局１０５−ａはまた、アップリンク共有チャネル内のＨＡＲＱ−ＡＣＫデータ、ＣＳＩパート１データ、およびＣＳＩパート２データのためのＣＲＣビットのロケーションを決定し得る。基地局１０５−ａは、決定されたスプリットに従う、ＰＵＳＣＨ送信のために割り振られるＲＥの復号が、ＣＲＣチェックをパスしたかどうかを決定し得る。いくつかの場合には、観測された（すなわち、受信された）ＣＲＣビットが特定のペイロード（たとえば、ＨＡＲＱ−ＡＣＫデータペイロード）のための予想されたＣＲＣビットシーケンスに一致する場合、基地局１０５−ａは、ＨＡＲＱ−ＡＣＫデータの正確な受信を決定し得る。ペイロードのうちの一部または全部に対応するＣＲＣチェックが失敗した場合、基地局１０５−ａは、復号誤りを識別し、誤り検出をパスしなかったペイロードの再送信を要求し得る。
【０２０４】
[0155]  別の例では、ＵＥ１１５−ａが、異なるＵＣＩタイプの各々に割り振られ得るＲＥの数の上限を定める、ＨＡＲＱ−ＡＣＫ３２５−ａ、ＣＳＩパート１データ３３０−ａ、およびＣＳＩパート２データ３３５−ａの間でスプリットするためのアップリンク送信のＲＥの数を決定し得る。上限は、ＵＥ１１５−ａおよび基地局１０５−ａによって協調された割振り上限パラメータに基づいて設定され得る。ＣＳＩパート２のための基準ペイロードサイズが、ＵＥ１１５−ａと基地局１０５−ａとの間で一緒に協調されるか、または基地局１０５−ａおよびＵＥ１１５−ａの各々において事前構成され得る。ＵＥ１１５−ａは、基地局１０５−ａからの受信されたＤＣＩおよび／またはＲＲＣシグナリングの１つまたは複数の追加のパラメータ化値に従って、各ＵＣＩタイプへの割振りのためのＲＥの量の上限を定め得る。追加のパラメータ化値は、ＨＡＲＱ−ＡＣＫおよびＣＳＩパート１のためのリソースサイズ計算に応じた少なくとも比例定数αおよびγに対応し得る。
【０２０５】
[0156]  図３Ｂは、本開示の１つまたは複数の態様による、アップリンク共有チャネル上でのアップリンク送信のためにチャネル状態情報リソースを計算することをサポートする時間および周波数リソースの例示的な図３００−ｂを示す。ＴＴＩ３０５−ｂはＴＴＩ３０５−ａの一例である。ＴＴＩ３０５−ｂは、ＯＦＤＭシンボルのセットに対応し得、サブキャリアのセットに対応する帯域幅３６５−ｂを有し得る。周波数が上下に示されており、時間が左右に示されている。ＴＴＩ３０５−ｂの第１のシンボル期間はＰＤＣＣＨ３１５−ｂを含み得、ＴＴＩの第２のシンボル期間はガード期間３５０−ｂを含み得、ＰＤＣＣＨ３１５−ａおよびガード期間３５０−ａの上記の説明と同様であり得る。ＰＵＳＣＨ３５５−ｂは、ＴＴＩ３０５−ｂの第３〜第１４のシンボル期間を含むシンボル期間３６０−ｂのセットとＰＵＳＣＨ３５５−ｂの帯域幅３６５−ｂ内のサブキャリアのセットとに対応するＲＥのセットであり得る。図示された例では、ＰＵＳＣＨ３５５−ｂは、１４４個のＲＥ３７０−ａを含み、他の例では他の数のＲＥを含み得る。
【０２０６】
[0157]  ＨＡＲＱ−ＡＣＫおよびＣＳＩパート１の各々について、ＵＥ１１５−ａは、多入力単出力（ＭＩＳＯ）伝達関数のペアに従って、ＨＡＲＱ−ＡＣＫおよびＣＳＩパート１に割り振るための、ＰＵＳＣＨ３５５−ｂのＲＥの数を計算し得る。ＭＩＳＯ関数は、入力関数のペアの比較的小さい得られた値を計算し得る。より小さい得られた値は、それぞれ、ＨＡＲＱ−ＡＣＫデータおよびＣＳＩパート１データに割り振るためのＲＥの数であり得る。
【０２０７】
[0158]  伝達関数の第１の入力は、ＵＣＩタイプのペイロードサイズと、いくつかの例ではＣＳＩパート２のための基準ペイロードサイズとの間の商として表される線形的にスケーリングされた比例関数を含み得る。たとえば、ＨＡＲＱ−ＡＣＫのための伝達関数は、分子においてＨＡＲＱ−ＡＣＫのためのペイロードサイズと重み付け係数との積を含み、分母においてＣＳＩパート２のための基準ペイロードサイズ（いくつかの例では）と重み付け係数との積を含み得る。同様に、ＣＳＩパート１のための伝達関数は、分子においてＣＳＩパート１のためのペイロードサイズと重み付け係数との積を含み、分母においてＣＳＩパート２のための（いくつかの例では）基準ペイロードサイズと重み付け係数との積を含み得る。各ＵＣＩタイプのペイロードサイズは、それぞれのＵＣＩタイプのためのＣＲＣビットを含み得る。
【０２０８】
[0159]  伝達関数の第２の入力は、ＰＵＳＣＨ３５５−ｂのアップリンクリソース割振り内で利用可能なＲＥの数を表すセットについての総和関数の比例重み付け値（proportionality weighted value）に対応し得る。ＤＭＲＳ３２０−ｂおよび３４０−ｂ、ＰＴＲＳシグナリング３６０−ｂ、または追加のＵＣＩ組合せに割り当てられるＲＥは、ＰＵＳＣＨ３５５−ｂの利用可能なＲＥのセットから減算され得る。ＨＡＲＱ−ＡＣＫおよびＣＳＩパート１のための伝達関数の第２の入力の各々は、それぞれの割振り上限パラメータαおよびγによって上限を定められ得る。
【０２０９】
[0160]  たとえば、いくつかの場合には、Ｑ’ACKとして示された、ＨＡＲＱ−ＡＣＫに割り振るためのリソースの数は、式（５）によって以下のように決定され得る。
【０２１０】
【数４６】
2021508991.tif 000048
【０２１１】
Ｑ’CSI-part1として示された、ＣＳＩパート１データに割り振るためのＲＥの数は、式（６）によって以下のように決定され得る。
【０２１２】
【数４７】
2021508991.tif 000049
【０２１３】
式（５）および（６）中の含まれる可変値は、式（１）、（２）、および（３）に関する定義された値と同じであり得る。さらに、割振り上限パラメータαおよびγは、α＜１およびγ＜１になるように構成され得る。
【０２１４】
[0161]  ＵＥ１１５−ａは、ＨＡＲＱ−ＡＣＫデータ３２５−ｂおよびＣＳＩパート１データ３３０−ｂに割り振るためのＲＥの数を計算するために式（５）および（６）を使用し得る。ＵＥ１１５−ａは、次いで、計算された差、またはＰＵＳＣＨ３５５−ｂの利用可能なＲＥのセットの比例重み付けのいずれかに基づいて、Ｑ’CSI-part2として示された、ＣＳＩパート２に割り振るためのＲＥの数を計算し得る。計算された差の場合、Ｑ’CSI-part2として示された、ＣＳＩパート２についての割り振られるリソースの数は、式（７）によって以下のように決定され得る。
【０２１５】
【数４８】
2021508991.tif 000050
【０２１６】
比例重み付けの場合、Ｑ’CSI-part2として示された、ＣＳＩパート２についての割り振られるリソースの数は、式（８）によって以下のように決定され得る。
【０２１７】
【数４９】
2021508991.tif 000051
【０２１８】
ここで、λは、λ＜１になるように、およびαとγとλとの和が１を超えないように構成された別個の比例定数である。
【０２１９】
[0162]  式（２）〜（４）に関して説明されたように、
【０２２０】
【数５０】
2021508991.tif 000052
は、セット
【０２２１】
【数５１】
2021508991.tif 000053
【０２２２】
中の要素の数であり得、ここで、
【０２２３】
【数５２】
2021508991.tif 000054
は、
【０２２４】
【数５３】
2021508991.tif 000055
【０２２５】
の場合の、ＯＦＤＭシンボル期間ｌ中のＵＣＩの送信のために利用可能なＲＥのセットであり、
【０２２６】
【数５４】
2021508991.tif 000056
【０２２７】
は、ＰＴＲＳによって占有され、したがって、セット
【０２２８】
【数５５】
2021508991.tif 000057
【０２２９】
中で除外される、ＲＥを減じたＰＵＳＣＨのＯＦＤＭシンボルの総数である。Ｑ’ACKおよびＱ’CSI-part1は、式（５）および（６）に関して本明細書で説明されたように、ＰＵＳＣＨ上のＨＡＲＱ−ＡＣＫおよびＣＳＩパート１についてのレイヤごとのコード化変調シンボルの数であり得る。
【０２３０】
[0163]  上記で与えられた説明と同様に、ＵＥ１１５−ａは、次いで、マッピングパターンに従って、ＰＵＳＣＨ送信の生成のために、ＰＵＳＣＨ３５５−ｂのＲＥに、ＨＡＲＱ−ＡＣＫデータ３２５−ｂ、ＣＳＩパート１データ３３０−ｂ、ＣＳＩパート２データ３３５−ｂをマッピングし、ＤＭＲＳ３２０−ｂおよび３４０−ｂの各々、ならびにＰＴＲＳ３７５−ｂまでをマッピングし得る。いくつかの場合には、ＵＥ１１５−ａは、特定のシンボル期間中の別個のＲＥにＤＭＲＳ３２０−ｂまたはＤＭＲＳ３４０−ｂをマッピングし得、ＤＭＲＳをトランスポートするシンボルを含むＲＥ間で何も送信されないリソース周波数ギャップ３８０−ｂを可能にする。これは、ＤＭＲＳシグナリングのための、くし状構造として参照され得る。
【０２３１】
[0164]  ＵＥ１１５−ａは、許可中で示されたアップリンク共有チャネルのＲＥのセット内でＰＵＳＣＨ送信を送信し得る。基地局１０５−ａは、ＵＥ１１５−ａからのＰＵＳＣＨ送信のための共有チャネルを監視し得る。一例では、基地局１０５−ａは、各ＵＣＩタイプのための計算上の関数に基づいてアップリンクリソース割振りのＲＥのリソーススプリッティングを計算し得る。特に、基地局１０５−ａは、同様に、式（５）に従ってＨＡＲＱ−ＡＣＫ３２５−ｂについての割り振られるＲＥの数を計算し、式（６）に従ってＣＳＩパート１データ３３０−ｂについての割り振られるＲＥの数を計算し、式（７）または（８）のうちの１つに従ってＣＳＩパート２データ３３５−ｂについての割り振られるＲＥの数を計算し得る。基地局１０５−ａは、次いで、その後、上記および本明細書で与えられた説明と同様に、許可中で示された割振りに対応するアップリンク共有チャネルのコード化変調シンボルを復号することを試み得る。
【０２３２】
[0165]  いくつかの例では、アップリンク送信はＵＬ−ＳＣＨデータをも含み得る。図４は、本開示の様々な態様による、アップリンク共有チャネル上での送信のための異なるタイプの制御情報およびアップリンクデータの間のリソーススプリッティングをサポートする時間および周波数リソースの例示的な図４００を示す。ＴＴＩ３０５−ｃは、ＯＦＤＭシンボルのセットに対応し得、サブキャリアのセットに対応する帯域幅３６５−ｃを有し得る。周波数が上下に示されており、時間が左右に示されている。ＴＴＩ３０５−ｃの第１のシンボル期間はＰＤＣＣＨ３１５−ｃを含み得、ＴＴＩの第２のシンボル期間はガード期間３５０−ｃを含み得る。ＰＵＳＣＨ３５５−ｃは、ＴＴＩ３０５−ｃの第３〜第１４のシンボル期間を含むシンボル期間３６０−ｃのセットとＰＵＳＣＨ３５５−ｃの帯域幅３６５−ｃ内のサブキャリアのセットとに対応するＲＥのセットであり得る。図示された例では、ＰＵＳＣＨ３５５−ｃは、１４４個のＲＥ３７０−ｃを含み、他の例では他の数のＲＥを含み得る。
【０２３３】
[0166]  本明細書で説明される技法は、ＵＬ−ＳＣＨデータ４８５を含むＰＵＳＣＨにＵＣＩをピギーバックするとき、異なるＵＣＩタイプおよびＵＬ−ＳＣＨの間のリソーススプリッティングを行い得る。上記で与えられた説明と同様に、基準ペイロードサイズがＣＳＩパート２データについて仮定され得る。ＵＥ１１５−ａは、ＨＡＲＱ−ＡＣＫ３２５−ｃ、ＣＳＩパート１データ３３０−ｃ、ＣＳＩパート２データ３３５−ｃ、およびＵＬ−ＳＣＨデータ４８５の各々のための、ならびにそれぞれの重み付け係数βを乗算された、ペイロードサイズに比例して、許可されたＲＥをスプリットし得る。基地局１０５−ａおよびＵＥ１１５−ａは、ＨＡＲＱ−ＡＣＫ３２５−ｃ、ＣＳＩパート１データ３３０−ｃ、ＣＳＩパート２データ３３５−ｃ、およびＵＬ−ＳＣＨデータ４８５の間で、許可されたＲＥをスプリットするために、ＣＳＩパート２のための基準サイズで事前構成され、および／またはその基準サイズをシグナリングし得る。次いで、ＵＣＩタイプおよびＵＬ−ＳＣＨデータの間のリソーススプリッティングは、それぞれの重み付け係数βを乗算された、ＵＣＩおよびＵＬ−ＳＣＨのペイロードサイズに比例する。いくつかの他の例の場合のように、アップリンク送信のためのＣＳＩパート２のためのペイロードサイズは、基準ペイロードサイズであり得る。
【０２３４】
[0167]  一例では、Ｑ’ACKとして示されたＨＡＲＱ−ＡＣＫ、Ｑ’CSI-part1として示されたＣＳＩパート１送信、およびＱ’CSI-part2として示されたＣＳＩパート２送信についての、ならびに、Ｑ’UL-SCHとして示されたＵＬ−ＳＣＨについてのＲＥの数（たとえば、レイヤごとのコード化変調シンボルの数）は、以下のように決定される。
【０２３５】
【数５６】
2021508991.tif 000058
【０２３６】
【数５７】
2021508991.tif 000059
【０２３７】
【数５８】
2021508991.tif 000060
【０２３８】
【数５９】
2021508991.tif 000061
【０２３９】
[0168]  含まれる可変値式（９）〜（１２）は、式（１）〜（８）に関する定義された値と同じであり得る。さらに、ＣUL-SCHは、ＰＵＳＣＨ送信のＵＬ−ＳＣＨデータ４８５のためのコードブロックの数であり、Ｋrは、ＰＵＳＣＨ送信のＵＬ−ＳＣＨのためのｒ番目のコードブロックサイズであり、
【０２４０】
【数６０】
2021508991.tif 000062
【０２４１】
は、ＵＬ−ＳＣＨのための重み付け係数である。いくつかの例では、
【０２４２】
【数６１】
2021508991.tif 000063
【０２４３】
であり、これは、異なるＵＣＩタイプのための重み付け係数がＵＬ−ＳＣＨに関して定義されるからである。
【０２４４】
[0169]  ＵＥ１１５−ａおよび基地局１０５−ａは、異なるＵＣＩタイプおよびＵＬ−ＳＣＨデータ４８５の間で、許可されたＲＥをどのようにスプリットすべきかを決定するために、式（９）〜（１２）を使用し得る。ＵＥ１１５−ａは、上記で与えられた説明と同様に、スプリットに従って、マッピングし、アップリンク送信を生成し得る。基地局１０５−ａはまた、式（９）〜（１２）を使用してスプリットを計算し、上記で与えられた説明と同様に、許可中で示されたアップリンク共有チャネルのＲＥの計算されたスプリッティングに基づいて、アップリンク送信のためのアップリンク共有チャネルの許可されたＲＥを監視し得る。
【０２４５】
[0170]  本明細書で説明される式は、リソーススプリッティングをどのように実行すべきかの別の例を与えるために変更され得る。たとえば、式（２）〜（４）および（９）〜（１２）におけるそれぞれの分子は、ＤＭＲＳ３２０−ｃおよび３４０−ｃ、ならびにＰＴＲＳに割り振られるＲＥの数を除くＲＥの総数の関数である。これらの式は、以下で説明されるように、ＲＥの総数が、分子においてＤＭＲＳおよびＰＴＲＳ  ＲＥに割り振られるＲＥの数を含む場合、明示的であり得る。
【０２４６】
[0171]  上記の式では、
【数６２】
2021508991.tif 000064
【０２４７】
は、サブキャリアの数として表された、ＰＵＳＣＨ送信のスケジュールされた帯域幅であり、
【０２４８】
【数６３】
2021508991.tif 000065
は、ＤＭＲＳのために使用されるすべてのＯＦＤＭシンボルを除く、ＰＵＳＣＨ送信のＯＦＤＭシンボルの数である。
【０２４９】
【数６４】
2021508991.tif 000066
は、セット
【０２５０】
【数６５】
2021508991.tif 000067
中の要素の数であり、ここで、
【０２５１】
【数６６】
2021508991.tif 000068
は、
【０２５２】
【数６７】
2021508991.tif 000069
【０２５３】
の場合の、ＯＦＤＭシンボルｌ中のＵＣＩの送信のために利用可能なＲＥのセットであり、
【０２５４】
【数６８】
2021508991.tif 000070
【０２５５】
は、ＰＵＳＣＨのＯＦＤＭシンボルの総数である。ＰＴＲＳによって占有されるＲＥは、セット
【０２５６】
【数６９】
2021508991.tif 000071
中で除外される。
【０２５７】
[0172]  上記の３つの項の定義を考慮すると、
【０２５８】
【数７０】
2021508991.tif 000072
【０２５９】
は、アップリンク送信のために割り振られる、ＰＵＳＣＨの１つまたは複数のリソースブロック中の許可されたＲＥの総数であり（すなわち、本明細書ではＸとして示され）、Ｘ個のＲＥは、ＨＡＲＱ−ＡＣＫ、ＣＳＩパート１、随意に（ＣＳＩパート２データが利用可能である場合）ＣＳＩパート２、および随意に（ＵＬ−ＳＣＨデータが利用可能である場合）ＵＬ−ＳＣＨの間でスプリットされることがわかる。
【０２６０】
【数７１】
2021508991.tif 000073
【０２６１】
を解釈するための別のやり方は、
【０２６２】
【数７２】
2021508991.tif 000074
【０２６３】
であることであり、ここで、Ｙは、ＤＭＲＳおよびＰＴＲＳによって占有されるＲＥの数であり、
【０２６４】
【数７３】
2021508991.tif 000075
【０２６５】
は、ＤＭＲＳおよびＰＴＲＳのＲＥを含むＲＥの総数である。
【０２６６】
[0173]  
【０２６７】
【数７４】
2021508991.tif 000076
と
【０２６８】
【数７５】
2021508991.tif 000077
【０２６９】
との間の関係に基づいて、上記のセクションにおいて提示された式（２）〜（４）および（９）〜（１２）、
【０２７０】
【数７６】
2021508991.tif 000078
【０２７１】
は、各式中の最小値境界（minimum boundary）（たとえば、ｍｉｎ｛｝）演算内の第１の項の分子において
【０２７２】
【数７７】
2021508991.tif 000079
【０２７３】
と置き換えられ得る。また、ｍｉｎ｛｝演算と、ｍｉｎ｛｝内の第２の項とは、以下の式に示されるように、削除され得る。
【０２７４】
[0174]  以下は、式（２）〜（４）を書き直す一例を提示し、ここで、ＵＣＩが、ＵＬ−ＳＣＨをもたないＰＵＳＣＨにピギーバックされる。一例では、Ｑ’ACKとして示されたＨＡＲＱ−ＡＣＫ、Ｑ’CSI-part1として示されたＣＳＩパート１送信、およびＱ’CSI-part2として示されたＣＳＩパート２送信についてのＲＥ（たとえば、レイヤごとのコード化変調シンボル）の数は、以下のようにそれぞれ式（２）〜（４）を書き直すことによって決定される。
【０２７５】
【数７８】
2021508991.tif 000080
【０２７６】
【数７９】
2021508991.tif 000081
【０２７７】
【数８０】
2021508991.tif 000082
【０２７８】
[0175]  以下は、式（９）〜（１２）を書き直す一例を提示し、ここで、ＵＣＩが、ＵＬ−ＳＣＨをもつＰＵＳＣＨにピギーバックされる。一例では、Ｑ’ACKとして示されたＨＡＲＱ−ＡＣＫ、Ｑ’CSI-part1として示されたＣＳＩパート１送信、およびＱ’CSI-part2として示されたＣＳＩパート２送信についての、ならびに、Ｑ’UL-SCHとして示されたＵＬ−ＳＣＨについてのＲＥの数（たとえば、レイヤごとのコード化変調シンボルの数）は、以下のようにそれぞれ式（９）〜（１２）を書き直すことによって決定される。
【０２７９】
【数８１】
2021508991.tif 000083
【０２８０】
【数８２】
2021508991.tif 000084
【０２８１】
【数８３】
2021508991.tif 000085
【０２８２】
【数８４】
2021508991.tif 000086
【０２８３】
[0176]  したがって、式（２）〜（４）および（９）〜（１２）中の分子におけるＲＥの総数は、ＤＭＲＳ３２０−ｃおよび３４０−ｃに割り振られるＲＥ、およびＰＴＲＳ  ＲＥの数を除外し、式（１３）〜（１９）に示されているように書き直され得、ここで、ＲＥの総数は、分子において、ＤＭＲＳ３２０−ｃおよび３４０−ｃに割り振られるＲＥ、ならびにＰＴＲＳ  ＲＥの数を含む。
【０２８４】
[0177]  図５は、本開示の様々な態様による、アップリンク共有チャネル上での送信のための異なるタイプの制御情報およびアップリンクデータの間のリソーススプリッティングをサポートするシステムにおけるプロセスフロー５００の一例を示す。いくつかの例では、プロセスフロー５００は、ワイヤレス通信システム１００の態様を実装し得る。たとえば、プロセスフロー５００は、図１〜図４を参照しながら説明された対応するデバイスの例得る、ＵＥ１１５−ｂと基地局１０５−ｂとを含む。
【０２８５】
[0178]  基地局１０５−ｂは、１つまたは複数のパラメータとアップリンク共有チャネル内のリソースのアップリンクリソース許可とのためのダウンリンクシグナリング（たとえば、ＤＣＩ、ＲＲＣシグナリング）指示５０５を送信し得る。ダウンリンクシグナリングは、アップリンクリソース割振りのリソーススプリッティングのための計算方法の指示を含み得る。特に、シグナリングは、図３Ａ〜図３Ｂおよび図４に関して、式（２）〜（４）のセット、あるいは式（５）、（６）、および（７）または（８）のうちの１つのセット、あるいは式（９）〜（１２）のセット、あるいは式（１３）〜（１５）のセット、あるいは式（１６）〜（１９）のセットに基づいて、ＨＡＲＱ−ＡＣＫ、ＣＳＩパート１、およびＣＳＩパート２への割振りのためのリソースの数を計算するための、計算上の方法の選好を示し得る。他の例では、計算方法は事前構成され得る。
【０２８６】
[0179]  それぞれの計算上の方法の各々は、いくつかの例では、ＣＳＩパート２のための事前構成されたまたはシグナリングされた基準ペイロードサイズに基づき得る。送信５０５は、アップリンク共有チャネル中のアップリンク送信のためのリソース割振りを示す許可を含み得る。リソース割振りは、ＵＥ１１５−ｂがＰＵＳＣＨ送信を送るための時間および周波数リソースのセットに対応し得る。許可は、アップリンク共有チャネル内のトーン（サブキャリア）およびＯＦＤＭシンボル期間に対応するＲＥのセットを示し得る。いくつかの場合には、基地局１０５−ｂは、異なる送信において許可指示を送り得る。
【０２８７】
[0180]  送信５０５は、リソーススケーリング（resource scaling）の一部として各ＵＣＩタイプおよび随意にＵＬ−ＳＣＨデータに対応する重み付け係数のセットをも含み得る。いくつかの場合には、基地局１０５−ｂは、異なる送信においてリソーススケーリングファクタを送り得る。重み付け係数βの各々は、ＨＡＲＱ−ＡＣＫ、ＣＳＩパート１、ＣＳＩパート２、および随意にＵＬ−ＳＣＨのための重み付けを含む、比例指示に対応し得る。基地局１０５−ｂは、ＵＣＩの各タイプおよび随意にＵＬ−ＳＣＨの間でリソースをどのように分配すべきかを決定し、それに応じて重み付け係数のリソーススケーリングを設定し得る。
【０２８８】
[0181]  ＵＥ１１５−ｂは、リソース許可を取得し、随意にＵＣＩデータペイロードのためのアップリンクリソース割振りのリソーススプリッティングのための計算上の方法を決定するために、送信５０５を受信し、処理し得る。いくつかの例では、ＵＥ１１５−ｂは、送信５０５が、ＵＬ−ＳＣＨデータをトランスポートするためにＰＵＳＣＨ送信のＲＥを割り振らないと決定し得る。いくつかの場合には、ＵＥ１１５−ａは、許可を処理し、ＵＥ１１５−ａが、アップリンク送信内に、非アクセス層データのみを含め、アクセス層データを含めないように命令されると決定し得る。
【０２８９】
[0182]  ５１０において、ＵＥ１１５−ｂは、本明細書で与えられる式の示されたセットに基づいて、ＨＡＲＱ−ＡＣＫデータ、ＣＳＩパート１データ、ＣＳＩパート２データおよび随意にＵＬ−ＳＣＨデータの各々に割り振るために、ＰＵＳＣＨの割り振られるＲＥの数をどのようにスプリットすべきかを計算し得る。計算は、各ＵＣＩタイプのための、および随意にＵＬ−ＳＣＨデータのための受信された重み付け係数と、ＣＳＩ送信の特徴を識別することとに基づき得る。いくつかの例では、そのような、特徴を識別することは、ＣＳＩパート２のための基準ペイロードサイズを含み得る。いくつかの場合には、計算は、総ＵＣＩデータペイロードに対するそれぞれのペイロードサイズに基づいて各ＵＣＩタイプへの割振りのためのＲＥの数を決定する伝達方程式のセットに基づき得る。いくつかの場合には、計算は、各ＵＣＩタイプについてのリソースの量の上限を定めることを含み得る。いくつかの場合には、計算は、ＵＬ−ＳＣＨデータに割り振るためのリソース要素の量を指定し得る。
【０２９０】
[0183]  ＨＡＲＱ−ＡＣＫデータ、ＣＳＩパート１データ、ＣＳＩパート２データ、および随意にＵＬ−ＳＣＨデータに割り振るためのリソースの数の計算に続いて、ＵＥ１１５−ｂは、５１５において共有チャネル送信を生成し得る。生成は、追加のコード化変調シグナリング（たとえば、ＤＭＲＳ、ＰＴＲＳなど）に関連して、許可によって割り振られるＰＵＳＣＨのリソースへの、各ＵＣＩデータペイロードおよび随意にＵＬ−ＳＣＨデータペイロードのマッピングを含み得る。ＵＥ１１５−ｂは、次いで、アップリンク共有チャネル上で基地局１０５−ｂにアップリンク送信５２０を送信し得る。
【０２９１】
[0184]  ５２５において、基地局１０５−ａは、ＵＥ１１５−ａからのＰＵＳＣＨ送信のための共有チャネルを監視し、示された計算上の方法の選好のための関数のセットに基づいて、アップリンクリソース割振りのリソーススプリッティングを計算し得る。特に、基地局１０５−ａは、同様に、図３Ａ〜図３Ｂおよび図４に関して、式（２）〜（４）のセット、あるいは式（５）、（６）、および（７）または（８）のうちの１つのセット、あるいは式（９）〜（１２）のセット、あるいは式（１３）〜（１５）のセット、あるいは式（１６）〜（１９）のセットに基づいて、ＨＡＲＱ−ＡＣＫ、ＣＳＩパート１、およびＣＳＩパート２についての割り振られるＲＥの数を計算し得る。図３Ａ〜図３Ｂおよび図４に関して。計算は、いくつかの例ではＣＳＩパート２のための基準ペイロードサイズを含む、各ＵＣＩタイプおよび随意にＵＬ−ＳＣＨのための重み付け係数およびそれぞれのペイロードサイズに比例し得る。いくつかの場合には、基地局１０５−ａは、明確にアップリンク送信５２０の受信より前に、またはそれに続いてその後にを含む、他の時間において、あるいはダウンリンクシグナリング５０５より前の許可生成の一部として、５２５における監視することを実行し得る。
【０２９２】
[0185]  ５３０において、基地局１０５−ｂは、アップリンク共有チャネルのコード化変調シンボルを復号することを試み得る。一例では、基地局１０５−ｂは、許可中で示された割振りに対応するアップリンク共有チャネルのコード化変調シンボルを復号することを試み得る。異なるマッピングパターンのために、ＵＣＩデータペイロードおよび随意にＵＬ−ＳＣＨデータをトランスポートするＲＥは、共有データチャネル内の異なるロケーション中にあり得る。基地局１０５−ｂは、計算されたリソーススプリットに対応するマッピングパターンを識別し得る。
【０２９３】
[0186]  基地局１０５−ｂは、ＨＡＲＱ−ＡＣＫ、ＣＳＩパート１、ＣＳＩパート２、および随意にＵＬ−ＳＣＨの各々のためのＣＲＣビットを含む、アップリンク送信のＲＥの予想されるロケーションを決定するために、計算されたリソーススプリットを使用し得る。基地局１０５−ｂは、ＣＲＣビット各ＵＣＩタイプデータペイロードおよび随意にＵＬ−ＳＣＨペイロードを使用してＣＲＣチェックを実行し、ＨＡＲＱ−ＡＣＫ、ＣＳＩパート１、ＣＳＩパート２および随意にＵＬ−ＳＣＨのための取得されたＣＳＩデータがそれぞれのＣＲＣチェックをパスしたかどうかを決定し得る。取得されたＨＡＲＱ−ＡＣＫデータ、ＣＳＩパート１データ、ＣＳＩパート２データ、および随意にＵＬ−ＳＣＨデータが各々ＣＲＣをパスした場合、基地局１０５−ｂは、ＵＣＩデータおよび随意にＵＬ−ＳＣＨがＣＲＣをパスしたことを示す肯定応答をＵＥ１１５−ｂに送り得る。取得されたＨＡＲＱ−ＡＣＫデータ、ＣＳＩパート１データ、ＣＳＩパート２データ、および随意にＵＬ−ＳＣＨデータのうちの１つまたは複数がＣＲＣをパスしなかった場合、基地局１０５−ｂは、どのＵＣＩデータペイロードおよび随意にＵＬ−ＳＣＨデータがＣＲＣをパスしなかったかことを示す否定応答をＵＥ１１５−ｂに送り得る。ＵＥ１１５−ｂは、後続のアップリンク送信において、ＨＡＲＱ−ＡＣＫデータ、ＣＳＩパート１データ、ＣＳＩパート２データおよび随意にＵＬ−ＳＣＨデータを再送信し得る。
【０２９４】
[0187]  いくつかの例では、本明細書で説明される技法は、異なるタイプの制御情報間での割り振られるＲＥの改善された分配を行い、割り振られるＲＥの全体が単一のＵＣＩタイプに割り振られる確率を低減するために、基準ペイロードサイズを利用し得る。
【０２９５】
[0188]  図６は、本開示の態様による、アップリンク共有チャネル上での送信のための異なるタイプの制御情報およびアップリンクデータの間のリソーススプリッティングをサポートするワイヤレスデバイス６０５のブロック図６００を示す。ワイヤレスデバイス６０５は、本明細書で説明されるＵＥ１１５の態様の一例であり得る。ワイヤレスデバイス６０５は、受信機６１０と、ＵＥ通信マネージャ６１５と、送信機６２０とを含み得る。ワイヤレスデバイス６０５はプロセッサをも含み得る。これらの構成要素の各々は、（たとえば、１つまたは複数のバスを介して）互いと通信していることがある。
【０２９６】
[0189]  受信機６１０は、パケット、ユーザデータ、または様々な情報チャネルに関連する制御情報（たとえば、制御チャネル、データチャネル、ならびにアップリンク共有チャネル上での送信のための異なるタイプの制御情報およびアップリンクデータの間のリソーススプリッティングに関係する情報など）などの情報を受信し得る。情報はデバイスの他の構成要素に受け渡され得る。受信機６１０は、図９を参照しながら説明されるトランシーバ９３５の態様の一例であり得る。受信機６１０は、単一のアンテナまたはアンテナのセットを利用し得る。
【０２９７】
[0190]  ＵＥ通信マネージャ６１５は、図９を参照しながら説明されるＵＥ通信マネージャ９１５の態様の一例であり得る。
【０２９８】
[0191]  ＵＥ通信マネージャ６１５および／またはそれの様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、ＵＥ通信マネージャ６１５および／またはそれの様々な副構成要素のうちの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本開示で説明される機能を実行するように設計されたそれらの任意の組合せによって実行され得る。ＵＥ通信マネージャ６１５および／またはそれの様々な副構成要素のうちの少なくともいくつかは、機能の部分が、１つまたは複数の物理デバイスによって異なる物理的ロケーションにおいて実装されるように分散されることを含めて、様々な位置に物理的に配置され得る。
【０２９９】
[0192]  いくつかの例では、ＵＥ通信マネージャ６１５および／またはそれの様々な副構成要素のうちの少なくともいくつかは、本開示の様々な態様による、分離したおよび別個の構成要素であり得る。他の例では、ＵＥ通信マネージャ６１５および／またはそれの様々な副構成要素のうちの少なくともいくつかは、本開示の様々な態様による、限定はしないが、Ｉ／Ｏ構成要素、トランシーバ、ネットワークサーバ、別のコンピューティングデバイス、本開示で説明される１つまたは複数の他の構成要素、またはそれらの組合せを含む、１つまたは複数の他のハードウェア構成要素と組み合わせられ得る。
【０３００】
[0193]  ＵＥ通信マネージャ６１５は、ＵＥによって、アップリンク送信のためにＵＥに割り振られるアップリンク共有チャネルのＲＥのセットを示す許可を受信し、フィードバックデータとＣＳＩパート１データとＣＳＩパート２データとの間でＲＥのセットの少なくとも一部分をスプリットし、スプリットすることに基づいてアップリンク送信を生成し、ＵＥによって、アップリンク共有チャネルのＲＥのセット中でアップリンク送信を送信し得る。ＵＥ通信マネージャ６１５のいくつかの例では、ＲＥのセットは、ＣＳＩパート２データの基準ペイロードサイズに基づいてスプリットされ得る。
【０３０１】
[0194]  送信機６２０は、デバイスの他の構成要素によって生成された信号を送信し得る。いくつかの例では、送信機６２０は、トランシーバモジュール中で受信機６１０とコロケートされ得る。たとえば、送信機６２０は、図９を参照しながら説明されるトランシーバ９３５の態様の一例であり得る。送信機６２０は、単一のアンテナまたはアンテナのセットを利用し得る。
【０３０２】
[0195]  図７は、本開示の態様による、アップリンク共有チャネル上での送信のための異なるタイプの制御情報およびアップリンクデータの間のリソーススプリッティングをサポートするワイヤレスデバイス７０５のブロック図７００を示す。ワイヤレスデバイス７０５は、図６を参照しながら説明されたワイヤレスデバイス６０５またはＵＥ１１５の態様の一例であり得る。ワイヤレスデバイス７０５は、受信機７１０と、ＵＥ通信マネージャ７１５と、送信機７２０とを含み得る。ワイヤレスデバイス７０５はプロセッサをも含み得る。これらの構成要素の各々は、（たとえば、１つまたは複数のバスを介して）互いと通信していることがある。
【０３０３】
[0196]  受信機７１０は、パケット、ユーザデータ、または様々な情報チャネルに関連する制御情報（たとえば、制御チャネル、データチャネル、ならびにアップリンク共有チャネル上での送信のための異なるタイプの制御情報およびアップリンクデータの間のリソーススプリッティングに関係する情報など）などの情報を受信し得る。情報はデバイスの他の構成要素に受け渡され得る。受信機７１０は、図９を参照しながら説明されるトランシーバ９３５の態様の一例であり得る。受信機７１０は、単一のアンテナまたはアンテナのセットを利用し得る。
【０３０４】
[0197]  ＵＥ通信マネージャ７１５は、図９を参照しながら説明されるＵＥ通信マネージャ９１５の態様の一例であり得る。
【０３０５】
[0198]  ＵＥ通信マネージャ７１５はまた、許可構成要素７２５と、リソース割振り構成要素７３０と、生成構成要素７３５と、アップリンクコントローラ７４０とを含み得る。
【０３０６】
[0199]  許可構成要素７２５は、ＵＥによって、アップリンク送信のためにＵＥに割り振られるアップリンク共有チャネルのＲＥのセットを示す許可を受信し、いくつかの例ではランク指示の値に少なくとも部分的に基づいて基準ペイロードサイズを決定し、ＲＥのセットのうちのいずれもアップリンクデータの送信のために割り振られず、ＲＥのセットの各々が、フィードバックデータ、またはＣＳＩパート１データ、またはＣＳＩパート２データの送信のために割り振られると決定するために許可を処理し、アップリンク送信が非アクセス層データを含むべきであり、アクセス層データを含むべきでないと決定するために許可を処理し得る。
【０３０７】
[0200]  リソース割振り構成要素７３０は、（サブキャリアの数およびシンボル期間の数であり、いくつかの例では、許可中で示され得る）許可に関連するサブキャリアの数と許可中に関連するシンボル期間の数とに基づいて、割振りのために利用可能であるＲＥのセットの総数を決定し、フィードバックデータとＣＳＩパート１データとＣＳＩパート２データとの間でＲＥのセットをスプリットし得る。いくつかの例では、複数のＲＥをスプリットすることは、フィードバックデータとＣＳＩパート１データとＣＳＩパート２データとの間で複数のＲＥをスプリットすることを含み得る。いくつかの例では、スプリットすることは、ＣＳＩパート２データの基準ペイロードサイズに少なくとも部分的に基づき得る。いくつかの例では、複数のＲＥをスプリットすることは、フィードバックデータとＣＳＩパート１データとＣＳＩパート２データとアップリンクデータとの間で複数のＲＥをスプリットすることを含み得る。いくつかの例では、そのようなスプリットすることは、ＣＳＩパート２データの基準ペイロードサイズに少なくとも部分的に基づき得る。いくつかの場合には、フィードバックデータはＨＡＲＱ−ＡＣＫデータである。
【０３０８】
[0201]  リソース割振り構成要素７３０はまた、フィードバックデータに割り振られるＲＥのセットのうちの数が、割振りのために利用可能であるＲＥのセットの総数よりも少ないと決定したことに基づいて、割振りのために利用可能であるＲＥのセットのうちの残りの数を識別し、ＣＳＩパート１データとＣＳＩパート２データとの間でＲＥのセットのうちの残りの数をスプリットし、フィードバックデータに割り振るために利用可能であるＲＥのセットの最大数として、割振りのために利用可能であるＲＥのセットの総数を設定し得る。
【０３０９】
[0202]  リソース割振り構成要素７３０は、フィードバックデータのための割振り上限パラメータを示す制御（たとえば、ＲＲＣ）シグナリングを受信し、割振り上限パラメータに基づいて、フィードバックデータに割り振るためのＲＥのセットの最大数を設定し、ここで、フィードバックデータに割り振るためのＲＥのセットのうちの数を計算することが最大数に基づき、ＣＳＩパート１データのための割振り上限パラメータを示す制御（たとえば、ＲＲＣ））シグナリングを受信し、割振り上限パラメータに基づいて、ＣＳＩパート１データに割り振るためのＲＥのセットの最大数を設定し得る。いくつかの場合には、ＣＳＩパート１データに割り振るためのＲＥのセットのうちの数を計算することは、最大数に基づく。いくつかの場合には、ＲＥのセットをスプリットすることは、ＲＥのセットのうちのある数をフィードバックデータに割り振ることを含む。
【０３１０】
[0203]  生成構成要素７３５は、ＲＥのセットをスプリットすることに基づいてアップリンク送信を生成し得る。
【０３１１】
[0204]  アップリンクコントローラ７４０は、ＵＥによって、アップリンク共有チャネルのＲＥのセット中でアップリンク送信を送信し得る。
【０３１２】
[0205]  送信機７２０は、デバイスの他の構成要素によって生成された信号を送信し得る。いくつかの例では、送信機７２０は、トランシーバモジュール中で受信機７１０とコロケートされ得る。たとえば、送信機７２０は、図９を参照しながら説明されるトランシーバ９３５の態様の一例であり得る。送信機７２０は、単一のアンテナまたはアンテナのセットを利用し得る。
【０３１３】
[0206]  図８は、本開示の態様による、アップリンク共有チャネル上での送信のための異なるタイプの制御情報およびアップリンクデータの間のリソーススプリッティングをサポートするＵＥ通信マネージャ８１５のブロック図８００を示す。ＵＥ通信マネージャ８１５は、図６、図７、および図９を参照しながら説明されるＵＥ通信マネージャ６１５、ＵＥ通信マネージャ７１５、またはＵＥ通信マネージャ９１５の態様の一例であり得る。ＵＥ通信マネージャ８１５は、許可構成要素８２０と、リソース割振り構成要素８２５と、生成構成要素８３０と、アップリンクコントローラ８３５と、計算構成要素８４０と、制御情報係数構成要素８４５とを含み得る。これらのモジュールの各々は、直接または間接的に、（たとえば、１つまたは複数のバスを介して）互いと通信し得る。
【０３１４】
[0207]  許可構成要素８２０は、ＵＥによって、アップリンク送信のためにＵＥに割り振られるアップリンク共有チャネルのＲＥのセットを示す許可を受信し、いくつかの例ではランク指示の値に少なくとも部分的に基づいて基準ペイロードサイズを決定し、ＲＥのセットのうちのいずれもアップリンクデータの送信のために割り振られず、ＲＥのセットの各々が、フィードバックデータ、またはＣＳＩパート１データ、またはＣＳＩパート２データの送信のために割り振られると決定するために許可を処理し、アップリンク送信が非アクセス層データを含むべきであり、アクセス層データを含むべきでないと決定するために許可を処理し得る。
【０３１５】
[0208]  リソース割振り構成要素８２５は、許可中で示されたサブキャリアの数と許可中で示されたシンボル期間の数とに基づいて、割振りのために利用可能であるＲＥのセットの総数を決定し、フィードバックデータとＣＳＩパート１データとＣＳＩパート２データとの間でＲＥのセットの少なくとも一部分をスプリットし得る。いくつかの例では、複数のＲＥをスプリットすることは、フィードバックデータとＣＳＩパート１データとＣＳＩパート２データとの間で複数のＲＥをスプリットすることを含み得る。いくつかの例では、そのようなスプリットすることは、ＣＳＩパート２データの基準ペイロードサイズに少なくとも部分的に基づき得る。いくつかの場合には、フィードバックデータはＨＡＲＱ−ＡＣＫデータである。いくつかの例では、複数のＲＥをスプリットすることは、フィードバックデータとＣＳＩパート１データとＣＳＩパート２データとアップリンクデータとの間で複数のＲＥをスプリットすることを含み得る。いくつかの例では、そのようなスプリットすることは、ＣＳＩパート２データの基準ペイロードサイズに少なくとも部分的に基づき得る。いくつかの場合には、フィードバックデータはＨＡＲＱ−ＡＣＫデータである。
【０３１６】
[0209]  いくつかの場合には、リソース割振り構成要素８２５は、フィードバックデータに割り振られるＲＥのセットのうちの数が、割振りのために利用可能であるＲＥのセットの総数よりも少ないと決定したことに基づいて、割振りのために利用可能であるＲＥのセットのうちの残りの数を識別し、ＣＳＩパート１データとＣＳＩパート２データとの間でＲＥのセットのうちの残りの数をスプリットし得る。
【０３１７】
[0210]  いくつかの場合には、リソース割振り構成要素８２５は、フィードバックデータに割り振るために利用可能であるＲＥのセットの最大数として、割振りのために利用可能であるＲＥのセットの総数を設定し、フィードバックデータのための割振り上限パラメータを示す制御（たとえば、ＲＲＣ）シグナリングを受信し、割振り上限パラメータに基づいて、フィードバックデータに割り振るためのＲＥのセットの最大数を設定し、ここで、フィードバックデータに割り振るためのＲＥのセットのうちの数を計算することが最大数に基づき、ＣＳＩパート１データのための割振り上限パラメータを示す制御（たとえば、ＲＲＣ）シグナリングを受信し、割振り上限パラメータに基づいて、ＣＳＩパート１データに割り振るためのＲＥのセットの最大数を設定し得、ここで、ＣＳＩパート１データに割り振るためのＲＥのセットのうちの数を計算することが最大数に基づく。いくつかの場合には、ＲＥのセットをスプリットすることは、ＲＥのセットのうちのある数をフィードバックデータに割り振ることを含む。
【０３１８】
[0211]  生成構成要素８３０は、ＲＥのセットをスプリットすることに基づいてアップリンク送信を生成し得る。
【０３１９】
[0212]  アップリンクコントローラ８３５は、ＵＥによって、アップリンク共有チャネルのＲＥのセット中でアップリンク送信を送信し得る。
【０３２０】
[0213]  計算構成要素８４０は、割振りのためのＲＥのセットのうちのある数を計算し得る。いくつかの場合には、ＲＥのセットをスプリットすることは、フィードバックデータの重み付けされたペイロードサイズと、ＣＳＩパート１データの重み付けされたペイロードサイズと、基準ペイロードサイズの重み付けされたペイロードサイズとの関数に対するフィードバックデータの重み付けされたペイロードサイズに比例して、フィードバックデータに割り振るためのＲＥのセットのうちのある数を計算することを含む。
【０３２１】
[0214]  いくつかの場合には、ＲＥのセットをスプリットすることは、フィードバックデータの重み付けされたペイロードサイズと、ＣＳＩパート１データの重み付けされたペイロードサイズと、基準ペイロードサイズの重み付けされたペイロードサイズとの関数に対するＣＳＩパート１データの重み付けされたペイロードサイズに比例して、ＣＳＩパート１データに割り振るためのＲＥのセットのうちのある数を計算することを含む。さらに、計算構成要素８４０は、フィードバックデータに割り振られるＲＥのセットのうちのある数とＣＳＩパート１データに割り振られるＲＥのセットのうちのある数とに基づいて、ＣＳＩパート２データに割り振るためのＲＥのセットのうちのある数を計算し得る。
【０３２２】
[0215]  いくつかの場合には、ＲＥのセットをスプリットすることは、基準ペイロードサイズの重み付けされたペイロードサイズに対するフィードバックデータの重み付けされたペイロードサイズに比例して、フィードバックデータに割り振るためのＲＥのセットのうちのある数を計算することを含む。いくつかの場合には、ＲＥのセットをスプリットすることは、基準ペイロードサイズの重み付けされたペイロードサイズに対するＣＳＩパート１データの重み付けされたペイロードサイズに比例して、ＣＳＩパート１データに割り振るためのＲＥのセットのうちのある数を計算することを含む。
【０３２３】
[0216]  制御情報係数構成要素８４５は、フィードバックデータのための重み付け係数に少なくとも部分的に基づいてフィードバックデータの重み付けされたペイロードサイズを決定し、ＣＳＩパート１データのための重み付け係数に少なくとも部分的に基づいてＣＳＩパート１データの重み付けされたペイロードサイズを決定し、ＣＳＩパート２データのための重み付け係数に少なくとも部分的に基づいて基準ペイロードサイズの重み付けされたペイロードサイズを決定し得る。いくつかの場合には、ＲＥのセットをスプリットすることは、フィードバックデータのための重み付け係数と、ＣＳＩパート１データのための重み付け係数と、ＣＳＩパート２データのための重み付け係数とを示す制御（たとえば、ＲＲＣ）シグナリングを受信することを含む。
【０３２４】
[0217]  図９は、本開示の態様による、アップリンク共有チャネル上での送信のための異なるタイプの制御情報およびアップリンクデータの間のリソーススプリッティングをサポートするデバイス９０５を含むシステム９００の図を示す。デバイス９０５は、たとえば、図６および図７を参照しながら上記で説明されたワイヤレスデバイス６０５、ワイヤレスデバイス７０５、またはＵＥ１１５の構成要素の一例であるか、またはそれらを含み得る。デバイス９０５は、ＵＥ通信マネージャ９１５と、プロセッサ９２０と、メモリ９２５と、ソフトウェア９３０と、トランシーバ９３５と、アンテナ９４０と、Ｉ／Ｏコントローラ９４５とを含む、通信を送信および受信するための構成要素を含む双方向音声およびデータ通信のための構成要素を含み得る。これらの構成要素は、１つまたは複数のバス（たとえば、バス９１０）を介して電子通信していることがある。デバイス９０５は、１つまたは複数の基地局１０５とワイヤレス通信し得る。
【０３２５】
[0218]  プロセッサ９２０は、インテリジェントハードウェアデバイス（たとえば、汎用プロセッサ、ＤＳＰ、中央処理ユニット（ＣＰＵ）、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。いくつかの場合には、プロセッサ９２０は、メモリコントローラを使用してメモリアレイを動作させるように構成され得る。いくつかの場合には、メモリコントローラはプロセッサ９２０に組み込まれ得る。プロセッサ９２０は、様々な機能（たとえば、アップリンク共有チャネル上での送信のための異なるタイプの制御情報およびアップリンクデータの間のリソーススプリッティングをサポートする機能またはタスク）を実行するために、メモリに記憶されたコンピュータ可読命令を実行するように構成され得る。
【０３２６】
[0219]  メモリ９２５は、ランダムアクセスメモリ（ＲＡＭ）および読取り専用メモリ（ＲＯＭ）を含み得る。メモリ９２５は、実行されたとき、プロセッサに本明細書で説明される様々な機能を実行させる命令を含むコンピュータ可読、コンピュータ実行可能ソフトウェア９３０を記憶し得る。いくつかの場合には、メモリ９２５は、特に、周辺構成要素またはデバイスとの対話など、基本ハードウェアまたはソフトウェア動作を制御し得る基本入出力システム（ＢＩＯＳ）を含んでいることがある。
【０３２７】
[0220]  ソフトウェア９３０は、アップリンク共有チャネル上での送信のために異なるタイプの制御情報およびアップリンクデータの間のリソーススプリッティングをサポートするためのコードを含む、本開示の態様を実装するためのコードを含み得る。ソフトウェア９３０は、システムメモリまたは他のメモリなど、非一時的コンピュータ可読媒体に記憶され得る。いくつかの場合には、ソフトウェア９３０は、プロセッサによって直接的に実行可能でないことがあるが、（たとえば、コンパイルされ実行されたとき）コンピュータに本明細書で説明される機能を実行させ得る。
【０３２８】
[0221]  トランシーバ９３５は、上記で説明されたように、１つまたは複数のアンテナ、ワイヤードリンク、またはワイヤレスリンクを介して双方向に通信し得る。たとえば、トランシーバ９３５は、ワイヤレストランシーバを表し得、別のワイヤレストランシーバと双方向に通信し得る。トランシーバ９３５はまた、パケットを変調し、変調されたパケットを送信のためにアンテナに与えるための、およびアンテナから受信されたパケットを復調するためのモデムを含み得る。
【０３２９】
[0222]  いくつかの場合には、ワイヤレスデバイスは単一のアンテナ９４０を含み得る。しかしながら、いくつかの場合には、デバイスは、複数のワイヤレス送信をコンカレントに送信または受信することが可能であり得る２つ以上のアンテナ９４０を有し得る。
【０３３０】
[0223]  Ｉ／Ｏコントローラ９４５は、デバイス９０５のための入力および出力信号を管理し得る。Ｉ／Ｏコントローラ９４５は、デバイス９０５に組み込まれていない周辺機器をも管理し得る。いくつかの場合には、Ｉ／Ｏコントローラ９４５は、外部周辺機器への物理接続またはポートを表し得る。いくつかの場合には、Ｉ／Ｏコントローラ９４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムなど、オペレーティングシステムを利用し得る。いくつかの場合には、Ｉ／Ｏコントローラ９４５は、モデム、キーボード、マウス、タッチスクリーン、または同様のデバイスを表すか、またはそれと対話し得る。いくつかの場合には、Ｉ／Ｏコントローラ９４５はプロセッサの一部として実装され得る。いくつかの場合には、ユーザは、Ｉ／Ｏコントローラ９４５を介して、またはＩ／Ｏコントローラ９４５によって制御されるハードウェア構成要素を介してデバイス９０５と対話し得る。
【０３３１】
[0224]  図１０は、本開示の態様による、アップリンク共有チャネル上での送信のための異なるタイプの制御情報およびアップリンクデータの間のリソーススプリッティングをサポートするワイヤレスデバイス１００５のブロック図１０００を示す。ワイヤレスデバイス１００５は、本明細書で説明される基地局１０５の態様の一例であり得る。ワイヤレスデバイス１００５は、受信機１０１０と、基地局通信マネージャ１０１５と、送信機１０２０とを含み得る。ワイヤレスデバイス１００５はプロセッサをも含み得る。これらの構成要素の各々は、（たとえば、１つまたは複数のバスを介して）互いと通信していることがある。
【０３３２】
[0225]  受信機１０１０は、パケット、ユーザデータ、または様々な情報チャネルに関連する制御情報（たとえば、制御チャネル、データチャネル、ならびにアップリンク共有チャネル上での送信のための異なるタイプの制御情報およびアップリンクデータの間のリソーススプリッティングに関係する情報など）などの情報を受信し得る。情報はデバイスの他の構成要素に受け渡され得る。受信機１０１０は、図１３を参照しながら説明されるトランシーバ１３３５の態様の一例であり得る。受信機１０１０は、単一のアンテナまたはアンテナのセットを利用し得る。
【０３３３】
[0226]  基地局通信マネージャ１０１５は、図１３を参照しながら説明される基地局通信マネージャ１３１５の態様の一例であり得る。
【０３３４】
[0227]  基地局通信マネージャ１０１５および／またはそれの様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ１０１５および／またはそれの様々な副構成要素のうちの少なくともいくつかの機能は、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本開示で説明される機能を実行するように設計されたそれらの任意の組合せによって実行され得る。基地局通信マネージャ１０１５および／またはそれの様々な副構成要素のうちの少なくともいくつかは、機能の部分が、１つまたは複数の物理デバイスによって異なる物理的ロケーションにおいて実装されるように分散されることを含めて、様々な位置に物理的に配置され得る。
【０３３５】
[0228]  いくつかの例では、基地局通信マネージャ１０１５および／またはそれの様々な副構成要素のうちの少なくともいくつかは、本開示の様々な態様による、分離したおよび別個の構成要素であり得る。他の例では、基地局通信マネージャ１０１５および／またはそれの様々な副構成要素のうちの少なくともいくつかは、本開示の様々な態様による、限定はしないが、Ｉ／Ｏ構成要素、トランシーバ、ネットワークサーバ、別のコンピューティングデバイス、本開示で説明される１つまたは複数の他の構成要素、またはそれらの組合せを含む、１つまたは複数の他のハードウェア構成要素と組み合わせられ得る。
【０３３６】
[0229]  基地局通信マネージャ１０１５は、基地局によって、アップリンク送信のためにＵＥに割り振られるアップリンク共有チャネルのＲＥのセットを示す許可を送信し、フィードバックデータとＣＳＩパート１データとＣＳＩパート２データとの間でＲＥのセットをスプリットし、ＲＥのセットをスプリットすることに基づいて、アップリンク送信のためのアップリンク共有チャネルのＲＥのセットを監視し得る。いくつかの例では、複数のＲＥをスプリットすることは、フィードバックデータとＣＳＩパート１データとＣＳＩパート２データとの間で複数のＲＥをスプリットすることを含み得る。いくつかの例では、スプリットすることは、ＣＳＩパート２データの基準ペイロードサイズに少なくとも部分的に基づき得る。いくつかの例では、複数のＲＥをスプリットすることは、フィードバックデータとＣＳＩパート１データとＣＳＩパート２データとアップリンクデータとの間で複数のＲＥをスプリットすることを含み得る。いくつかの例では、そのようなスプリットすることは、ＣＳＩパート２データの基準ペイロードサイズに少なくとも部分的に基づき得る。
【０３３７】
[0230]  送信機１０２０は、デバイスの他の構成要素によって生成された信号を送信し得る。いくつかの例では、送信機１０２０は、トランシーバモジュール中で受信機１０１０とコロケートされ得る。たとえば、送信機１０２０は、図１３を参照しながら説明されるトランシーバ１３３５の態様の一例であり得る。送信機１０２０は、単一のアンテナまたはアンテナのセットを利用し得る。
【０３３８】
[0231]  図１１は、本開示の態様による、アップリンク共有チャネル上での送信のための異なるタイプの制御情報およびアップリンクデータの間のリソーススプリッティングをサポートするワイヤレスデバイス１１０５のブロック図１１００を示す。ワイヤレスデバイス１１０５は、図１０を参照しながら説明されたワイヤレスデバイス１００５または基地局１０５の態様の一例であり得る。ワイヤレスデバイス１１０５は、受信機１１１０と、基地局通信マネージャ１１１５と、送信機１１２０とを含み得る。ワイヤレスデバイス１１０５はプロセッサをも含み得る。これらの構成要素の各々は、（たとえば、１つまたは複数のバスを介して）互いと通信していることがある。
【０３３９】
[0232]  受信機１１１０は、パケット、ユーザデータ、または様々な情報チャネルに関連する制御情報（たとえば、制御チャネル、データチャネル、ならびにアップリンク共有チャネル上での送信のための異なるタイプの制御情報およびアップリンクデータの間のリソーススプリッティングに関係する情報など）などの情報を受信し得る。情報はデバイスの他の構成要素に受け渡され得る。受信機１１１０は、図１３を参照しながら説明されるトランシーバ１３３５の態様の一例であり得る。受信機１１１０は、単一のアンテナまたはアンテナのセットを利用し得る。
【０３４０】
[0233]  基地局通信マネージャ１１１５は、図１３を参照しながら説明される基地局通信マネージャ１３１５の態様の一例であり得る。
【０３４１】
[0234]  基地局通信マネージャ１１１５はまた、許可構成要素１１２５と、リソース割振り構成要素１１３０と、リソース監視構成要素１１３５とを含み得る。
【０３４２】
[0235]  許可構成要素１１２５は、基地局によって、アップリンク送信のためにＵＥに割り振られるアップリンク共有チャネルのＲＥのセットを示す許可を送信し得る。いくつかの場合には、許可を送信することは、ＲＥのセットの総数のうちのいずれもアップリンクデータの送信のために割り振られず、ＲＥのセットの総数の各々が、フィードバックデータ、ＣＳＩパート１データ、またはＣＳＩパート２データの送信のために割り振られることを示すために許可を生成することをさらに含む。いくつかの場合には、許可を送信することは、アップリンク送信が非アクセス層データを含むべきであり、アクセス層データを含むべきでないことを示すために許可を生成することをさらに含む。
【０３４３】
[0236]  リソース割振り構成要素１１３０は、フィードバックデータとＣＳＩパート１データとＣＳＩパート２データとの間でＲＥのセットの少なくとも一部分をスプリットし、許可中で示されたサブキャリアの数と許可中で示されたシンボル期間の数とに基づいて、割振りのために利用可能であるＲＥのセットの総数を決定し、いくつかの例では、ランク指示の値に少なくとも部分的に基づいて基準ペイロードサイズを決定し得る。いくつかの場合には、ＲＥのセットをスプリットすることは、フィードバックデータとＣＳＩパート１データとＣＳＩパート２データとの間でＲＥのセットをスプリットすることを含む。いくつかの例では、そのようなスプリットすることは、ＣＳＩパート２データの基準ペイロードサイズに基づき得る。いくつかの場合には、ＲＥのセットをスプリットすることは、フィードバックデータとＣＳＩパート１データとＣＳＩパート２データとの間でＲＥのセットをスプリットすることを含む。いくつかの例では、そのようなスプリットすることは、割振りのために利用可能であるＲＥのセットの総数に基づき得る。
【０３４４】
[0237]  いくつかの場合には、割振りのために利用可能であるＲＥのセットの総数は、少なくとも１つの基準信号に割り当てられるＲＥのセットのうちのＲＥを除外する。いくつかの例では、複数のＲＥの少なくとも一部分をスプリットすることは、フィードバックデータとＣＳＩパート１データとＣＳＩパート２データとアップリンクデータとの間で複数のＲＥをスプリットすることを含み得る。いくつかの例では、そのようなスプリットすることは、ＣＳＩパート２データの基準ペイロードサイズに少なくとも部分的に基づき得る。いくつかの場合には、フィードバックデータはＨＡＲＱ−ＡＣＫデータである。
【０３４５】
[0238]  リソース監視構成要素１１３５は、ＲＥのセットをスプリットすることに基づいて、アップリンク送信のためのアップリンク共有チャネルのＲＥのセットを監視し得る。
【０３４６】
[0239]  送信機１１２０は、デバイスの他の構成要素によって生成された信号を送信し得る。いくつかの例では、送信機１１２０は、トランシーバモジュール中で受信機１１１０とコロケートされ得る。たとえば、送信機１１２０は、図１３を参照しながら説明されるトランシーバ１３３５の態様の一例であり得る。送信機１１２０は、単一のアンテナまたはアンテナのセットを利用し得る。
【０３４７】
[0240]  図１２は、本開示の態様による、アップリンク共有チャネル上での送信のための異なるタイプの制御情報およびアップリンクデータの間のリソーススプリッティングをサポートする基地局通信マネージャ１２１５のブロック図１２００を示す。基地局通信マネージャ１２１５は、図１０、図１１、および図１３を参照しながら説明される基地局通信マネージャ１３１５の態様の一例であり得る。基地局通信マネージャ１２１５は、許可構成要素１２２０と、リソース割振り構成要素１２２５と、リソース監視構成要素１２３０と、計算構成要素１２３５と、制御（たとえば、ＲＲＣ）シグナリング構成要素１２４０とを含み得る。これらのモジュールの各々は、直接または間接的に、（たとえば、１つまたは複数のバスを介して）互いと通信し得る。
【０３４８】
[0241]  許可構成要素１２２０は、基地局によって、アップリンク送信のためにＵＥに割り振られるアップリンク共有チャネルのＲＥのセットを示す許可を送信し得る。いくつかの場合には、許可を送信することは、ＲＥのセットの総数のうちのいずれもアップリンクデータの送信のために割り振られず、ＲＥのセットの総数の各々が、フィードバックデータ、ＣＳＩパート１データ、またはＣＳＩパート２データの送信のために割り振られることを示すために許可を生成することをさらに含む。いくつかの場合には、許可を送信することは、アップリンク送信が非アクセス層データを含むべきであり、アクセス層データを含むべきでないことを示すために許可を生成することをさらに含む。
【０３４９】
[0242]  リソース割振り構成要素１２２５は、フィードバックデータとＣＳＩパート１データとＣＳＩパート２データとの間でＲＥのセットの少なくとも一部分をスプリットし、許可中で示されたサブキャリアの数と許可中で示されたシンボル期間の数とに基づいて、割振りのために利用可能であるＲＥのセットの総数を決定し、ランク指示の値に少なくとも部分的に基づいて基準ペイロードサイズを決定し得る。いくつかの例では、複数のＲＥをスプリットすることは、ＣＳＩパート２データの基準ペイロードサイズに少なくとも部分的に基づいて、フィードバックデータとＣＳＩパート１データとＣＳＩパート２データとの間で複数のＲＥをスプリットすることを含み得る。いくつかの場合には、ＲＥのセットをスプリットすることは、割振りのために利用可能であるＲＥのセットの総数に基づいて、フィードバックデータとＣＳＩパート１データとＣＳＩパート２データとの間でＲＥのセットをスプリットすることを含む。
【０３５０】
[0243]  いくつかの場合には、割振りのために利用可能であるＲＥのセットの総数は、少なくとも１つの基準信号に割り当てられるＲＥのセットのうちのＲＥを除外する。いくつかの例では、複数のＲＥの少なくとも一部分をスプリットすることは、フィードバックデータとＣＳＩパート１データとＣＳＩパート２データとアップリンクデータとの間で複数のＲＥをスプリットすることを含み得る。いくつかの例では、スプリットすることは、ＣＳＩパート２データの基準ペイロードサイズに少なくとも部分的に基づき得る。いくつかの場合には、フィードバックデータはＨＡＲＱ−ＡＣＫデータである。
【０３５１】
[0244]  リソース監視構成要素１２３０は、ＲＥのセットをスプリットすることに基づいて、アップリンク送信のためのアップリンク共有チャネルのＲＥのセットを監視し得る。
【０３５２】
[0245]  計算構成要素１２３５は、ＣＳＩパート１データに割り振るために利用可能なＲＥのセットの最大数に基づいて、ＣＳＩパート１データに割り振られるＲＥのセットのうちのある数を計算し得る。いくつかの場合には、ＲＥのセットをスプリットすることは、フィードバックデータの重み付けされたペイロードサイズと、ＣＳＩパート１データの重み付けされたペイロードサイズと、基準ペイロードサイズの重み付けされたペイロードサイズとの関数に対するフィードバックデータの重み付けされたペイロードサイズに比例して、フィードバックデータに割り振られるＲＥのセットのうちのある数を計算することを含む。
【０３５３】
[0246]  いくつかの場合には、ＲＥのセットをスプリットすることは、フィードバックデータの重み付けされたペイロードサイズと、ＣＳＩパート１データの重み付けされたペイロードサイズと、基準ペイロードサイズの重み付けされたペイロードサイズとの関数に対するＣＳＩパート１データの重み付けされたペイロードサイズに比例して、ＣＳＩパート１データに割り振られるＲＥのセットのうちのある数を計算することを含む。いくつかの場合には、ＲＥのセットをスプリットすることは、フィードバックデータに割り振られるＲＥのセットのうちのある数とＣＳＩパート１データに割り振られるＲＥのセットのうちのある数とに基づいて、ＣＳＩパート２データに割り振られるＲＥのセットのうちのある数を計算することを含む。いくつかの場合には、ＲＥのセットをスプリットすることは、フィードバックデータに割り振るために利用可能なＲＥのセットの最大数に基づいて、フィードバックデータに割り振られるＲＥのセットのうちのある数を計算することを含む。
【０３５４】
[0247]  制御（たとえば、ＲＲＣ）シグナリング構成要素１２４０は、フィードバックデータのための重み付け係数に少なくとも部分的に基づいてフィードバックデータの重み付けされたペイロードサイズを決定し、ＣＳＩパート１データのための重み付け係数に少なくとも部分的に基づいてＣＳＩパート１データの重み付けされたペイロードサイズを決定し、ＣＳＩパート２データのための重み付け係数に少なくとも部分的に基づいて基準ペイロードサイズの重み付けされたペイロードサイズを決定し、フィードバックデータのためのおよびＣＳＩパート１データのための第１の割振り上限パラメータを示す制御（たとえば、ＲＲＣ）シグナリングを送信し、第１の割振り上限パラメータに少なくとも部分的に基づいて、ＣＳＩパート１データに割り振るために利用可能なＲＥのセットの最大数を設定し得る。
【０３５５】
[0248]  いくつかの場合には、ＲＥのセットをスプリットすることは、フィードバックデータのための重み付け係数と、ＣＳＩパート１データのための重み付け係数と、ＣＳＩパート２データのための重み付け係数とを示す制御（たとえば、ＲＲＣ）シグナリングを送信することを含む。いくつかの場合には、ＲＥのセットをスプリットすることは、第１の割振り上限パラメータに基づいてフィードバックデータに割り振るために利用可能なＲＥのセットの最大数を設定することを含む。
【０３５６】
[0249]  図１３は、本開示の態様による、アップリンク共有チャネル上での送信のための異なるタイプの制御情報およびアップリンクデータの間のリソーススプリッティングをサポートするデバイス１３０５を含むシステム１３００の図を示す。デバイス１３０５は、たとえば、図１を参照しながら上記で説明された基地局１０５の構成要素の一例であるか、またはそれを含み得る。デバイス１３０５は、基地局通信マネージャ１３１５と、プロセッサ１３２０と、メモリ１３２５と、ソフトウェア１３３０と、トランシーバ１３３５と、アンテナ１３４０と、ネットワーク通信マネージャ１３４５と、局間通信マネージャ１３５０とを含む、通信を送信および受信するための構成要素を含む双方向音声およびデータ通信のための構成要素を含み得る。これらの構成要素は、１つまたは複数のバス（たとえば、バス１３１０）を介して電子通信していることがある。デバイス１３０５は、１つまたは複数のＵＥ１１５とワイヤレス通信し得る。
【０３５７】
[0250]  プロセッサ１３２０は、インテリジェントハードウェアデバイス（たとえば、汎用プロセッサ、ＤＳＰ、ＣＰＵ、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。いくつかの場合には、プロセッサ１３２０は、メモリコントローラを使用してメモリアレイを動作させるように構成され得る。いくつかの場合には、メモリコントローラはプロセッサ１３２０に組み込まれ得る。プロセッサ１３２０は、様々な機能（たとえば、アップリンク共有チャネル上での送信のための異なるタイプの制御情報およびアップリンクデータの間のリソーススプリッティングをサポートする機能またはタスク）を実行するために、メモリに記憶されたコンピュータ可読命令を実行するように構成され得る。
【０３５８】
[0251]  メモリ１３２５はＲＡＭとＲＯＭとを含み得る。メモリ１３２５は、実行されたとき、プロセッサに本明細書で説明される様々な機能を実行させる命令を含むコンピュータ可読、コンピュータ実行可能ソフトウェア１３３０を記憶し得る。いくつかの場合には、メモリ１３２５は、特に、周辺構成要素またはデバイスとの対話など、基本ハードウェアまたはソフトウェア動作を制御し得るＢＩＯＳを含んでいることがある。
【０３５９】
[0252]  ソフトウェア１３３０は、アップリンク共有チャネル上での送信のために異なるタイプの制御情報およびアップリンクデータの間のリソーススプリッティングをサポートするためのコードを含む、本開示の態様を実装するためのコードを含み得る。ソフトウェア１３３０は、システムメモリまたは他のメモリなど、非一時的コンピュータ可読媒体に記憶され得る。いくつかの場合には、ソフトウェア１３３０は、プロセッサによって直接的に実行可能でないことがあるが、（たとえば、コンパイルされ実行されたとき）コンピュータに本明細書で説明される機能を実行させ得る。
【０３６０】
[0253]  トランシーバ１３３５は、上記で説明されたように、１つまたは複数のアンテナ、ワイヤードリンク、またはワイヤレスリンクを介して双方向に通信し得る。たとえば、トランシーバ１３３５は、ワイヤレストランシーバを表し得、別のワイヤレストランシーバと双方向に通信し得る。トランシーバ１３３５はまた、パケットを変調し、変調されたパケットを送信のためにアンテナに与えるための、およびアンテナから受信されたパケットを復調するためのモデムを含み得る。
【０３６１】
[0254]  いくつかの場合には、ワイヤレスデバイスは単一のアンテナ１３４０を含み得る。しかしながら、いくつかの場合には、デバイスは、複数のワイヤレス送信をコンカレントに送信または受信することが可能であり得る２つ以上のアンテナ１３４０を有し得る。
【０３６２】
[0255]  ネットワーク通信マネージャ１３４５は、（たとえば、１つまたは複数のワイヤードバックホールリンクを介して）コアネットワークとの通信を管理し得る。たとえば、ネットワーク通信マネージャ１３４５は、１つまたは複数のＵＥ１１５など、クライアントデバイスのためのデータ通信の転送を管理し得る。
【０３６３】
[0256]  局間通信マネージャ１３５０は、他の基地局１０５との通信を管理し得、他の基地局１０５と協働してＵＥ１１５との通信を制御するためのコントローラまたはスケジューラを含み得る。たとえば、局間通信マネージャ１３５０は、ビームフォーミングまたはジョイント送信などの様々な干渉緩和技法のためのＵＥ１１５への送信のためのスケジューリングを協調させ得る。いくつかの例では、局間通信マネージャ１３５０は、基地局１０５間の通信を行うために、ＬＴＥ／ＬＴＥ−Ａワイヤレス通信ネットワーク技術内のＸ２インターフェースを与え得る。
【０３６４】
[0257]  図１４は、本開示の態様による、アップリンク共有チャネル上での送信のための異なるタイプの制御情報およびアップリンクデータの間のリソーススプリッティングのための方法１４００を示すフローチャートを示す。方法１４００の動作は、本明細書で説明されたように、ＵＥ１１５またはそれの構成要素によって実装され得る。たとえば、方法１４００の動作は、図６〜図９を参照しながら説明されたように、ＵＥ通信マネージャによって実行され得る。いくつかの例では、ＵＥ１１５は、以下で説明される機能を実行するようにデバイスの機能要素を制御するためのコードのセットを実行し得る。追加または代替として、ＵＥ１１５は、専用ハードウェアを使用して、以下で説明される機能の態様を実行し得る。
【０３６５】
[0258]  １４０５において、ＵＥ１１５は、アップリンク送信のためにＵＥに割り振られるアップリンク共有チャネルの複数のＲＥを示す許可を受信し得る。１４０５の動作は、本明細書で説明される方法に従って実行され得る。いくつかの例では、１４０５の動作の態様は、図６〜図９を参照しながら説明されたように、許可構成要素によって実行され得る。
【０３６６】
[0259]  １４１０において、ＵＥ１１５は、フィードバックデータ（たとえば、ＨＡＲＫ−ＡＣＫデータ）とＣＳＩパート１データとＣＳＩパート２データとの間で複数のＲＥの少なくとも一部分をスプリットし得る。いくつかの例では、１４１０の、複数のＲＥをスプリットすることは、フィードバックデータ（たとえば、ＨＡＲＱ−ＡＣＫデータ）とＣＳＩパート１データとＣＳＩパート２データとの間で複数のＲＥをスプリットすることを含み得る。いくつかの例では、１４１０の、複数のＲＥをスプリットすることは、フィードバックデータ（たとえば、ＨＡＲＱ−ＡＣＫデータ）とＣＳＩパート１データとＣＳＩパート２データとアップリンクデータとの間で複数のＲＥをスプリットすることを含み得る。いくつかの例では、スプリットすることは、ＣＳＩパート２データの基準ペイロードサイズに少なくとも部分的に基づき得る。１４１０の動作は、本明細書で説明される方法に従って実行され得る。いくつかの例では、１４１０の動作の態様は、図６〜図９を参照しながら説明されたように、リソース割振り構成要素によって実行され得る。
【０３６７】
[0260]  １４１５において、ＵＥ１１５は、スプリットすることに少なくとも部分的に基づいてアップリンク送信を生成し得る。１４１５の動作は、本明細書で説明される方法に従って実行され得る。いくつかの例では、１４１５の動作の態様は、図６〜図９を参照しながら説明されたように、生成構成要素によって実行され得る。
【０３６８】
[0261]  １４２０において、ＵＥ１１５は、ＵＥによって、アップリンク共有チャネルの複数のＲＥ中でアップリンク送信を送信し得る。１４２０の動作は、本明細書で説明される方法に従って実行され得る。いくつかの例では、１４２０の動作の態様は、図６〜図９を参照しながら説明されたように、アップリンクコントローラによって実行され得る。
【０３６９】
[0262]  図１５は、本開示の態様による、アップリンク共有チャネル上での送信のための異なるタイプの制御情報およびアップリンクデータの間のリソーススプリッティングのための方法１５００を示すフローチャートを示す。方法１５００の動作は、本明細書で説明されたように、ＵＥ１１５またはそれの構成要素によって実装され得る。たとえば、方法１５００の動作は、図６〜図９を参照しながら説明されたように、ＵＥ通信マネージャによって実行され得る。いくつかの例では、ＵＥ１１５は、以下で説明される機能を実行するようにデバイスの機能要素を制御するためのコードのセットを実行し得る。追加または代替として、ＵＥ１１５は、専用ハードウェアを使用して、以下で説明される機能の態様を実行し得る。
【０３７０】
[0263]  １５０５において、ＵＥ１１５は、アップリンク送信のためにＵＥに割り振られるアップリンク共有チャネルの複数のＲＥを示す許可を受信し得る。１５０５の動作は、本明細書で説明される方法に従って実行され得る。いくつかの例では、１５０５の動作の態様は、図６〜図９を参照しながら説明されたように、許可構成要素によって実行され得る。
【０３７１】
[0264]  １５１０において、ＵＥ１１５は、許可中で示されたサブキャリアの数と許可中で示されたシンボル期間の数とに少なくとも部分的に基づいて、割振りのために利用可能である複数のＲＥの総数を決定し得る。１５１０の動作は、本明細書で説明される方法に従って実行され得る。いくつかの例では、１５１０の動作の態様は、図６〜図９を参照しながら説明されたように、リソース割振り構成要素によって実行され得る。
【０３７２】
[0265]  １５１５において、ＵＥ１１５は、ＨＡＲＱ−ＡＣＫデータとＣＳＩパート１データとＣＳＩパート２データとの間で複数のＲＥの少なくとも一部分をスプリットし得る。いくつかの例では、１５１５のスプリットすることは、ＣＳＩパート２データの基準ペイロードサイズに少なくとも部分的に基づき得る。いくつかの例では、１５１５のスプリットすることは、ＨＡＲＱ−ＡＣＫデータとＣＳＩパート１データとＣＳＩパート２データとアップリンクデータとの間であり得る。１５１５の動作は、本明細書で説明される方法に従って実行され得る。いくつかの例では、１５１５の動作の態様は、図６〜図９を参照しながら説明されたように、リソース割振り構成要素によって実行され得る。
【０３７３】
[0266]  １５２０において、ＵＥ１１５は、スプリットすることに少なくとも部分的に基づいてアップリンク送信を生成し得る。１５２０の動作は、本明細書で説明される方法に従って実行され得る。いくつかの例では、１５２０の動作の態様は、図６〜図９を参照しながら説明されたように、生成構成要素によって実行され得る。
【０３７４】
[0267]  １５２５において、ＵＥ１１５は、ＵＥによって、アップリンク共有チャネルの複数のＲＥ中でアップリンク送信を送信し得る。１５２５の動作は、本明細書で説明される方法に従って実行され得る。いくつかの例では、１５２５の動作の態様は、図６〜図９を参照しながら説明されたように、アップリンクコントローラによって実行され得る。
【０３７５】
[0268]  図１６は、本開示の態様による、アップリンク共有チャネル上での送信のための異なるタイプの制御情報およびアップリンクデータの間のリソーススプリッティングのための方法１６００を示すフローチャートを示す。方法１６００の動作は、本明細書で説明されたように、基地局１０５またはそれの構成要素によって実装され得る。たとえば、方法１６００の動作は、図１０〜図１３を参照しながら説明されたように、基地局通信マネージャによって実行され得る。いくつかの例では、基地局１０５は、以下で説明される機能を実行するようにデバイスの機能要素を制御するためのコードのセットを実行し得る。追加または代替として、基地局１０５は、専用ハードウェアを使用して、以下で説明される機能の態様を実行し得る。
【０３７６】
[0269]  １６０５において、基地局１０５は、アップリンク送信のためにＵＥに割り振られるアップリンク共有チャネルの複数のＲＥを示す許可を送信し得る。１６０５の動作は、本明細書で説明される方法に従って実行され得る。いくつかの例では、１６０５の動作の態様は、図１０〜図１３を参照しながら説明されたように、許可構成要素によって実行され得る。
【０３７７】
[0270]  １６１０において、基地局１０５は、フィードバックデータ（たとえば、ＨＡＲＱ−ＡＣＫデータ）とＣＳＩパート１データとＣＳＩパート２データとの間で複数のＲＥの少なくとも一部分をスプリットし得る。いくつかの例では、１６１０のスプリットすることは、ＣＳＩパート２データの基準ペイロードサイズに少なくとも部分的に基づき得る。いくつかの例では、１６１０のスプリットすることは、フィードバックデータ（たとえば、ＨＡＲＱ−ＡＣＫデータ）とＣＳＩパート１データとＣＳＩパート２データとアップリンクデータとの間であり得る。１６１０の動作は、本明細書で説明される方法に従って実行され得る。いくつかの例では、１６１０の動作の態様は、図１０〜図１３を参照しながら説明されたように、リソース割振り構成要素によって実行され得る。
【０３７８】
[0271]  １６１５において、基地局１０５は、スプリットすることに少なくとも部分的に基づいて、アップリンク送信のためのアップリンク共有チャネルの複数のＲＥを監視し得る。１６１５の動作は、本明細書で説明される方法に従って実行され得る。いくつかの例では、１６１５の動作の態様は、図１０〜図１３を参照しながら説明されたように、リソース監視構成要素によって実行され得る。
【０３７９】
[0272]  図１７は、本開示の態様による、アップリンク共有チャネル上での送信のための異なるタイプの制御情報およびアップリンクデータの間のリソーススプリッティングのための方法１７００を示すフローチャートを示す。方法１７００の動作は、本明細書で説明されたように、基地局１０５またはそれの構成要素によって実装され得る。たとえば、方法１７００の動作は、図１０〜図１３を参照しながら説明されたように、基地局通信マネージャによって実行され得る。いくつかの例では、基地局１０５は、以下で説明される機能を実行するようにデバイスの機能要素を制御するためのコードのセットを実行し得る。追加または代替として、基地局１０５は、専用ハードウェアを使用して、以下で説明される機能の態様を実行し得る。
【０３８０】
[0273]  １７０５において、基地局１０５は、アップリンク送信のためにＵＥに割り振られるアップリンク共有チャネルの複数のＲＥを示す許可を送信し得る。１７０５の動作は、本明細書で説明される方法に従って実行され得る。いくつかの例では、１７０５の動作の態様は、図１０〜図１３を参照しながら説明されたように、許可構成要素によって実行され得る。
【０３８１】
[0274]  １７１０において、基地局１０５は、ＨＡＲＱ−ＡＣＫデータ、ＣＳＩパート１データ、およびＣＳＩパート２データのための重み付け係数を示す制御（たとえば、ＲＲＣ）シグナリングを送信し得る。１７２０の動作は、本明細書で説明される方法に従って実行され得る。いくつかの例では、１７２０の動作の態様は、図１０〜図１３を参照しながら説明されたように、制御（たとえば、ＲＲＣ）シグナリング構成要素によって実行され得る。
【０３８２】
[0275]  １７１５において、基地局１０５は、フィードバックデータとＣＳＩパート１データとＣＳＩパート２データとの間で複数のＲＥの少なくとも一部分をスプリットし得る。いくつかの例では、１７１５のスプリットすることは、ＣＳＩパート２データの基準ペイロードサイズに少なくとも部分的に基づき得る。いくつかの場合には、複数のＲＥをスプリットすることは、フィードバックデータのための重み付け係数と、ＣＳＩパート１データのための重み付け係数と、ＣＳＩパート２データのための重み付け係数とを示す制御（たとえば、ＲＲＣ）シグナリングを送信することを含む。いくつかの例では、１７１５のスプリットすることは、フィードバックデータとＣＳＩパート１データとＣＳＩパート２データとアップリンクデータとの間であり得る。１７１０の動作は、本明細書で説明される方法に従って実行され得る。いくつかの例では、１７１０の動作の態様は、図１０〜図１３を参照しながら説明されたように、リソース割振り構成要素によって実行され得る。
【０３８３】
[0276]  １７２０において、基地局１０５は、スプリットすることに少なくとも部分的に基づいて、アップリンク送信のためのアップリンク共有チャネルの複数のＲＥを監視し得る。１７１５の動作は、本明細書で説明される方法に従って実行され得る。いくつかの例では、１７１５の動作の態様は、図１０〜図１３を参照しながら説明されたように、リソース監視構成要素によって実行され得る。
【０３８４】
[0277]  上記で説明された方法は可能な実装形態を表すこと、ならびに動作およびステップが並べ替えられるかまたは場合によっては変更され得ること、ならびに他の実装形態が可能であることに留意されたい。さらに、方法のうちの２つまたはそれ以上からの態様が組み合わせられ得る。
【０３８５】
[0278]  本明細書で説明される技法は、ＣＤＭＡ、ＴＤＭＡ、ＦＤＭＡ、ＯＦＤＭＡ、シングルキャリア周波数分割多元接続（ＳＣ−ＦＤＭＡ）、および他のシステムなど、様々なワイヤレス通信システムのために使用され得る。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリースは、一般に、ＣＤＭＡ２０００  １Ｘ、１Ｘなどと呼ばれることがある。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形態とを含む。ＴＤＭＡシステムは、モバイル通信用グローバルシステム（ＧＳＭ（登録商標））などの無線技術を実装し得る。
【０３８６】
[0279]  ＯＦＤＭＡシステムは、ウルトラモバイルブロードバンド（ＵＭＢ）、発展型ＵＴＲＡ（Ｅ−ＵＴＲＡ）、米国電気電子技術者協会（ＩＥＥＥ）８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。ＬＴＥ、ＬＴＥ−Ａ、およびＬＴＥ−Ａ  Ｐｒｏは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＬＴＥ−Ａ  Ｐｒｏ、ＮＲ、およびＧＳＭは、「第３世代パートナーシッププロジェクト」（３ＧＰＰ（登録商標））と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明される技法は、上述のシステムおよび無線技術、ならびに他のシステムおよび無線技術のために使用され得る。ＬＴＥ、ＬＴＥ−Ａ、ＬＴＥ−Ａ  Ｐｒｏ、またはＮＲシステムの態様は例として説明され得、ＬＴＥ、ＬＴＥ−Ａ、ＬＴＥ−Ａ  Ｐｒｏ、またはＮＲ用語が説明の大部分において使用され得るが、本明細書で説明される技法は、ＬＴＥ、ＬＴＥ−Ａ、ＬＴＥ−Ａ  Ｐｒｏ、またはＮＲ適用例以外に適用可能である。
【０３８７】
[0280]  マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、マクロセルと比較して、低電力基地局１０５に関連付けられ得、スモールセルは、マクロセルと同じまたは異なる（たとえば、認可、無認可などの）周波数帯域内で動作し得る。スモールセルは、様々な例によれば、ピコセルとフェムトセルとマイクロセルとを含み得る。ピコセルは、たとえば、小さい地理的エリアをカバーし得、ネットワークプロバイダのサービスに加入しているＵＥ１１５による無制限アクセスを可能にし得る。フェムトセルは、小さい地理的エリア（たとえば、自宅）を同じくカバーし得、フェムトセルとの関連を有するＵＥ１１５（たとえば、限定加入者グループ（ＣＳＧ）中のＵＥ１１５、自宅内のユーザのためのＵＥ１１５など）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セルをサポートし得、また、１つまたは複数のコンポーネントキャリアを使用する通信をサポートし得る。
【０３８８】
[0281]  本明細書で説明される１つまたは複数のワイヤレス通信システム１００は、同期動作または非同期動作をサポートし得る。同期動作の場合、基地局１０５は同様のフレームタイミングを有し得、異なる基地局１０５からの送信は近似的に時間的に整合され得る。非同期動作の場合、基地局１０５は異なるフレームタイミングを有し得、異なる基地局１０５からの送信は時間的に整合されないことがある。本明細書で説明される技法は、同期動作または非同期動作のいずれかのために使用され得る。
【０３８９】
[0282]  本明細書で説明される情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０３９０】
[0283]  本明細書の開示に関して説明された様々な例示的なブロックおよびモジュールは、汎用プロセッサ、ＤＳＰ、ＡＳＩＣ、ＦＰＧＡまたは他のプログラマブル論理デバイス（ＰＬＤ）、個別ゲートまたはトランジスタ論理、個別ハードウェア構成要素、あるいは本明細書で説明される機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。
【０３９１】
[0284]  本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が、異なる物理的ロケーションにおいて実装されるように分散されることを含めて、様々な位置に物理的に配置され得る。
【０３９２】
[0285]  コンピュータ可読媒体は、ある場所から別の場所へのコンピュータプログラムの転送を促進する任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、フラッシュメモリ、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を含み得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０３９３】
[0286]  特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。また、本明細書で使用される「に基づいて」という句は、条件の閉集合への参照として解釈されないものとする。たとえば、「条件Ａに基づいて」と記述された例示的なステップは、本開示の範囲から逸脱することなく条件Ａと条件Ｂの両方に基づき得る。言い換えれば、本明細書で使用される「に基づいて」という句は、「に少なくとも部分的に基づいて」という句と同様にして解釈されるものとする。
【０３９４】
[0287]  添付の図では、同様の構成要素または特徴は同じ参照ラベルを有し得る。さらに、同じタイプの様々な構成要素は、参照ラベルの後に、ダッシュと、それらの同様の構成要素を区別する第２のラベルとを続けることによって区別され得る。第１の参照ラベルのみが本明細書において使用される場合、その説明は、第２の参照ラベル、または他の後続の参照ラベルにかかわらず、同じ第１の参照ラベルを有する同様の構成要素のいずれにも適用可能である。
【０３９５】
[0288]  添付の図面に関して本明細書に記載される説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明される技法の理解を与えるための具体的な詳細を含む。ただし、これらの技法は、これらの具体的な詳細なしに実施され得る。いくつかの事例では、説明される例の概念を不明瞭にすることを回避するために、よく知られている構造およびデバイスがブロック図の形式で示される。
【０３９６】
[0289]  本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されず、本明細書で開示された原理および新規の特徴に合致する最も広い範囲を与えられるべきである。
【図１】
2021508991.tif 000087
【図２】
2021508991.tif 000088
【図３Ａ】
2021508991.tif 000089
【図３Ｂ】
2021508991.tif 000090
【図４】
2021508991.tif 000091
【図５】
2021508991.tif 000092
【図６】
2021508991.tif 000093
【図７】
2021508991.tif 000094
【図８】
2021508991.tif 000095
【図９】
2021508991.tif 000096
【図１０】
2021508991.tif 000097
【図１１】
2021508991.tif 000098
【図１２】
2021508991.tif 000099
【図１３】
2021508991.tif 000100
【図１４】
2021508991.tif 000101
【図１５】
2021508991.tif 000102
【図１６】
2021508991.tif 000103
【図１７】
2021508991.tif 000104
【手続補正書】
【提出日】令和2年11月18日(2020.11.18)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器（ＵＥ）によって、アップリンク送信のために前記ＵＥに割り振られるアップリンク共有チャネルの複数のリソース要素（ＲＥ）を示す許可を受信することと、
割振り上限パラメータを示す無線リソース制御（ＲＲＣ）シグナリングを受信することと、
前記割振り上限パラメータに少なくとも部分的に基づいて、ハイブリッド自動再送要求肯定応答（ＨＡＲＱ−ＡＣＫ）データに割り振るための前記複数のＲＥの最大数を設定することと、
前記ＨＡＲＱ−ＡＣＫデータとチャネル状態情報パート１（ＣＳＩパート１）データとＣＳＩパート２データとの間で前記複数のＲＥの少なくとも一部分をスプリットすることと、
前記スプリットすることに少なくとも部分的に基づいて前記アップリンク送信を生成することと、
前記ＵＥによって、前記アップリンク共有チャネルの前記複数のＲＥ中で前記アップリンク送信を送信することと
を備える、方法。
【請求項２】
前記最大数に少なくとも部分的に基づいて、前記ＨＡＲＱ−ＡＣＫデータに割り振るための前記複数のＲＥのうちのある数を計算すること
をさらに備える、請求項１に記載の方法。
【請求項３】
前記許可に関連するサブキャリアの数と前記許可に関連するシンボル期間の数とに少なくとも部分的に基づいて、割振りのために利用可能である前記複数のＲＥの総数を決定すること
をさらに備える、請求項１に記載の方法。
【請求項４】
前記ＨＡＲＱ−ＡＣＫデータに割り振るために利用可能である前記複数のＲＥの最大数として、割振りのために利用可能である前記複数のＲＥの前記総数を設定すること
をさらに備える、請求項３に記載の方法。
【請求項５】
前記複数のＲＥの少なくとも前記一部分をスプリットすることが、
前記複数のＲＥのうちのある数を前記ＨＡＲＱ−ＡＣＫデータに割り振ることと、
前記ＨＡＲＱ−ＡＣＫデータに割り振られる前記複数のＲＥのうちの前記数が、割振りのために利用可能である前記複数のＲＥの前記総数よりも少ないと決定したことに少なくとも部分的に基づいて、割振りのために利用可能である前記複数のＲＥのうちの残りの数を識別することと、
前記ＣＳＩパート１データと前記ＣＳＩパート２データとの間で前記複数のＲＥのうちの前記残りの数をスプリットすることと
を備える、請求項３に記載の方法。
【請求項６】
前記割振り上限パラメータを示す前記ＲＲＣシグナリングを受信することと、
前記割振り上限パラメータに少なくとも部分的に基づいて、前記ＣＳＩパート１データに割り振るための前記複数のＲＥの最大数を設定することと
をさらに備える、請求項１に記載の方法。
【請求項７】
前記最大数に少なくとも部分的に基づいて、前記ＣＳＩパート１データに割り振るための前記複数のＲＥのうちのある数を計算すること
をさらに備える、請求項６に記載の方法。
【請求項８】
前記複数のＲＥの少なくとも前記一部分をスプリットすることが、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＨＡＲＱ−ＡＣＫデータの前記重み付けされたペイロードサイズに比例して、前記ＨＡＲＱ−ＡＣＫデータに割り振るための前記複数のＲＥのうちのある数を計算すること
を備える、請求項１に記載の方法。
【請求項９】
前記複数のＲＥの少なくとも前記一部分をスプリットすることが、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＣＳＩパート１データの前記重み付けされたペイロードサイズに比例して、前記ＣＳＩパート１データに割り振るための前記複数のＲＥのうちのある数を計算すること
を備える、請求項１に記載の方法。
【請求項１０】
前記複数のＲＥの少なくとも前記一部分をスプリットすることが、
前記ＨＡＲＱ−ＡＣＫデータのための重み付け係数と、前記ＣＳＩパート１データのための重み付け係数と、前記ＣＳＩパート２データのための重み付け係数とを示す無線リソース制御（ＲＲＣ）シグナリングを受信することと、
前記ＨＡＲＱ−ＡＣＫデータのための前記重み付け係数に少なくとも部分的に基づいて前記ＨＡＲＱ−ＡＣＫデータの重み付けされたペイロードサイズと、前記ＣＳＩパート１データのための前記重み付け係数に少なくとも部分的に基づいて前記ＣＳＩパート１データの重み付けされたペイロードサイズと、前記ＣＳＩパート２データのための前記重み付け係数に少なくとも部分的に基づいて基準ペイロードサイズの重み付けされたペイロードサイズとを決定することと
を備える、請求項１に記載の方法。
【請求項１１】
前記複数のＲＥの少なくとも前記一部分をスプリットすることが、
前記ＨＡＲＱ−ＡＣＫデータに割り振られる前記複数のＲＥのうちのある数と前記ＣＳＩパート１データに割り振られる前記複数のＲＥのうちのある数とに少なくとも部分的に基づいて、前記ＣＳＩパート２データに割り振るための前記複数のＲＥのうちのある数を計算すること
を備える、請求項１に記載の方法。
【請求項１２】
前記複数のＲＥの少なくとも前記一部分をスプリットすることが、
基準ペイロードサイズの重み付けされたペイロードサイズに対する前記ＨＡＲＱ−ＡＣＫデータの重み付けされたペイロードサイズに比例して、前記ＨＡＲＱ−ＡＣＫデータに割り振るための前記複数のＲＥのうちのある数を計算すること
を備える、請求項１に記載の方法。
【請求項１３】
前記複数のＲＥの少なくとも前記一部分をスプリットすることが、
基準ペイロードサイズの重み付けされたペイロードサイズに対する前記ＣＳＩパート１データの重み付けされたペイロードサイズに比例して、前記ＣＳＩパート１データに割り振るための前記複数のＲＥのうちのある数を計算すること
を備える、請求項１に記載の方法。
【請求項１４】
ランク指示の値に少なくとも部分的に基づいて基準ペイロードサイズを決定すること
をさらに備える、請求項１に記載の方法。
【請求項１５】
前記複数のＲＥのうちのいずれもアップリンクデータの送信のために割り振られず、前記複数のＲＥの各々が、前記ＨＡＲＱ−ＡＣＫデータ、または前記ＣＳＩパート１データ、または前記ＣＳＩパート２データの送信のために割り振られると決定するために前記許可を処理すること
をさらに備える、請求項１に記載の方法。
【請求項１６】
前記アップリンク送信が非アクセス層データを含むべきであり、アクセス層データを含むべきでないと決定するために前記許可を処理すること
をさらに備える、請求項１に記載の方法。
【請求項１７】
前記複数のＲＥの少なくとも前記一部分をスプリットすることが、
前記ＣＳＩパート２データの基準ペイロードサイズに少なくとも部分的に基づいて、前記ＨＡＲＱ−ＡＣＫデータと前記ＣＳＩパート１データと前記ＣＳＩパート２データとアップリンクデータとの間で前記複数のＲＥの少なくとも前記一部分をスプリットすること
を備える、請求項１に記載の方法。
【請求項１８】
ワイヤレス通信のための方法であって、
基地局によって、アップリンク送信のためにユーザ機器（ＵＥ）に割り振られるアップリンク共有チャネルの複数のリソース要素（ＲＥ）を示す許可を送信することと、
割振り上限パラメータを示す無線リソース制御（ＲＲＣ）シグナリングを送信することと、
前記割振り上限パラメータに少なくとも部分的に基づいて、ハイブリッド自動再送要求肯定応答（ＨＡＲＱ−ＡＣＫ）データに割り振るために利用可能な前記複数のＲＥの最大数を設定することと、
前記ＨＡＲＱ−ＡＣＫデータとチャネル状態情報パート１（ＣＳＩパート１）データとＣＳＩパート２データとの間で前記複数のＲＥの少なくとも一部分をスプリットすることと、
前記スプリットすることに少なくとも部分的に基づいて、前記アップリンク送信のための前記アップリンク共有チャネルの前記複数のＲＥを監視することと
を備える、方法。
【請求項１９】
前記複数のＲＥの少なくとも前記一部分をスプリットすることが、
前記ＨＡＲＱ−ＡＣＫデータに割り振るために利用可能な前記複数のＲＥの前記最大数に少なくとも部分的に基づいて、前記ＨＡＲＱ−ＡＣＫデータに割り振られる前記複数のＲＥのうちのある数を計算すること
を備える、請求項１８に記載の方法。
【請求項２０】
前記複数のＲＥの少なくとも前記一部分をスプリットすることが、
前記割振り上限パラメータに少なくとも部分的に基づいて、前記ＣＳＩパート１データに割り振るために利用可能な前記複数のＲＥの最大数を設定すること
を備える、請求項１８に記載の方法。
【請求項２１】
前記複数のＲＥの少なくとも前記一部分をスプリットすることが、
前記ＣＳＩパート１データに割り振るために利用可能な前記複数のＲＥの前記最大数に少なくとも部分的に基づいて、前記ＣＳＩパート１データに割り振られる前記複数のＲＥのうちのある数を計算すること
を備える、請求項２０に記載の方法。
【請求項２２】
前記許可に関連するサブキャリアの数と前記許可に関連するシンボル期間の数とに少なくとも部分的に基づいて、割振りのために利用可能である前記複数のＲＥの総数を決定すること
をさらに備える、請求項１８に記載の方法。
【請求項２３】
前記複数のＲＥの少なくとも前記一部分をスプリットすることが、
割振りのために利用可能である前記複数のＲＥの前記総数に少なくとも部分的に基づいて、前記ＨＡＲＱ−ＡＣＫデータと前記ＣＳＩパート１データと前記ＣＳＩパート２データとの間で、前記複数のＲＥの少なくとも前記一部分をスプリットすること
を備える、請求項２２に記載の方法。
【請求項２４】
割振りのために利用可能である前記複数のＲＥの前記総数が、少なくとも１つの基準信号に割り当てられる前記複数のＲＥのうちのＲＥを除外する、請求項２２に記載の方法。
【請求項２５】
前記許可を送信することは、
前記複数のＲＥの前記総数のうちのいずれもアップリンクデータの送信のために割り振られず、前記複数のＲＥの総数の各々が、前記ＨＡＲＱ−ＡＣＫデータ、前記ＣＳＩパート１データ、または前記ＣＳＩパート２データの送信のために割り振られることを示すために前記許可を生成すること
をさらに備える、請求項２２に記載の方法。
【請求項２６】
前記許可を送信することは、
前記アップリンク送信が非アクセス層データを含むべきであり、アクセス層データを含むべきでないことを示すために前記許可を生成すること
をさらに備える、請求項２２に記載の方法。
【請求項２７】
前記複数のＲＥの少なくとも前記一部分をスプリットすることが、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＨＡＲＱ−ＡＣＫデータの前記重み付けされたペイロードサイズに比例して、前記ＨＡＲＱ−ＡＣＫデータに割り振られる前記複数のＲＥのうちのある数を計算すること
を備える、請求項１８に記載の方法。
【請求項２８】
前記複数のＲＥの少なくとも前記一部分をスプリットすることが、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＣＳＩパート１データの前記重み付けされたペイロードサイズに比例して、前記ＣＳＩパート１データに割り振られる前記複数のＲＥのうちのある数を計算すること
を備える、請求項１８に記載の方法。
【請求項２９】
前記複数のＲＥの少なくとも前記一部分をスプリットすることが、
前記ＨＡＲＱ−ＡＣＫデータのための重み付け係数と、前記ＣＳＩパート１データのための重み付け係数と、前記ＣＳＩパート２データのための重み付け係数とを示す無線リソース制御（ＲＲＣ）シグナリングを送信することと、
前記ＨＡＲＱ−ＡＣＫデータのための前記重み付け係数に少なくとも部分的に基づいて前記ＨＡＲＱ−ＡＣＫデータの重み付けされたペイロードサイズと、前記ＣＳＩパート１データのための前記重み付け係数に少なくとも部分的に基づいて前記ＣＳＩパート１データの重み付けされたペイロードサイズと、前記ＣＳＩパート２データのための前記重み付け係数に少なくとも部分的に基づいて基準ペイロードサイズの重み付けされたペイロードサイズとを決定することと
を備える、請求項１８に記載の方法。
【請求項３０】
前記複数のＲＥの少なくとも前記一部分をスプリットすることが、
前記ＨＡＲＱ−ＡＣＫデータに割り振られる前記複数のＲＥのうちのある数と前記ＣＳＩパート１データに割り振られる前記複数のＲＥのうちのある数とに少なくとも部分的に基づいて、前記ＣＳＩパート２データに割り振られる前記複数のＲＥのうちのある数を計算すること
を備える、請求項１８に記載の方法。
【請求項３１】
ランク指示の値に少なくとも部分的に基づいて基準ペイロードサイズを決定すること
をさらに備える、請求項１８に記載の方法。
【請求項３２】
前記複数のＲＥの少なくとも前記一部分をスプリットすることが、
前記ＣＳＩパート２データの基準ペイロードサイズに少なくとも部分的に基づいて、前記ＨＡＲＱ−ＡＣＫデータと前記ＣＳＩパート１データと前記ＣＳＩパート２データとアップリンクデータとの間で前記複数のＲＥの少なくとも前記一部分をスプリットすること
を備える、請求項１８に記載の方法。
【請求項３３】
ユーザ機器（ＵＥ）によるワイヤレス通信のための装置であって、
プロセッサと、
前記プロセッサと電子通信しているメモリと、
前記メモリに記憶された命令と
を備え、前記命令が、前記装置に、
アップリンク送信のために前記ＵＥに割り振られるアップリンク共有チャネルの複数のリソース要素（ＲＥ）を示す許可を受信することと、
割振り上限パラメータを示す無線リソース制御（ＲＲＣ）シグナリングを受信することと、
前記割振り上限パラメータに少なくとも部分的に基づいて、ハイブリッド自動再送要求肯定応答（ＨＡＲＱ−ＡＣＫ）データに割り振るための前記複数のＲＥの最大数を設定することと、
前記ＨＡＲＱ−ＡＣＫデータとチャネル状態情報パート１（ＣＳＩパート１）データとＣＳＩパート２データとの間で前記複数のＲＥの少なくとも一部分をスプリットすることと、
前記スプリットすることに少なくとも部分的に基づいて前記アップリンク送信を生成することと、
前記アップリンク共有チャネルの前記複数のＲＥ中で前記アップリンク送信を送信することと
を行わせるために前記プロセッサによって実行可能である、装置。
【請求項３４】
前記命令が、前記装置に、
前記最大数に少なくとも部分的に基づいて、前記ＨＡＲＱ−ＡＣＫデータに割り振るための前記複数のＲＥのうちのある数を計算すること
を行わせるために前記プロセッサによってさらに実行可能である、請求項３３に記載の装置。
【請求項３５】
前記命令が、前記装置に、
前記許可に関連するサブキャリアの数と前記許可に関連するシンボル期間の数とに少なくとも部分的に基づいて、割振りのために利用可能である前記複数のＲＥの総数を決定すること
を行わせるために前記プロセッサによってさらに実行可能である、請求項３３に記載の装置。
【請求項３６】
前記命令が、前記装置に、
前記ＨＡＲＱ−ＡＣＫデータに割り振るために利用可能である前記複数のＲＥの最大数として、割振りのために利用可能である前記複数のＲＥの前記総数を設定すること
を行わせるために前記プロセッサによってさらに実行可能である、請求項３５に記載の装置。
【請求項３７】
前記複数のＲＥの少なくとも前記一部分をスプリットするための前記命令が、前記装置に、
前記複数のＲＥのうちのある数を前記ＨＡＲＱ−ＡＣＫデータに割り振ることと、
前記ＨＡＲＱ−ＡＣＫデータに割り振られる前記複数のＲＥのうちの前記数が、割振りのために利用可能である前記複数のＲＥの前記総数よりも少ないと決定したことに少なくとも部分的に基づいて、割振りのために利用可能である前記複数のＲＥのうちの残りの数を識別することと、
前記ＣＳＩパート１データと前記ＣＳＩパート２データとの間で前記複数のＲＥのうちの前記残りの数をスプリットすることと
を行わせるために前記プロセッサによって実行可能である、請求項３５に記載の装置。
【請求項３８】
前記命令が、前記装置に、
前記割振り上限パラメータを示す前記ＲＲＣシグナリングを受信することと、
前記割振り上限パラメータに少なくとも部分的に基づいて、前記ＣＳＩパート１データに割り振るための前記複数のＲＥの最大数を設定することと
を行わせるために前記プロセッサによってさらに実行可能である、請求項３３に記載の装置。
【請求項３９】
前記命令が、前記装置に、
前記最大数に少なくとも部分的に基づいて、前記ＣＳＩパート１データに割り振るための前記複数のＲＥのうちのある数を計算すること
を行わせるために前記プロセッサによってさらに実行可能である、請求項３４に記載の装置。
【請求項４０】
前記複数のＲＥの少なくとも前記一部分をスプリットするための前記命令が、前記装置に、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＨＡＲＱ−ＡＣＫデータの前記重み付けされたペイロードサイズに比例して、前記ＨＡＲＱ−ＡＣＫデータに割り振るための前記複数のＲＥのうちのある数を計算すること
を行わせるために前記プロセッサによって実行可能である、請求項３３に記載の装置。
【請求項４１】
前記複数のＲＥの少なくとも前記一部分をスプリットするための前記命令が、前記装置に、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＣＳＩパート１データの前記重み付けされたペイロードサイズに比例して、前記ＣＳＩパート１データに割り振るための前記複数のＲＥのうちのある数を計算すること
を行わせるために前記プロセッサによって実行可能である、請求項３３に記載の装置。
【請求項４２】
前記複数のＲＥの少なくとも前記一部分をスプリットするための前記命令が、前記装置に、
前記ＨＡＲＱ−ＡＣＫデータのための重み付け係数と、前記ＣＳＩパート１データのための重み付け係数と、前記ＣＳＩパート２データのための重み付け係数とを示す無線リソース制御（ＲＲＣ）シグナリングを受信することと、
前記ＨＡＲＱ−ＡＣＫデータのための前記重み付け係数に少なくとも部分的に基づいて前記ＨＡＲＱ−ＡＣＫデータの重み付けされたペイロードサイズと、前記ＣＳＩパート１データのための前記重み付け係数に少なくとも部分的に基づいて前記ＣＳＩパート１データの重み付けされたペイロードサイズと、前記ＣＳＩパート２データのための前記重み付け係数に少なくとも部分的に基づいて基準ペイロードサイズの重み付けされたペイロードサイズとを決定することと
を行わせるために前記プロセッサによって実行可能である、請求項３３に記載の装置。
【請求項４３】
前記複数のＲＥの少なくとも前記一部分をスプリットするための前記命令が、前記装置に、
前記ＨＡＲＱ−ＡＣＫデータに割り振られる前記複数のＲＥのうちのある数と前記ＣＳＩパート１データに割り振られる前記複数のＲＥのうちのある数とに少なくとも部分的に基づいて、前記ＣＳＩパート２データに割り振るための前記複数のＲＥのうちのある数を計算すること
を行わせるために前記プロセッサによって実行可能である、請求項３３に記載の装置。
【請求項４４】
前記複数のＲＥの少なくとも前記一部分をスプリットするための前記命令が、前記装置に、
基準ペイロードサイズの重み付けされたペイロードサイズに対する前記ＨＡＲＱ−ＡＣＫデータの重み付けされたペイロードサイズに比例して、前記ＨＡＲＱ−ＡＣＫデータに割り振るための前記複数のＲＥのうちのある数を計算すること
を行わせるために前記プロセッサによって実行可能である、請求項３３に記載の装置。
【請求項４５】
前記複数のＲＥの少なくとも前記一部分をスプリットするための前記命令が、前記装置に、
基準ペイロードサイズの重み付けされたペイロードサイズに対する前記ＣＳＩパート１データの重み付けされたペイロードサイズに比例して、前記ＣＳＩパート１データに割り振るための前記複数のＲＥのうちのある数を計算すること
を行わせるために前記プロセッサによって実行可能である、請求項３３に記載の装置。
【請求項４６】
前記命令が、前記装置に、
ランク指示の値に少なくとも部分的に基づいて基準ペイロードサイズを決定すること
を行わせるために前記プロセッサによってさらに実行可能である、請求項３３に記載の装置。
【請求項４７】
前記命令が、前記装置に、
前記複数のＲＥのうちのいずれもアップリンクデータの送信のために割り振られず、前記複数のＲＥの各々が、前記ＨＡＲＱ−ＡＣＫデータ、または前記ＣＳＩパート１データ、または前記ＣＳＩパート２データの送信のために割り振られると決定するために前記許可を処理すること
を行わせるために前記プロセッサによってさらに実行可能である、請求項３３に記載の装置。
【請求項４８】
前記命令が、前記装置に、
前記アップリンク送信が非アクセス層データを含むべきであり、アクセス層データを含むべきでないと決定するために前記許可を処理すること
を行わせるために前記プロセッサによってさらに実行可能である、請求項３３に記載の装置。
【請求項４９】
前記複数のＲＥの少なくとも前記一部分をスプリットするための前記命令が、前記装置に、
前記ＣＳＩパート２データの基準ペイロードサイズに少なくとも部分的に基づいて、前記ＨＡＲＱ−ＡＣＫデータと前記ＣＳＩパート１データと前記ＣＳＩパート２データとアップリンクデータとの間で前記複数のＲＥの少なくとも前記一部分をスプリットすること
を行わせるために前記プロセッサによって実行可能である、請求項３３に記載の装置。
【請求項５０】
基地局によるワイヤレス通信のための装置であって、
プロセッサと、
前記プロセッサと電子通信しているメモリと、
前記メモリに記憶された命令と
を備え、前記命令が、前記装置に、
アップリンク送信のためにユーザ機器（ＵＥ）に割り振られるアップリンク共有チャネルの複数のリソース要素（ＲＥ）を示す許可を送信することと、
割振り上限パラメータを示す無線リソース制御（ＲＲＣ）シグナリングを送信することと、
前記割振り上限パラメータに少なくとも部分的に基づいて、ハイブリッド自動再送要求肯定応答（ＨＡＲＱ−ＡＣＫ）データに割り振るために利用可能な前記複数のＲＥの最大数を設定することと、
前記ＨＡＲＱ−ＡＣＫデータとチャネル状態情報パート１（ＣＳＩパート１）データとＣＳＩパート２データとの間で前記複数のＲＥの少なくとも一部分をスプリットすることと、
前記スプリットすることに少なくとも部分的に基づいて、前記アップリンク送信のための前記アップリンク共有チャネルの前記複数のＲＥを監視することと
を行わせるために前記プロセッサによって実行可能である、装置。
【請求項５１】
前記複数のＲＥの少なくとも前記一部分をスプリットするための前記命令が、前記装置に、
前記ＨＡＲＱ−ＡＣＫデータに割り振るために利用可能な前記複数のＲＥの前記最大数に少なくとも部分的に基づいて、前記ＨＡＲＱ−ＡＣＫデータに割り振られる前記複数のＲＥのうちのある数を計算すること
を行わせるために前記プロセッサによって実行可能である、請求項５０に記載の装置。
【請求項５２】
前記複数のＲＥの少なくとも前記一部分をスプリットするための前記命令が、前記装置に、
前記割振り上限パラメータに少なくとも部分的に基づいて、前記ＣＳＩパート１データに割り振るために利用可能な前記複数のＲＥの最大数を設定すること
を行わせるために前記プロセッサによって実行可能である、請求項５０に記載の装置。
【請求項５３】
前記複数のＲＥの少なくとも前記一部分をスプリットするための前記命令が、前記装置に、
前記ＣＳＩパート１データに割り振るために利用可能な前記複数のＲＥの前記最大数に少なくとも部分的に基づいて、前記ＣＳＩパート１データに割り振られる前記複数のＲＥのうちのある数を計算すること
を行わせるために前記プロセッサによって実行可能である、請求項５２に記載の装置。
【請求項５４】
前記命令が、前記装置に、
前記許可に関連するサブキャリアの数と前記許可に関連するシンボル期間の数とに少なくとも部分的に基づいて、割振りのために利用可能である前記複数のＲＥの総数を決定すること
を行わせるために前記プロセッサによってさらに実行可能である、請求項５０に記載の装置。
【請求項５５】
前記複数のＲＥの少なくとも前記一部分をスプリットするための前記命令が、前記装置に、
割振りのために利用可能である前記複数のＲＥの前記総数に少なくとも部分的に基づいて、前記ＨＡＲＱ−ＡＣＫデータと前記ＣＳＩパート１データと前記ＣＳＩパート２データとの間で、前記複数のＲＥの少なくとも前記一部分をスプリットすること
を行わせるために前記プロセッサによって実行可能である、請求項５４に記載の装置。
【請求項５６】
割振りのために利用可能である前記複数のＲＥの前記総数が、少なくとも１つの基準信号に割り当てられる前記複数のＲＥのうちのＲＥを除外する、請求項５４に記載の装置。
【請求項５７】
前記許可を送信するための前記命令が、前記装置に、
前記複数のＲＥの前記総数のうちのいずれもアップリンクデータの送信のために割り振られず、前記複数のＲＥの総数の各々が、前記ＨＡＲＱ−ＡＣＫデータ、前記ＣＳＩパート１データ、または前記ＣＳＩパート２データの送信のために割り振られることを示すために前記許可を生成すること
を行わせるために前記プロセッサによってさらに実行可能である、請求項５４に記載の装置。
【請求項５８】
前記許可を送信するための前記命令が、前記装置に、
前記アップリンク送信が非アクセス層データを含むべきであり、アクセス層データを含むべきでないことを示すために前記許可を生成すること
を行わせるために前記プロセッサによってさらに実行可能である、請求項５４に記載の装置。
【請求項５９】
前記複数のＲＥの少なくとも前記一部分をスプリットするための前記命令が、前記装置に、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＨＡＲＱ−ＡＣＫデータの前記重み付けされたペイロードサイズに比例して、前記ＨＡＲＱ−ＡＣＫデータに割り振られる前記複数のＲＥのうちのある数を計算すること
を行わせるために前記プロセッサによって実行可能である、請求項５０に記載の装置。
【請求項６０】
前記複数のＲＥの少なくとも前記一部分をスプリットするための前記命令が、前記装置に、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＣＳＩパート１データの前記重み付けされたペイロードサイズに比例して、前記ＣＳＩパート１データに割り振られる前記複数のＲＥのうちのある数を計算すること
を行わせるために前記プロセッサによって実行可能である、請求項５０に記載の装置。
【請求項６１】
前記複数のＲＥの少なくとも前記一部分をスプリットするための前記命令が、前記装置に、
前記ＨＡＲＱ−ＡＣＫデータのための重み付け係数と、前記ＣＳＩパート１データのための重み付け係数と、前記ＣＳＩパート２データのための重み付け係数とを示す無線リソース制御（ＲＲＣ）シグナリングを送信することと、
前記ＨＡＲＱ−ＡＣＫデータのための前記重み付け係数に少なくとも部分的に基づいて前記ＨＡＲＱ−ＡＣＫデータの重み付けされたペイロードサイズと、前記ＣＳＩパート１データのための前記重み付け係数に少なくとも部分的に基づいて前記ＣＳＩパート１データの重み付けされたペイロードサイズと、前記ＣＳＩパート２データのための前記重み付け係数に少なくとも部分的に基づいて基準ペイロードサイズの重み付けされたペイロードサイズとを決定することと
を行わせるために前記プロセッサによって実行可能である、請求項５０に記載の装置。
【請求項６２】
前記複数のＲＥの少なくとも前記一部分をスプリットするための前記命令が、前記装置に、
前記ＨＡＲＱ−ＡＣＫデータに割り振られる前記複数のＲＥのうちのある数と前記ＣＳＩパート１データに割り振られる前記複数のＲＥのうちのある数とに少なくとも部分的に基づいて、前記ＣＳＩパート２データに割り振られる前記複数のＲＥのうちのある数を計算すること
を行わせるために前記プロセッサによって実行可能である、請求項５０に記載の装置。
【請求項６３】
前記命令が、前記装置に、
ランク指示の値に少なくとも部分的に基づいて基準ペイロードサイズを決定すること
を行わせるために前記プロセッサによってさらに実行可能である、請求項５０に記載の装置。
【請求項６４】
前記複数のＲＥの少なくとも前記一部分をスプリットするための前記命令が、前記装置に、
前記ＣＳＩパート２データの基準ペイロードサイズに少なくとも部分的に基づいて、前記ＨＡＲＱ−ＡＣＫデータと前記ＣＳＩパート１データと前記ＣＳＩパート２データとアップリンクデータとの間で前記複数のＲＥの少なくとも前記一部分をスプリットすること
を行わせるために前記プロセッサによって実行可能である、請求項５０に記載の装置。
【請求項６５】
ユーザ機器（ＵＥ）によるワイヤレス通信のための装置であって、
アップリンク送信のために前記ＵＥに割り振られるアップリンク共有チャネルの複数のリソース要素（ＲＥ）を示す許可を受信するための手段と、
割振り上限パラメータを示す無線リソース制御（ＲＲＣ）シグナリングを受信するための手段と、
前記割振り上限パラメータに少なくとも部分的に基づいて、ハイブリッド自動再送要求肯定応答（ＨＡＲＱ−ＡＣＫ）データに割り振るための前記複数のＲＥの最大数を設定するための手段と、
前記ＨＡＲＱ−ＡＣＫデータとチャネル状態情報パート１（ＣＳＩパート１）データとＣＳＩパート２データとの間で前記複数のＲＥの少なくとも一部分をスプリットするための手段と、
前記スプリットすることに少なくとも部分的に基づいて前記アップリンク送信を生成するための手段と、
前記アップリンク共有チャネルの前記複数のＲＥ中で前記アップリンク送信を送信するための手段と
を備える、装置。
【請求項６６】
基地局によるワイヤレス通信のための装置であって、
アップリンク送信のためにユーザ機器（ＵＥ）に割り振られるアップリンク共有チャネルの複数のリソース要素（ＲＥ）を示す許可を送信するための手段と、
割振り上限パラメータを示す無線リソース制御（ＲＲＣ）シグナリングを送信するための手段と、
前記割振り上限パラメータに少なくとも部分的に基づいて、ハイブリッド自動再送要求肯定応答（ＨＡＲＱ−ＡＣＫ）データに割り振るために利用可能な前記複数のＲＥの最大数を設定するための手段と、
前記ＨＡＲＱ−ＡＣＫデータとチャネル状態情報パート１（ＣＳＩパート１）データとＣＳＩパート２データとの間で前記複数のＲＥの少なくとも一部分をスプリットするための手段と、
前記スプリットすることに少なくとも部分的に基づいて、前記アップリンク送信のための前記アップリンク共有チャネルの前記複数のＲＥを監視するための手段と
を備える、装置。
【手続補正２】
【補正対象書類名】明細書
【補正対象項目名】０３９６
【補正方法】変更
【補正の内容】
【０３９６】
[0289]  本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されず、本明細書で開示された原理および新規の特徴に合致する最も広い範囲を与えられるべきである。
以下に本願発明の当初の特許請求の範囲に記載された発明を付記する。
［Ｃ１］
ワイヤレス通信のための方法であって、
ユーザ機器（ＵＥ）によって、アップリンク送信のために前記ＵＥに割り振られるアップリンク共有チャネルの複数のリソース要素（ＲＥ）を示す許可を受信することと、
ハイブリッド自動再送要求肯定応答（ＨＡＲＱ−ＡＣＫ）データとチャネル状態情報パート１（ＣＳＩパート１）データとＣＳＩパート２データとの間で前記複数のＲＥの少なくとも一部分をスプリットすることと、
前記スプリットすることに少なくとも部分的に基づいて前記アップリンク送信を生成することと、
前記ＵＥによって、前記アップリンク共有チャネルの前記複数のＲＥ中で前記アップリンク送信を送信することと
を備える、方法。
［Ｃ２］
割振り上限パラメータを示す無線リソース制御（ＲＲＣ）シグナリングを受信することと、
前記割振り上限パラメータに少なくとも部分的に基づいて、前記ＨＡＲＱ−ＡＣＫデータに割り振るための前記複数のＲＥの最大数を設定することと
をさらに備える、Ｃ１に記載の方法。
［Ｃ３］
前記最大数に少なくとも部分的に基づいて、前記ＨＡＲＱ−ＡＣＫデータに割り振るための前記複数のＲＥのうちのある数を計算すること
をさらに備える、Ｃ２に記載の方法。
［Ｃ４］
前記許可に関連するサブキャリアの数と前記許可に関連するシンボル期間の数とに少なくとも部分的に基づいて、割振りのために利用可能である前記複数のＲＥの総数を決定すること
をさらに備える、Ｃ１に記載の方法。
［Ｃ５］
割振り上限パラメータを示す無線リソース制御（ＲＲＣ）シグナリングを受信することと、
前記割振り上限パラメータに少なくとも部分的に基づいて、前記ＣＳＩパート１データに割り振るための前記複数のＲＥの最大数を設定することと
をさらに備える、Ｃ１に記載の方法。
［Ｃ６］
前記最大数に少なくとも部分的に基づいて、前記ＣＳＩパート１データに割り振るための前記複数のＲＥのうちのある数を計算すること
をさらに備える、Ｃ５に記載の方法。
［Ｃ７］
前記ＨＡＲＱ−ＡＣＫデータに割り振るために利用可能である前記複数のＲＥの最大数として、割振りのために利用可能である前記複数のＲＥの前記総数を設定すること
をさらに備える、Ｃ４に記載の方法。
［Ｃ８］
前記複数のＲＥの少なくとも前記一部分をスプリットすることが、
前記複数のＲＥのうちのある数を前記ＨＡＲＱ−ＡＣＫデータに割り振ることと、
前記ＨＡＲＱ−ＡＣＫデータに割り振られる前記複数のＲＥのうちの前記数が、割振りのために利用可能である前記複数のＲＥの前記総数よりも少ないと決定したことに少なくとも部分的に基づいて、割振りのために利用可能である前記複数のＲＥのうちの残りの数を識別することと、
前記ＣＳＩパート１データと前記ＣＳＩパート２データとの間で前記複数のＲＥのうちの前記残りの数をスプリットすることと
を備える、Ｃ４に記載の方法。
［Ｃ９］
前記複数のＲＥの少なくとも前記一部分をスプリットすることが、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＨＡＲＱ−ＡＣＫデータの前記重み付けされたペイロードサイズに比例して、前記ＨＡＲＱ−ＡＣＫデータに割り振るための前記複数のＲＥのうちのある数を計算すること
を備える、Ｃ１に記載の方法。
［Ｃ１０］
前記複数のＲＥの少なくとも前記一部分をスプリットすることが、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＣＳＩパート１データの前記重み付けされたペイロードサイズに比例して、前記ＣＳＩパート１データに割り振るための前記複数のＲＥのうちのある数を計算すること
を備える、Ｃ１に記載の方法。
［Ｃ１１］
前記複数のＲＥの少なくとも前記一部分をスプリットすることが、
前記ＨＡＲＱ−ＡＣＫデータのための重み付け係数と、前記ＣＳＩパート１データのための重み付け係数と、前記ＣＳＩパート２データのための重み付け係数とを示す無線リソース制御（ＲＲＣ）シグナリングを受信することと、
前記ＨＡＲＱ−ＡＣＫデータのための前記重み付け係数に少なくとも部分的に基づいて前記ＨＡＲＱ−ＡＣＫデータの重み付けされたペイロードサイズと、前記ＣＳＩパート１データのための前記重み付け係数に少なくとも部分的に基づいて前記ＣＳＩパート１データの重み付けされたペイロードサイズと、前記ＣＳＩパート２データのための前記重み付け係数に少なくとも部分的に基づいて基準ペイロードサイズの重み付けされたペイロードサイズとを決定することと
を備える、Ｃ１に記載の方法。
［Ｃ１２］
前記複数のＲＥの少なくとも前記一部分をスプリットすることが、
前記ＨＡＲＱ−ＡＣＫデータに割り振られる前記複数のＲＥのうちのある数と前記ＣＳＩパート１データに割り振られる前記複数のＲＥのうちのある数とに少なくとも部分的に基づいて、前記ＣＳＩパート２データに割り振るための前記複数のＲＥのうちのある数を計算すること
を備える、Ｃ１に記載の方法。
［Ｃ１３］
前記複数のＲＥの少なくとも前記一部分をスプリットすることが、
基準ペイロードサイズの重み付けされたペイロードサイズに対する前記ＨＡＲＱ−ＡＣＫデータの重み付けされたペイロードサイズに比例して、前記ＨＡＲＱ−ＡＣＫデータに割り振るための前記複数のＲＥのうちのある数を計算すること
を備える、Ｃ１に記載の方法。
［Ｃ１４］
前記複数のＲＥの少なくとも前記一部分をスプリットすることが、
基準ペイロードサイズの重み付けされたペイロードサイズに対する前記ＣＳＩパート１データの重み付けされたペイロードサイズに比例して、前記ＣＳＩパート１データに割り振るための前記複数のＲＥのうちのある数を計算すること
を備える、Ｃ１に記載の方法。
［Ｃ１５］
ランク指示の値に少なくとも部分的に基づいて基準ペイロードサイズを決定することをさらに備える、Ｃ１に記載の方法。
［Ｃ１６］
前記複数のＲＥのうちのいずれもアップリンクデータの送信のために割り振られず、前記複数のＲＥの各々が、前記ＨＡＲＱ−ＡＣＫデータ、または前記ＣＳＩパート１データ、または前記ＣＳＩパート２データの送信のために割り振られると決定するために前記許可を処理すること
をさらに備える、Ｃ１に記載の方法。
［Ｃ１７］
前記アップリンク送信が非アクセス層データを含むべきであり、アクセス層データを含むべきでないと決定するために前記許可を処理すること
をさらに備える、Ｃ１に記載の方法。
［Ｃ１８］
前記複数のＲＥの少なくとも前記一部分をスプリットすることが、
前記ＣＳＩパート２データの基準ペイロードサイズに少なくとも部分的に基づいて、前記ＨＡＲＱ−ＡＣＫデータと前記ＣＳＩパート１データと前記ＣＳＩパート２データとアップリンクデータとの間で前記複数のＲＥの少なくとも前記一部分をスプリットすることを備える、Ｃ１に記載の方法。
［Ｃ１９］
ワイヤレス通信のための方法であって、
基地局によって、アップリンク送信のためにユーザ機器（ＵＥ）に割り振られるアップリンク共有チャネルの複数のリソース要素（ＲＥ）を示す許可を送信することと、
ハイブリッド自動再送要求肯定応答（ＨＡＲＱ−ＡＣＫ）データとチャネル状態情報パート１（ＣＳＩパート１）データとＣＳＩパート２データとの間で前記複数のＲＥの少なくとも一部分をスプリットすることと、
前記スプリットすることに少なくとも部分的に基づいて、前記アップリンク送信のための前記アップリンク共有チャネルの前記複数のＲＥを監視することと
を備える、方法。
［Ｃ２０］
割振り上限パラメータを示す無線リソース制御（ＲＲＣ）シグナリングを送信することをさらに備える、Ｃ１９に記載の方法。
［Ｃ２１］
前記複数のＲＥの少なくとも前記一部分をスプリットすることが、
前記割振り上限パラメータに少なくとも部分的に基づいて、前記ＨＡＲＱ−ＡＣＫデータに割り振るために利用可能な前記複数のＲＥの最大数を設定すること
を備える、Ｃ２０に記載の方法。
［Ｃ２２］
前記複数のＲＥの少なくとも前記一部分をスプリットすることが、
前記ＨＡＲＱ−ＡＣＫデータに割り振るために利用可能な前記複数のＲＥの前記最大数に少なくとも部分的に基づいて、前記ＨＡＲＱ−ＡＣＫデータに割り振られる前記複数のＲＥのうちのある数を計算すること
を備える、Ｃ２１に記載の方法。
［Ｃ２３］
前記複数のＲＥの少なくとも前記一部分をスプリットすることが、
前記割振り上限パラメータに少なくとも部分的に基づいて、前記ＣＳＩパート１データに割り振るために利用可能な前記複数のＲＥの最大数を設定すること
を備える、Ｃ２０に記載の方法。
［Ｃ２４］
前記複数のＲＥの少なくとも前記一部分をスプリットすることが、
前記ＣＳＩパート１データに割り振るために利用可能な前記複数のＲＥの前記最大数に少なくとも部分的に基づいて、前記ＣＳＩパート１データに割り振られる前記複数のＲＥのうちのある数を計算すること
を備える、Ｃ２３に記載の方法。
［Ｃ２５］
前記許可に関連するサブキャリアの数と前記許可に関連するシンボル期間の数とに少なくとも部分的に基づいて、割振りのために利用可能である前記複数のＲＥの総数を決定すること
をさらに備える、Ｃ１９に記載の方法。
［Ｃ２６］
前記複数のＲＥの少なくとも前記一部分をスプリットすることが、
割振りのために利用可能である前記複数のＲＥの前記総数に少なくとも部分的に基づいて、前記ＨＡＲＱ−ＡＣＫデータと前記ＣＳＩパート１データと前記ＣＳＩパート２データとの間で、前記複数のＲＥの少なくとも前記一部分をスプリットすること
を備える、Ｃ２５に記載の方法。
［Ｃ２７］
割振りのために利用可能である前記複数のＲＥの前記総数が、少なくとも１つの基準信号に割り当てられる前記複数のＲＥのうちのＲＥを除外する、Ｃ２５に記載の方法。
［Ｃ２８］
前記許可を送信することは、
前記複数のＲＥの前記総数のうちのいずれもアップリンクデータの送信のために割り振られず、前記複数のＲＥの総数の各々が、前記ＨＡＲＱ−ＡＣＫデータ、前記ＣＳＩパート１データ、または前記ＣＳＩパート２データの送信のために割り振られることを示すために前記許可を生成すること
をさらに備える、Ｃ２５に記載の方法。
［Ｃ２９］
前記許可を送信することは、
前記アップリンク送信が非アクセス層データを含むべきであり、アクセス層データを含むべきでないことを示すために前記許可を生成すること
をさらに備える、Ｃ２５に記載の方法。
［Ｃ３０］
前記複数のＲＥの少なくとも前記一部分をスプリットすることが、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＨＡＲＱ−ＡＣＫデータの前記重み付けされたペイロードサイズに比例して、前記ＨＡＲＱ−ＡＣＫデータに割り振られる前記複数のＲＥのうちのある数を計算すること
を備える、Ｃ１９に記載の方法。
［Ｃ３１］
前記複数のＲＥの少なくとも前記一部分をスプリットすることが、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＣＳＩパート１データの前記重み付けされたペイロードサイズに比例して、前記ＣＳＩパート１データに割り振られる前記複数のＲＥのうちのある数を計算すること
を備える、Ｃ１９に記載の方法。
［Ｃ３２］
前記複数のＲＥの少なくとも前記一部分をスプリットすることが、
前記ＨＡＲＱ−ＡＣＫデータのための重み付け係数と、前記ＣＳＩパート１データのための重み付け係数と、前記ＣＳＩパート２データのための重み付け係数とを示す無線リソース制御（ＲＲＣ）シグナリングを送信することと、
前記ＨＡＲＱ−ＡＣＫデータのための前記重み付け係数に少なくとも部分的に基づいて前記ＨＡＲＱ−ＡＣＫデータの重み付けされたペイロードサイズと、前記ＣＳＩパート１データのための前記重み付け係数に少なくとも部分的に基づいて前記ＣＳＩパート１データの重み付けされたペイロードサイズと、前記ＣＳＩパート２データのための前記重み付け係数に少なくとも部分的に基づいて基準ペイロードサイズの重み付けされたペイロードサイズとを決定することと
を備える、Ｃ１９に記載の方法。
［Ｃ３３］
前記複数のＲＥの少なくとも前記一部分をスプリットすることが、
前記ＨＡＲＱ−ＡＣＫデータに割り振られる前記複数のＲＥのうちのある数と前記ＣＳＩパート１データに割り振られる前記複数のＲＥのうちのある数とに少なくとも部分的に基づいて、前記ＣＳＩパート２データに割り振られる前記複数のＲＥのうちのある数を計算すること
を備える、Ｃ１９に記載の方法。
［Ｃ３４］
ランク指示の値に少なくとも部分的に基づいて基準ペイロードサイズを決定することをさらに備える、Ｃ１９に記載の方法。
［Ｃ３５］
前記複数のＲＥの少なくとも前記一部分をスプリットすることが、
前記ＣＳＩパート２データの基準ペイロードサイズに少なくとも部分的に基づいて、前記ＨＡＲＱ−ＡＣＫデータと前記ＣＳＩパート１データと前記ＣＳＩパート２データとアップリンクデータとの間で前記複数のＲＥの少なくとも前記一部分をスプリットすることを備える、Ｃ１９に記載の方法。
［Ｃ３６］
ユーザ機器（ＵＥ）によるワイヤレス通信のための装置であって、
アップリンク送信のために前記ＵＥに割り振られるアップリンク共有チャネルの複数のリソース要素（ＲＥ）を示す許可を受信するための手段と、
ハイブリッド自動再送要求肯定応答（ＨＡＲＱ−ＡＣＫ）データとチャネル状態情報パート１（ＣＳＩパート１）データとＣＳＩパート２データとの間で前記複数のＲＥの少なくとも一部分をスプリットするための手段と、
前記スプリットすることに少なくとも部分的に基づいて前記アップリンク送信を生成するための手段と、
前記アップリンク共有チャネルの前記複数のＲＥ中で前記アップリンク送信を送信するための手段と
を備える、装置。
［Ｃ３７］
割振り上限パラメータを示す無線リソース制御（ＲＲＣ）シグナリングを受信するための手段と、
前記割振り上限パラメータに少なくとも部分的に基づいて、前記ＨＡＲＱ−ＡＣＫデータに割り振るための前記複数のＲＥの最大数を設定するための手段と
をさらに備える、Ｃ３６に記載の装置。
［Ｃ３８］
前記最大数に少なくとも部分的に基づいて、前記ＨＡＲＱ−ＡＣＫデータに割り振るための前記複数のＲＥのうちのある数を計算するための手段
をさらに備える、Ｃ３７に記載の装置。
［Ｃ３９］
前記許可に関連するサブキャリアの数と前記許可に関連するシンボル期間の数とに少なくとも部分的に基づいて、割振りのために利用可能である前記複数のＲＥの総数を決定するための手段
をさらに備える、Ｃ３６に記載の装置。
［Ｃ４０］
割振り上限パラメータを示す無線リソース制御（ＲＲＣ）シグナリングを受信するための手段と、
前記割振り上限パラメータに少なくとも部分的に基づいて、前記ＣＳＩパート１データに割り振るための前記複数のＲＥの最大数を設定するための手段と
をさらに備える、Ｃ３６に記載の装置。
［Ｃ４１］
前記最大数に少なくとも部分的に基づいて、前記ＣＳＩパート１データに割り振るための前記複数のＲＥのうちのある数を計算するための手段
をさらに備える、Ｃ４０に記載の装置。
［Ｃ４２］
前記ＨＡＲＱ−ＡＣＫデータに割り振るために利用可能である前記複数のＲＥの最大数として、割振りのために利用可能である前記複数のＲＥの前記総数を設定するための手段をさらに備える、Ｃ３９に記載の装置。
［Ｃ４３］
前記複数のＲＥの少なくとも前記一部分をスプリットするための前記手段は、
前記複数のＲＥのうちのある数を前記ＨＡＲＱ−ＡＣＫデータに割り振るための手段と、
前記ＨＡＲＱ−ＡＣＫデータに割り振られる前記複数のＲＥのうちの前記数が、割振りのために利用可能である前記複数のＲＥの前記総数よりも少ないことに少なくとも部分的に基づいて、割振りのために利用可能である前記複数のＲＥのうちの残りの数を識別するための手段と、
前記ＣＳＩパート１データと前記ＣＳＩパート２データとの間で前記複数のＲＥのうちの前記残りの数をスプリットするための手段と
をさらに備える、Ｃ３９に記載の装置。
［Ｃ４４］
前記複数のＲＥの少なくとも前記一部分をスプリットするための前記手段が、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＨＡＲＱ−ＡＣＫデータの前記重み付けされたペイロードサイズに比例して、前記ＨＡＲＱ−ＡＣＫデータに割り振るための前記複数のＲＥのうちのある数を計算するための手段
をさらに備える、Ｃ３６に記載の装置。
［Ｃ４５］
前記複数のＲＥの少なくとも前記一部分をスプリットするための前記手段が、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＣＳＩパート１データの前記重み付けされたペイロードサイズに比例して、前記ＣＳＩパート１データに割り振るための前記複数のＲＥのうちのある数を計算するための手段
をさらに備える、Ｃ３６に記載の装置。
［Ｃ４６］
前記複数のＲＥの少なくとも前記一部分をスプリットするための前記手段が、
前記ＨＡＲＱ−ＡＣＫデータのための重み付け係数と、前記ＣＳＩパート１データのための重み付け係数と、前記ＣＳＩパート２データのための重み付け係数とを示す無線リソース制御（ＲＲＣ）シグナリングを受信するための手段と、
前記ＨＡＲＱ−ＡＣＫデータのための前記重み付け係数に少なくとも部分的に基づいて前記ＨＡＲＱ−ＡＣＫデータの重み付けされたペイロードサイズと、前記ＣＳＩパート１データのための前記重み付け係数に少なくとも部分的に基づいて前記ＣＳＩパート１データの重み付けされたペイロードサイズと、前記ＣＳＩパート２データのための前記重み付け係数に少なくとも部分的に基づいて基準ペイロードサイズの重み付けされたペイロードサイズとを決定するための手段と
をさらに備える、Ｃ３６に記載の装置。
［Ｃ４７］
前記複数のＲＥの少なくとも前記一部分をスプリットするための前記手段が、
前記ＨＡＲＱ−ＡＣＫデータに割り振られる前記複数のＲＥのうちのある数と前記ＣＳＩパート１データに割り振られる前記複数のＲＥのうちのある数とに少なくとも部分的に基づいて、前記ＣＳＩパート２データに割り振るための前記複数のＲＥのうちのある数を計算するための手段
をさらに備える、Ｃ３６に記載の装置。
［Ｃ４８］
前記複数のＲＥの少なくとも前記一部分をスプリットするための前記手段が、
基準ペイロードサイズの重み付けされたペイロードサイズに対する前記ＨＡＲＱ−ＡＣＫデータの重み付けされたペイロードサイズに比例して、前記ＨＡＲＱ−ＡＣＫデータに割り振るための前記複数のＲＥのうちのある数を計算するための手段
をさらに備える、Ｃ３６に記載の装置。
［Ｃ４９］
前記複数のＲＥの少なくとも前記一部分をスプリットするための前記手段が、
基準ペイロードサイズの重み付けされたペイロードサイズに対する前記ＣＳＩパート１データの重み付けされたペイロードサイズに比例して、前記ＣＳＩパート１データに割り振るための前記複数のＲＥのうちのある数を計算するための手段
をさらに備える、Ｃ３６に記載の装置。
［Ｃ５０］
ランク指示の値に少なくとも部分的に基づいて基準ペイロードサイズを決定するための手段
をさらに備える、Ｃ３６に記載の装置。
［Ｃ５１］
前記複数のＲＥのうちのいずれもアップリンクデータの送信のために割り振られず、前記複数のＲＥの各々が、前記ＨＡＲＱ−ＡＣＫデータ、または前記ＣＳＩパート１データ、または前記ＣＳＩパート２データの送信のために割り振られると決定するために前記許可を処理するための手段
をさらに備える、Ｃ３６に記載の装置。
［Ｃ５２］
前記アップリンク送信が非アクセス層データを含むべきであり、アクセス層データを含むべきでないと決定するために前記許可を処理するための手段
をさらに備える、Ｃ３６に記載の装置。
［Ｃ５３］
前記複数のＲＥの少なくとも前記一部分をスプリットするための前記手段が、
前記ＣＳＩパート２データの基準ペイロードサイズに少なくとも部分的に基づいて、前記ＨＡＲＱ−ＡＣＫデータと前記ＣＳＩパート１データと前記ＣＳＩパート２データとアップリンクデータとの間で前記複数のＲＥの少なくとも前記一部分をスプリットするための手段
をさらに備える、Ｃ３６に記載の装置。
［Ｃ５４］
基地局によるワイヤレス通信のための装置であって、
アップリンク送信のためにユーザ機器（ＵＥ）に割り振られるアップリンク共有チャネルの複数のリソース要素（ＲＥ）を示す許可を送信するための手段と、
ハイブリッド自動再送要求肯定応答（ＨＡＲＱ−ＡＣＫ）データとチャネル状態情報パート１（ＣＳＩパート１）データとＣＳＩパート２データとの間で前記複数のＲＥの少なくとも一部分をスプリットするための手段と、
前記スプリットすることに少なくとも部分的に基づいて、前記アップリンク送信のための前記アップリンク共有チャネルの前記複数のＲＥを監視するための手段と
を備える、装置。
［Ｃ５５］
割振り上限パラメータを示す無線リソース制御（ＲＲＣ）シグナリングを送信するための手段
をさらに備える、Ｃ５４に記載の装置。
［Ｃ５６］
前記複数のＲＥの少なくとも前記一部分をスプリットするための前記手段が、
前記割振り上限パラメータに少なくとも部分的に基づいて、前記ＨＡＲＱ−ＡＣＫデータに割り振るために利用可能な前記複数のＲＥの最大数を設定するための手段
をさらに備える、Ｃ５５に記載の装置。
［Ｃ５７］
前記複数のＲＥの少なくとも前記一部分をスプリットするための前記手段が、
前記ＨＡＲＱ−ＡＣＫデータに割り振るために利用可能な前記複数のＲＥの前記最大数に少なくとも部分的に基づいて、前記ＨＡＲＱ−ＡＣＫデータに割り振られる前記複数のＲＥのうちのある数を計算するための手段
をさらに備える、Ｃ５６に記載の装置。
［Ｃ５８］
前記許可に関連するサブキャリアの数と前記許可に関連するシンボル期間の数とに少なくとも部分的に基づいて、割振りのために利用可能である前記複数のＲＥの総数を決定するための手段
をさらに備える、Ｃ５４に記載の装置。
［Ｃ５９］
前記複数のＲＥの少なくとも前記一部分をスプリットするための前記手段が、
前記割振り上限パラメータに少なくとも部分的に基づいて、前記ＣＳＩパート１データに割り振るために利用可能な前記複数のＲＥの最大数を設定するための手段
をさらに備える、Ｃ５５に記載の装置。
［Ｃ６０］
前記複数のＲＥの少なくとも前記一部分をスプリットするための前記手段が、
前記ＣＳＩパート１データに割り振るために利用可能な前記複数のＲＥの前記最大数に少なくとも部分的に基づいて、前記ＣＳＩパート１データに割り振られる前記複数のＲＥのうちのある数を計算するための手段
をさらに備える、Ｃ５９に記載の装置。
［Ｃ６１］
前記複数のＲＥの少なくとも前記一部分をスプリットするための前記手段が、
割振りのために利用可能である前記複数のＲＥの前記総数に少なくとも部分的に基づいて、前記ＨＡＲＱ−ＡＣＫデータと前記ＣＳＩパート１データと前記ＣＳＩパート２データとの間で前記複数のＲＥの少なくとも前記一部分をスプリットするための手段
をさらに備える、Ｃ５８に記載の装置。
［Ｃ６２］
割振りのために利用可能である前記複数のＲＥの前記総数が、少なくとも１つの基準信号に割り当てられる前記複数のＲＥのうちのＲＥを除外する、Ｃ５８に記載の装置。
［Ｃ６３］
前記許可を送信するための前記手段は、
前記複数のＲＥの前記総数のうちのいずれもアップリンクデータの送信のために割り振られず、前記複数のＲＥの総数の各々が、前記ＨＡＲＱ−ＡＣＫデータ、前記ＣＳＩパート１データ、または前記ＣＳＩパート２データの送信のために割り振られることを示すために前記許可を生成するための手段
をさらに備える、Ｃ５８に記載の装置。
［Ｃ６４］
前記複数のＲＥの少なくとも前記一部分をスプリットするための前記手段が、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＨＡＲＱ−ＡＣＫデータの前記重み付けされたペイロードサイズに比例して、前記ＨＡＲＱ−ＡＣＫデータに割り振られる前記複数のＲＥのうちのある数を計算するための手段
をさらに備える、Ｃ５４に記載の装置。
［Ｃ６５］
前記複数のＲＥの少なくとも前記一部分をスプリットするための前記手段が、
前記ＨＡＲＱ−ＡＣＫデータの重み付けされたペイロードサイズと、前記ＣＳＩパート１データの重み付けされたペイロードサイズと、基準ペイロードサイズの重み付けされたペイロードサイズとの関数に対する前記ＣＳＩパート１データの前記重み付けされたペイロードサイズに比例して、前記ＣＳＩパート１データに割り振られる前記複数のＲＥのうちのある数を計算するための手段
をさらに備える、Ｃ５４に記載の装置。
［Ｃ６６］
前記複数のＲＥの少なくとも前記一部分をスプリットするための前記手段が、
前記ＨＡＲＱ−ＡＣＫデータのための重み付け係数と、前記ＣＳＩパート１データのための重み付け係数と、前記ＣＳＩパート２データのための重み付け係数とを示す無線リソース制御（ＲＲＣ）シグナリングを送信するための手段と、
前記ＨＡＲＱ−ＡＣＫデータのための前記重み付け係数に少なくとも部分的に基づいて前記ＨＡＲＱ−ＡＣＫデータの重み付けされたペイロードサイズと、前記ＣＳＩパート１データのための前記重み付け係数に少なくとも部分的に基づいて前記ＣＳＩパート１データの重み付けされたペイロードサイズと、前記ＣＳＩパート２データのための前記重み付け係数に少なくとも部分的に基づいて基準ペイロードサイズの重み付けされたペイロードサイズとを決定するための手段と
をさらに備える、Ｃ５４に記載の装置。
［Ｃ６７］
前記複数のＲＥの少なくとも前記一部分をスプリットするための前記手段が、
前記ＨＡＲＱ−ＡＣＫデータに割り振られる前記複数のＲＥのうちのある数と前記ＣＳＩパート１データに割り振られる前記複数のＲＥのうちのある数とに少なくとも部分的に基づいて、前記ＣＳＩパート２データに割り振られる前記複数のＲＥのうちのある数を計算する
をさらに備える、Ｃ５４に記載の装置。
［Ｃ６８］
前記許可を送信するための前記手段は、
前記アップリンク送信が非アクセス層データを含むべきであり、アクセス層データを含むべきでないことを示すために前記許可を生成するための手段
をさらに備える、Ｃ５８に記載の装置。
［Ｃ６９］
ランク指示の値に少なくとも部分的に基づいて基準ペイロードサイズを決定するための手段
をさらに備える、Ｃ５４に記載の装置。
［Ｃ７０］
前記複数のＲＥの少なくとも前記一部分をスプリットするための前記手段が、
前記ＣＳＩパート２データの基準ペイロードサイズに少なくとも部分的に基づいて、前記ＨＡＲＱ−ＡＣＫデータと前記ＣＳＩパート１データと前記ＣＳＩパート２データとアップリンクデータとの間で前記複数のＲＥの少なくとも前記一部分をスプリットするための手段
をさらに備える、Ｃ５４に記載の装置。
［Ｃ７１］
ユーザ機器（ＵＥ）によるワイヤレス通信のための装置であって、
プロセッサと、
前記プロセッサと電子通信しているメモリと、
前記メモリに記憶された命令とを備え、前記命令が、前記装置に、
アップリンク送信のために前記ＵＥに割り振られるアップリンク共有チャネルの複数のリソース要素（ＲＥ）を示す許可を受信することと、
ハイブリッド自動再送要求肯定応答（ＨＡＲＱ−ＡＣＫ）データとチャネル状態情報パート１（ＣＳＩパート１）データとＣＳＩパート２データとの間で前記複数のＲＥの少なくとも一部分をスプリットすることと、
前記スプリットすることに少なくとも部分的に基づいて前記アップリンク送信を生成することと、
前記アップリンク共有チャネルの前記複数のＲＥ中で前記アップリンク送信を送信することと
を行わせるために前記プロセッサによって実行可能である、装置。
［Ｃ７２］
基地局によるワイヤレス通信のための装置であって、
プロセッサと、
前記プロセッサと電子通信しているメモリと、
前記メモリに記憶された命令とを備え、前記命令が、前記装置に、
アップリンク送信のためにユーザ機器（ＵＥ）に割り振られるアップリンク共有チャネルの複数のリソース要素（ＲＥ）を示す許可を送信することと、
ハイブリッド自動再送要求肯定応答（ＨＡＲＱ−ＡＣＫ）データとチャネル状態情報パート１（ＣＳＩパート１）データとＣＳＩパート２データとの間で前記複数のＲＥの少なくとも一部分をスプリットすることと、
前記スプリットすることに少なくとも部分的に基づいて、前記アップリンク送信のための前記アップリンク共有チャネルの前記複数のＲＥを監視することと
を行わせるために前記プロセッサによって実行可能である、装置。
［Ｃ７３］
ユーザ機器（ＵＥ）によるワイヤレス通信のためのコードを記憶する非一時的コンピュータ可読媒体であって、前記コードが、
アップリンク送信のために前記ＵＥに割り振られるアップリンク共有チャネルの複数のＲＥを示す許可を受信することと、
ハイブリッド自動再送要求肯定応答（ＨＡＲＱ−ＡＣＫ）データとチャネル状態情報パート１（ＣＳＩパート１）データとＣＳＩパート２データとの間で前記複数のＲＥの少なくとも一部分をスプリットすることと、
前記スプリットすることに少なくとも部分的に基づいて前記アップリンク送信を生成することと、
前記アップリンク共有チャネルの前記複数のＲＥ中で前記アップリンク送信を送信することと
を行うためにプロセッサによって実行可能な命令を備える、非一時的コンピュータ可読媒体。
［Ｃ７４］
基地局によるワイヤレス通信のためのコードを記憶する非一時的コンピュータ可読媒体であって、前記コードが、
アップリンク送信のためにユーザ機器（ＵＥ）に割り振られるアップリンク共有チャネルの複数のリソース要素（ＲＥ）を示す許可を送信することと、
ハイブリッド自動再送要求肯定応答（ＨＡＲＱ−ＡＣＫ）データとチャネル状態情報パート１（ＣＳＩパート１）データとＣＳＩパート２データとの間で前記複数のＲＥの少なくとも一部分をスプリットすることと、
前記スプリットすることに少なくとも部分的に基づいて、前記アップリンク送信のための前記アップリンク共有チャネルの前記複数のＲＥを監視することと
を行うためにプロセッサによって実行可能な命令を備える、非一時的コンピュータ可読媒体。
【国際調査報告】
2021508991.tif 000105
2021508991.tif 000106
2021508991.tif 000107